(57)【要約】  本願の実施例はデータ伝送方法、端末装置及びＳＭＦ装置を開示し、該方法は、端末装置がセッション管理機能（ＳＭＦ）装置へ第１プロトコルデータユニット（ＰＤＵ）セッションの確立要求メッセージを送信し、前記第１ＰＤＵセッションの確立要求メッセージには前記第１ＰＤＵセッションを確立するための少なくとも１つのパラメータのうちの各パラメータの複数の値の優先度リストが含まれることを含む。本願の実施例の方法、端末装置及びＳＭＦ装置は、シグナリングオーバーヘッドの低減に役立つとともに、ＰＤＵセッションに成功する確率を向上させる。
2020537855.tif 000002
【特許請求の範囲】
【請求項１】
データ伝送方法であって、
端末装置がセッション管理機能（ＳＭＦ）装置へ第１プロトコルデータユニット（ＰＤＵ）セッションの確立要求メッセージを送信し、前記第１ＰＤＵセッションの確立要求メッセージには、前記第１ＰＤＵセッションを確立するための少なくとも１つのパラメータのパラメータ値リスト及び／又はパラメータ値組み合わせリストが含まれることを含むことを特徴とする、前記データ伝送方法。
【請求項２】
前記パラメータ値リストにおける第１パラメータのパラメータ値は複数の値を含み、前記複数の値が優先度を有することを特徴とする
請求項１に記載の方法。
【請求項３】
前記パラメータ値組み合わせリストにおける第１パラメータ値組み合わせは、少なくとも１つの前記パラメータのうちの各パラメータの１つの値を含むことを特徴とする
請求項１に記載の方法。
【請求項４】
前記パラメータ値組み合わせリストは複数組のパラメータ値組み合わせを含み、前記複数組のパラメータ値組み合わせが優先度を有することを特徴とする
請求項３に記載の方法。
【請求項５】
前記ＰＤＵセッションを確立するための少なくとも１つのパラメータは無線アクセス技術（ＲＡＴ）のタイプ、セッション及びサービスの連続性モード、単一のネットワークスライス選択補助情報（Ｓ−ＮＳＳＡＩ）、並びにデータネットワーク名称（ＤＮＮ）のうちの少なくとも１つを含むことを特徴とする
請求項１〜４のいずれか１項に記載の方法。
【請求項６】
前記ＲＡＴのタイプは新無線（ＮＲ）、ロングタームエボリューション（ＬＴＥ）、モバイル通信用グローバル（ＧＳＭ）、符号分割多元接続（ＣＤＭＡ）、汎用パケット無線サービス（ＧＰＲＳ）、無線ローカルエリアネットワーク（ＷＬＡＮ）及び衛星アクセス技術のうちの少なくとも１つを含むことを特徴とする
請求項５に記載の方法。
【請求項７】
前記ＲＡＴのタイプは第３世代移動体通信システムの標準化プロジェクト（３ＧＰＰ）及び非３ＧＰＰ技術のうちの少なくとも１つを含むことを特徴とする
請求項５に記載の方法。
【請求項８】
前記方法は、更に、
前記端末装置が前記ＳＭＦ装置から送信された返信メッセージを受信し、前記返信メッセージには前記第１ＰＤＵセッションの確立に失敗した要因値が含まれることを含むことを特徴とする
請求項２に記載の方法。
【請求項９】
前記要因値は前記パラメータ値リストにおける前記第１パラメータのパラメータ値がいずれも確立要件を満足しないことを示すことに用いられることを特徴とする
請求項８に記載の方法。
【請求項１０】
前記返信メッセージには更に前記ＳＭＦ装置の推奨した前記第１パラメータの値が含まれることを特徴とする
請求項９に記載の方法。
【請求項１１】
前記方法は、更に、
前記端末装置が前記返信メッセージに応答して、前記ＳＭＦ装置へ第２ＰＤＵセッションの確立要求メッセージ又は確立されたＰＤＵセッションの修正要求メッセージを送信することを含むことを特徴とする
請求項８〜１０のいずれか１項に記載の方法。
【請求項１２】
データ伝送方法であって、
端末装置がセッション管理機能（ＳＭＦ）装置へ第１プロトコルデータユニット（ＰＤＵ）セッションの確立要求メッセージを送信することと、
前記端末装置が前記ＳＭＦ装置から送信された返信メッセージを受信することであって、前記返信メッセージには前記第１ＰＤＵセッションの確立に失敗した要因値が含まれることと、を含むことを特徴とする、前記データ伝送方法。
【請求項１３】
前記第１ＰＤＵセッションの確立要求メッセージには、前記第１ＰＤＵセッションを確立するための少なくとも１つのパラメータのパラメータ値リスト及び／又はパラメータ値組み合わせリストが含まれることを特徴とする
請求項１２に記載の方法。
【請求項１４】
前記パラメータ値リストにおける第１パラメータのパラメータ値は複数の値を含み、前記複数の値が優先度を有することを特徴とする
請求項１３に記載の方法。
【請求項１５】
前記要因値は前記パラメータ値リストにおける前記第１パラメータのパラメータ値がいずれも確立要件を満足しないことを示すことに用いられることを特徴とする
請求項１４に記載の方法。
【請求項１６】
前記返信メッセージには更に前記ＳＭＦ装置の推奨した前記第１パラメータの値が含まれることを特徴とする
請求項１５に記載の方法。
【請求項１７】
前記パラメータ値組み合わせリストにおける第１パラメータ値組み合わせは、少なくとも１つの前記パラメータのうちの各パラメータの１つの値を含むことを特徴とする
請求項１３に記載の方法。
【請求項１８】
前記パラメータ値組み合わせリストは複数組のパラメータ値組み合わせを含み、前記複数組のパラメータ値組み合わせが優先度を有することを特徴とする
請求項１７に記載の方法。
【請求項１９】
前記第１ＰＤＵセッションを確立するための前記パラメータは無線アクセス技術（ＲＡＴ）のタイプ、セッション及びサービスの連続性モード、単一のネットワークスライス選択補助情報（Ｓ−ＮＳＳＡＩ）、並びにデータネットワーク名称（ＤＮＮ）のうちの少なくとも１つを含むことを特徴とする
請求項１３〜１８のいずれか１項に記載の方法。
【請求項２０】
前記方法は、更に、
前記端末装置が前記返信メッセージに応答して、前記ＳＭＦ装置へ新たなＰＤＵセッションの確立要求メッセージを送信することを含むことを特徴とする
請求項１２〜１９のいずれか１項に記載の方法。
【請求項２１】
前記端末装置が前記返信メッセージに応答して、前記ＳＭＦ装置へ新たなＰＤＵセッションの確立要求メッセージを送信することは、
前記端末装置が前記返信メッセージに応答して、ＰＤＵセッションを確立するための少なくとも１つのパラメータのパラメータ値リストに基づき、前記ＳＭＦ装置へ前記新たなＰＤＵセッションの確立要求メッセージを送信することを含むことを特徴とする
請求項２０に記載の方法。
【請求項２２】
データ伝送方法であって、
セッション管理機能（ＳＭＦ）装置が端末装置から送信された第１プロトコルデータユニット（ＰＤＵ）セッションの確立要求メッセージを受信することであって、前記第１ＰＤＵセッションの確立要求メッセージには前記第１ＰＤＵセッションを確立するための少なくとも１つのパラメータのパラメータ値リスト及び／又はパラメータ値組み合わせリストが含まれることと、
前記ＳＭＦ装置が前記パラメータ値リスト及び／又は前記パラメータ値組み合わせリストに基づき、前記第１ＰＤＵセッションの確立を行うことと、を含むことを特徴とする、前記データ伝送方法。
【請求項２３】
前記パラメータ値リストにおける第１パラメータのパラメータ値リストは複数の値を含み、前記複数の値が優先度を有することを特徴とする
請求項２２に記載の方法。
【請求項２４】
前記方法は、更に、
前記ＳＭＦ装置が前記端末装置へ返信メッセージを送信し、前記返信メッセージには前記第１ＰＤＵセッションの確立に失敗した要因値が含まれることを含むことを特徴とする
請求項２３に記載の方法。
【請求項２５】
前記要因値は前記パラメータ値リストにおける第１パラメータのパラメータ値がいずれも確立要件を満足しないことを示すことに用いられることを特徴とする
請求項２４に記載の方法。
【請求項２６】
前記返信メッセージには更に前記ＳＭＦ装置の推奨した前記第１パラメータの値が含まれることを特徴とする
請求項２５に記載の方法。
【請求項２７】
前記ＳＭＦ装置が前記端末装置へ返信メッセージを送信した後、前記方法は、更に、
前記ＳＭＦ装置が前記端末装置から送信された第２ＰＤＵセッションの確立要求メッセージ又は確立されたＰＤＵセッションの修正要求メッセージを受信することを含むことを特徴とする
請求項２４〜２６のいずれか１項に記載の方法。
【請求項２８】
前記パラメータ値組み合わせリストにおける第１パラメータ値組み合わせは少なくとも１つの前記パラメータのうちの各パラメータの１つの値を含むことを特徴とする
請求項２２に記載の方法。
【請求項２９】
前記パラメータ値組み合わせリストは複数組のパラメータ値組み合わせを含み、前記複数組のパラメータ値組み合わせが優先度を有することを特徴とする
請求項２８に記載の方法。
【請求項３０】
前記方法は、更に、
前記パラメータ値組み合わせリストにおける第１パラメータ値組み合わせが要件を満足しない場合、前記ＳＭＦ装置が前記パラメータ値組み合わせリストにおける第２パラメータ値組み合わせに基づき、前記第１ＰＤＵセッションの確立を行うことを含むことを特徴とする
請求項２８又は２９に記載の方法。
【請求項３１】
前記第１パラメータ値組み合わせの優先度が前記第２パラメータ値組み合わせより高いことを特徴とする
請求項３０に記載の方法。
【請求項３２】
前記ＰＤＵセッションを確立するための少なくとも１つのパラメータは無線アクセス技術（ＲＡＴ）のタイプ、セッション及びサービスの連続性モード、単一のネットワークスライス選択補助情報（Ｓ−ＮＳＳＡＩ）、並びにデータネットワーク名称（ＤＮＮ）のうちの少なくとも１つを含むことを特徴とする
請求項２２〜３１のいずれか１項に記載の方法。
【請求項３３】
前記ＲＡＴのタイプは新無線（ＮＲ）、ロングタームエボリューション（ＬＴＥ）、モバイル通信用グローバル（ＧＳＭ）、符号分割多元接続（ＣＤＭＡ）、汎用パケット無線サービス（ＧＰＲＳ）、無線ローカルエリアネットワーク（ＷＬＡＮ）及び衛星アクセス技術のうちの少なくとも１つを含むことを特徴とする
請求項３２に記載の方法。
【請求項３４】
前記ＲＡＴのタイプは第３世代移動体通信システムの標準化プロジェクト（３ＧＰＰ）及び非３ＧＰＰ技術のうちの少なくとも１つを含むことを特徴とする
請求項３２に記載の方法。
【請求項３５】
データ伝送方法であって、
セッション管理機能（ＳＭＦ）装置が端末装置から送信された第１プロトコルデータユニット（ＰＤＵ）セッションの確立要求メッセージを受信することと、
前記ＳＭＦ装置が前記端末装置へ返信メッセージを送信することであって、前記返信メッセージには前記第１ＰＤＵセッションの確立に失敗した要因値が含まれることと、を含むことを特徴とする、前記データ伝送方法。
【請求項３６】
前記第１ＰＤＵセッションの確立要求メッセージには前記第１ＰＤＵセッションを確立するための少なくとも１つのパラメータのパラメータ値リスト及び／又はパラメータ値組み合わせリストが含まれることを特徴とする
請求項３５に記載の方法。
【請求項３７】
前記パラメータ値リストにおける第１パラメータのパラメータ値は複数の値を含み、前記複数の値が優先度を有することを特徴とする
請求項３６に記載の方法。
【請求項３８】
前記要因値は前記パラメータ値リストにおける前記第１パラメータのパラメータ値がいずれも確立要件を満足しないことを示すことに用いられることを特徴とする
請求項３７に記載の方法。
【請求項３９】
前記返信メッセージには更に前記ＳＭＦ装置の推奨した前記第１パラメータの値が含まれることを特徴とする
請求項３８に記載の方法。
【請求項４０】
前記パラメータ値組み合わせリストにおける第１パラメータ値組み合わせは少なくとも１つの前記パラメータのうちの各パラメータの１つの値を含むことを特徴とする
請求項３６に記載の方法。
【請求項４１】
前記パラメータ値組み合わせリストは複数組のパラメータ値組み合わせを含み、前記複数組のパラメータ値組み合わせが優先度を有することを特徴とする
請求項４０に記載の方法。
【請求項４２】
前記方法は、更に、
前記パラメータ値組み合わせリストにおける第１パラメータ値組み合わせが要件を満足しない場合、前記ＳＭＦ装置が前記パラメータ値組み合わせリストにおける第２パラメータ値組み合わせに基づき、前記第１ＰＤＵセッションの確立を行うことを含むことを特徴とする
請求項４０又は４１に記載の方法。
【請求項４３】
前記第１パラメータ値組み合わせの優先度が前記第２パラメータ値組み合わせより高いことを特徴とする
請求項４２に記載の方法。
【請求項４４】
前記ＰＤＵセッションを確立するための少なくとも１つのパラメータは無線アクセス技術（ＲＡＴ）のタイプ、セッション及びサービスの連続性モード、単一のネットワークスライス選択補助情報（Ｓ−ＮＳＳＡＩ）、並びにデータネットワーク名称（ＤＮＮ）のうちの少なくとも１つを含むことを特徴とする
請求項３６〜４３のいずれか１項に記載の方法。
【請求項４５】
端末装置であって、
セッション管理機能（ＳＭＦ）装置へ第１プロトコルデータユニット（ＰＤＵ）セッションの確立要求メッセージを送信するように構成される送信ユニットであって、前記第１ＰＤＵセッションの確立要求メッセージには前記第１ＰＤＵセッションを確立するための少なくとも１つのパラメータのパラメータ値リスト及び／又はパラメータ値組み合わせリストが含まれる送信ユニットを備えることを特徴とする、前記端末装置。
【請求項４６】
前記パラメータ値リストにおける第１パラメータのパラメータ値は複数の値を含み、前記複数の値が優先度を有することを特徴とする
請求項４５に記載の端末装置。
【請求項４７】
前記パラメータ値組み合わせリストにおける第１パラメータ値組み合わせは少なくとも１つの前記パラメータのうちの各パラメータの１つの値を含むことを特徴とする
請求項４５に記載の端末装置。
【請求項４８】
前記パラメータ値組み合わせリストは複数組のパラメータ値組み合わせを含み、前記複数組のパラメータ値組み合わせが優先度を有することを特徴とする
請求項４７に記載の端末装置。
【請求項４９】
前記ＰＤＵセッションを確立するための少なくとも１つのパラメータは無線アクセス技術（ＲＡＴ）のタイプ、セッション及びサービスの連続性モード、単一のネットワークスライス選択補助情報（Ｓ−ＮＳＳＡＩ）、並びにデータネットワーク名称（ＤＮＮ）のうちの少なくとも１つを含むことを特徴とする
請求項４５〜４８のいずれか１項に記載の端末装置。
【請求項５０】
前記ＲＡＴのタイプは新無線（ＮＲ）、ロングタームエボリューション（ＬＴＥ）、モバイル通信用グローバル（ＧＳＭ）、符号分割多元接続（ＣＤＭＡ）、汎用パケット無線サービス（ＧＰＲＳ）、無線ローカルエリアネットワーク（ＷＬＡＮ）及び衛星アクセス技術のうちの少なくとも１つを含むことを特徴とする
請求項４９に記載の端末装置。
【請求項５１】
前記ＲＡＴのタイプは第３世代移動体通信システムの標準化プロジェクト（３ＧＰＰ）及び非３ＧＰＰ技術のうちの少なくとも１つを含むことを特徴とする
請求項４９に記載の端末装置。
【請求項５２】
前記端末装置は、更に、
前記ＳＭＦ装置から送信された返信メッセージを受信するように構成される受信ユニットであって、前記返信メッセージには前記第１ＰＤＵセッションの確立に失敗した要因値が含まれる受信ユニットを備えることを特徴とする
請求項４６に記載の端末装置。
【請求項５３】
前記要因値は前記パラメータ値リストにおける前記第１パラメータのパラメータ値がいずれも確立要件を満足しないことを示すことに用いられることを特徴とする
請求項５２に記載の端末装置。
【請求項５４】
前記返信メッセージには更に前記ＳＭＦ装置の推奨した前記第１パラメータの値が含まれることを特徴とする
請求項５３に記載の端末装置。
【請求項５５】
前記送信ユニットは、更に、
前記返信メッセージに応答して、前記ＳＭＦ装置へ第２ＰＤＵセッションの確立要求メッセージ又は確立されたＰＤＵセッションの修正要求メッセージを送信することに用いられることを特徴とする
請求項５２〜５４のいずれか１項に記載の端末装置。
【請求項５６】
端末装置であって、
セッション管理機能（ＳＭＦ）装置へ第１プロトコルデータユニット（ＰＤＵ）セッションの確立要求メッセージを送信するように構成される送信ユニットと、
前記ＳＭＦ装置から送信された返信メッセージを受信するように構成される受信ユニットであって、前記返信メッセージには前記第１ＰＤＵセッションの確立に失敗した要因値が含まれる受信ユニットと、を備えることを特徴とする、前記端末装置。
【請求項５７】
前記第１ＰＤＵセッションの確立要求メッセージには前記第１ＰＤＵセッションを確立するための少なくとも１つのパラメータパラメータ値リスト及び／又はパラメータ値組み合わせリストが含まれることを特徴とする
請求項５６に記載の端末装置。
【請求項５８】
前記パラメータ値リストにおける第１パラメータのパラメータ値は複数の値を含み、前記複数の値が優先度を有することを特徴とする
請求項５７に記載の端末装置。
【請求項５９】
前記要因値は前記パラメータ値リストにおける前記第１パラメータのパラメータ値がいずれも確立要件を満足しないことを示すことに用いられることを特徴とする
請求項５８に記載の端末装置。
【請求項６０】
前記返信メッセージには更に前記ＳＭＦ装置の推奨した前記第１パラメータの値が含まれることを特徴とする
請求項５９に記載の端末装置。
【請求項６１】
前記パラメータ値組み合わせリストにおける第１パラメータ値組み合わせは少なくとも１つの前記パラメータのうちの各パラメータの１つの値を含むことを特徴とする
請求項５７に記載の端末装置。
【請求項６２】
前記パラメータ値組み合わせリストは複数組のパラメータ値組み合わせを含み、前記複数組のパラメータ値組み合わせが優先度を有することを特徴とする
請求項６１に記載の端末装置。
【請求項６３】
前記第１ＰＤＵセッションを確立するための前記パラメータは無線アクセス技術（ＲＡＴ）のタイプ、セッション及びサービスの連続性モード、単一のネットワークスライス選択補助情報（Ｓ−ＮＳＳＡＩ）、並びにデータネットワーク名称（ＤＮＮ）のうちの少なくとも１つを含むことを特徴とする
請求項５７〜６２のいずれか１項に記載の端末装置。
【請求項６４】
前記端末装置は、更に、
前記端末装置が前記返信メッセージに応答して、前記ＳＭＦ装置へ新たなＰＤＵセッションの確立要求メッセージを送信することを含むことを特徴とする
請求項５６〜６３のいずれか１項に記載の端末装置。
【請求項６５】
前記端末装置が前記返信メッセージに応答して、前記ＳＭＦ装置へ新たなＰＤＵセッションの確立要求メッセージを送信することは、
前記端末装置が前記返信メッセージに応答して、ＰＤＵセッションを確立するための少なくとも１つのパラメータのパラメータ値リストに基づき、前記ＳＭＦ装置へ前記新たなＰＤＵセッションの確立要求メッセージを送信することを含むことを特徴とする
請求項６４に記載の端末装置。
【請求項６６】
セッション管理機能（ＳＭＦ）装置であって、
端末装置から送信された第１プロトコルデータユニット（ＰＤＵ）セッションの確立要求メッセージを受信するように構成される受信ユニットであって、前記第１ＰＤＵセッションの確立要求メッセージには前記第１ＰＤＵセッションを確立するための少なくとも１つのパラメータのパラメータ値リスト及び／又はパラメータ値組み合わせリストが含まれる受信ユニットと、
前記パラメータ値リスト及び／又は前記パラメータ値組み合わせリストに基づき、前記第１ＰＤＵセッションの確立を行うように構成される確立ユニットと、を備えることを特徴とする、前記セッション管理機能（ＳＭＦ）装置。
【請求項６７】
前記パラメータ値リストにおける第１パラメータのパラメータ値リストは複数の値を含み、前記複数の値が優先度を有することを特徴とする
請求項６６に記載のＳＭＦ装置。
【請求項６８】
前記ＳＭＦ装置は、更に、
前記端末装置へ返信メッセージを送信するように構成される送信ユニットであって、前記返信メッセージには前記第１ＰＤＵセッションの確立に失敗した要因値が含まれる送信ユニットを備えることを特徴とする
請求項６７に記載のＳＭＦ装置。
【請求項６９】
前記要因値は前記パラメータ値リストにおける第１パラメータのパラメータ値がいずれも確立要件を満足しないことを示すことに用いられることを特徴とする
請求項６８に記載のＳＭＦ装置。
【請求項７０】
前記返信メッセージには更に前記ＳＭＦ装置の推奨した前記第１パラメータの値が含まれることを特徴とする
請求項６９に記載のＳＭＦ装置。
【請求項７１】
前記受信ユニットは、更に、
前記端末装置から送信された第２ＰＤＵセッションの確立要求メッセージ又は確立されたＰＤＵセッションの修正要求メッセージを受信することに用いられることを特徴とする
請求項６８〜７０のいずれか１項に記載のＳＭＦ装置。
【請求項７２】
前記パラメータ値組み合わせリストにおける第１パラメータ値組み合わせは少なくとも１つの前記パラメータのうちの各パラメータの１つの値を含むことを特徴とする
請求項６６に記載のＳＭＦ装置。
【請求項７３】
前記パラメータ値組み合わせリストは複数組のパラメータ値組み合わせを含み、前記複数組のパラメータ値組み合わせが優先度を有することを特徴とする
請求項７２に記載のＳＭＦ装置。
【請求項７４】
前記確立ユニットは、更に、
前記パラメータ値組み合わせリストにおける第１パラメータ値組み合わせが要件を満足しない場合、前記パラメータ値組み合わせリストにおける第２パラメータ値組み合わせに基づき、前記第１ＰＤＵセッションの確立を行うことに用いられることを特徴とする
請求項７２又は７３に記載のＳＭＦ装置。
【請求項７５】
前記第１パラメータ値組み合わせの優先度が前記第２パラメータ値組み合わせより高いことを特徴とする
請求項７４に記載のＳＭＦ装置。
【請求項７６】
前記ＰＤＵセッションを確立するための少なくとも１つのパラメータは無線アクセス技術（ＲＡＴ）のタイプ、セッション及びサービスの連続性モード、単一のネットワークスライス選択補助情報（Ｓ−ＮＳＳＡＩ）、並びにデータネットワーク名称（ＤＮＮ）のうちの少なくとも１つを含むことを特徴とする
請求項６６〜７５のいずれか１項に記載のＳＭＦ装置。
【請求項７７】
前記ＲＡＴのタイプは新無線（ＮＲ）、ロングタームエボリューション（ＬＴＥ）、モバイル通信用グローバル（ＧＳＭ）、符号分割多元接続（ＣＤＭＡ）、汎用パケット無線サービス（ＧＰＲＳ）、無線ローカルエリアネットワーク（ＷＬＡＮ）及び衛星アクセス技術のうちの少なくとも１つを含むことを特徴とする
請求項７６に記載のＳＭＦ装置。
【請求項７８】
前記ＲＡＴのタイプは第３世代移動体通信システムの標準化プロジェクト（３ＧＰＰ）及び非３ＧＰＰ技術のうちの少なくとも１つを含むことを特徴とする
請求項７６に記載のＳＭＦ装置。
【請求項７９】
セッション管理機能（ＳＭＦ）装置であって、
端末装置から送信された第１プロトコルデータユニット（ＰＤＵ）セッションの確立要求メッセージを受信するように構成される受信ユニットと、
前記端末装置へ返信メッセージを送信するように構成される送信ユニットであって、前記返信メッセージには前記第１ＰＤＵセッションの確立に失敗した要因値が含まれる送信ユニットと、を備えることを特徴とする、前記セッション管理機能（ＳＭＦ）装置。
【請求項８０】
前記第１ＰＤＵセッションの確立要求メッセージには前記第１ＰＤＵセッションを確立するための少なくとも１つのパラメータのパラメータ値リスト及び／又はパラメータ値組み合わせリストが含まれることを特徴とする
請求項７９に記載のＳＭＦ装置。
【請求項８１】
前記パラメータ値リストにおける第１パラメータのパラメータ値は複数の値を含み、前記複数の値が優先度を有することを特徴とする
請求項８０に記載のＳＭＦ装置。
【請求項８２】
前記要因値は前記パラメータ値リストにおける前記第１パラメータのパラメータ値がいずれも確立要件を満足しないことを示すことに用いられることを特徴とする
請求項８１に記載のＳＭＦ装置。
【請求項８３】
前記返信メッセージには更に前記ＳＭＦ装置の推奨した前記第１パラメータの値が含まれることを特徴とする
請求項８２に記載のＳＭＦ装置。
【請求項８４】
前記パラメータ値組み合わせリストにおける第１パラメータ値組み合わせは少なくとも１つの前記パラメータのうちの各パラメータの１つの値を含むことを特徴とする
請求項８０に記載のＳＭＦ装置。
【請求項８５】
前記パラメータ値組み合わせリストは複数組のパラメータ値組み合わせを含み、前記複数組のパラメータ値組み合わせが優先度を有することを特徴とする
請求項８４に記載のＳＭＦ装置。
【請求項８６】
前記確立ユニットは、更に、
前記パラメータ値組み合わせリストにおける第１パラメータ値組み合わせが要件を満足しない場合、前記パラメータ値組み合わせリストにおける第２パラメータ値組み合わせに基づき、前記第１ＰＤＵセッションの確立を行うことに用いられることを特徴とする
請求項８４又は８５に記載のＳＭＦ装置。
【請求項８７】
前記第１パラメータ値組み合わせの優先度が前記第２パラメータ値組み合わせより高いことを特徴とする
請求項８６に記載のＳＭＦ装置。
【請求項８８】
前記ＰＤＵセッションを確立するための少なくとも１つのパラメータは無線アクセス技術（ＲＡＴ）のタイプ、セッション及びサービスの連続性モード、単一のネットワークスライス選択補助情報（Ｓ−ＮＳＳＡＩ）、並びにデータネットワーク名称（ＤＮＮ）のうちの少なくとも１つを含むことを特徴とする
請求項８０〜８７のいずれか１項に記載のＳＭＦ装置。
【請求項８９】
データ伝送方法であって、
端末装置がネットワーク装置へ第１要求メッセージを送信することであって、前記第１要求メッセージが第１プロトコルデータユニット（ＰＤＵ）セッションにおいてＮ個のデータフローのセッション確立を行うように要求することに用いられることと、
前記端末装置が前記ネットワーク装置から送信された前記第１要求メッセージの返信メッセージを受信することであって、前記返信メッセージが前記ネットワーク装置による前記第１ＰＤＵセッションにおける前記Ｎ個のデータフローのうちのＭ個のデータフローのセッション確立を拒絶することを示すことに用いられ、ＮとＭがいずれも正の整数であって、ＮがＭ以上であることと、を含むことを特徴とする、前記データ伝送方法。
【請求項９０】
前記返信メッセージに拒絶要因値が含まれており、前記拒絶要因値は前記第１ＰＤＵセッションが前記Ｍ個のデータフローをサポートしないことを示すことに用いられることを特徴とする
請求項８９に記載の方法。
【請求項９１】
前記返信メッセージには前記Ｍ個のデータフローのうちの各データフローの識別子が含まれることを特徴とする
請求項８９又は９０に記載の方法。
【請求項９２】
前記方法は、更に、
前記端末装置が前記返信メッセージに応答して、前記ネットワーク装置へ第２要求メッセージを送信し、前記第２要求メッセージが第２ＰＤＵセッションにおいて前記Ｍ個のデータフローのうちの少なくとも１つのデータフローのセッション確立を行うように要求することに用いられることを含むことを特徴とする
請求項８９〜９１のいずれか１項に記載の方法。
【請求項９３】
前記第１要求メッセージには前記第１ＰＤＵセッションの識別子が含まれており、前記第２要求メッセージには前記第２ＰＤＵセッションの識別子が含まれており、前記第２ＰＤＵセッションが前記第１ＰＤＵセッションの識別子を調整した後の前記第１ＰＤＵセッションであることを特徴とする
請求項９２に記載の方法。
【請求項９４】
前記端末装置が前記返信メッセージに応答する前に、前記方法は、更に、
前記端末装置が前記Ｍ個のデータフローに基づき、前記第１ＰＤＵセッションではない前記第２ＰＤＵセッションの確立パラメータを調整することを含むことを特徴とする
請求項９２に記載の方法。
【請求項９５】
前記返信メッセージには前記第２ＰＤＵセッションの識別子が含まれることを特徴とする
請求項９４に記載の方法。
【請求項９６】
前記ネットワーク装置がセッション管理機能（ＳＭＦ）装置であることを特徴とする
請求項８９〜９５のいずれか１項に記載の方法。
【請求項９７】
データ伝送方法であって、
ネットワーク装置が端末装置から送信された第１要求メッセージを受信することであって、前記第１要求メッセージが第１プロトコルデータユニット（ＰＤＵ）セッションにおいてＮ個のデータフローのセッション確立を行うように要求することに用いられることと、
前記ネットワーク装置が前記端末装置へ前記第１要求メッセージの返信メッセージを送信することであって、前記返信メッセージが前記ネットワーク装置による前記第１ＰＤＵセッションにおける前記Ｎ個のデータフローのうちのＭ個のデータフローのセッション確立を拒絶することを示すことに用いられ、ＮとＭがいずれも正の整数であって、ＮがＭ以上であることと、を含むことを特徴とする、前記データ伝送方法。
【請求項９８】
前記返信メッセージに拒絶要因値が含まれており、前記拒絶要因値は前記第１ＰＤＵセッションが前記Ｍ個のデータフローをサポートしないことを示すことに用いられることを特徴とする
請求項９７に記載の方法。
【請求項９９】
前記返信メッセージには前記Ｍ個のデータフローのうちの各データフローの識別子が含まれることを特徴とする
請求項９７又は９８に記載の方法。
【請求項１００】
前記方法は、更に、
前記ネットワーク装置が前記端末装置から送信された第２要求メッセージを受信し、前記第２要求メッセージが第２ＰＤＵセッションにおいて前記Ｍ個のデータフローのうちの少なくとも１つのデータフローのセッション確立を行うように要求することに用いられることを含むことを特徴とする
請求項９７〜９９のいずれか１項に記載の方法。
【請求項１０１】
前記返信メッセージには前記ネットワーク装置の推奨した前記第１ＰＤＵセッションではない前記第２ＰＤＵセッションの識別子が含まれることを特徴とする
請求項９７〜１００のいずれか１項に記載の方法。
【請求項１０２】
前記ネットワーク装置がセッション管理機能（ＳＭＦ）装置であり、前記方法は、更に、
前記ＳＭＦ装置が前記第１要求メッセージに基づき、アクセスネットワーク装置による前記第１ＰＤＵセッションにおける前記Ｎ個のデータフローのセッション確立をトリガーすることと、
前記ＳＭＦ装置が前記アクセスネットワーク装置から送信された前記第１ＰＤＵセッションに対応するデータフローリストを受信することであって、前記データフローリストが前記Ｍ個のデータフロー又は前記第１ＰＤＵセッションの受信した前記Ｎ個のデータフローのうちの（Ｎ−Ｍ）個のデータフローを含むことと、を含むことを特徴とする
請求項９７〜１０１のいずれか１項に記載の方法。
【請求項１０３】
データ伝送方法であって、
端末装置がユーザー装置ルート選択ポリシー（ＵＲＳＰ）における少なくとも１つのルールのそれぞれの識別子に基づき、それぞれ前記少なくとも１つのルールを取得することと、
前記端末装置が前記少なくとも１つのルールに基づき、それぞれネットワーク装置に対して前記少なくとも１つのルールに１対１に対応する少なくとも１つのプロトコルデータユニット（ＰＤＵ）セッションの確立又は修正を開始することと、を含むことを特徴とする、前記データ伝送方法。
【請求項１０４】
前記少なくとも１つのルールが複数のルールであり、前記端末装置が前記複数のルールに基づき、それぞれネットワーク装置に対して前記複数のルールに１対１に対応する複数のプロトコルデータユニット（ＰＤＵ）セッションの確立又は修正を開始することは、
前記端末装置が前記複数のルールの優先度に基づき、順に前記ネットワーク装置に対して前記複数のＰＤＵセッションの確立又は修正を開始することを含むことを特徴とする
請求項１０３に記載の方法。
【請求項１０５】
前記少なくとも１つのルールのうちの第１ルールは無線アクセス技術（ＲＡＴ）、セッション及びサービスの連続性モード、単一のネットワークスライス選択補助情報（Ｓ−ＮＳＳＡＩ）、分割タイプ、データネットワーク名称（ＤＮＮ）、並びにデータフローフィルタのうちの少なくとも１つを含むことを特徴とする
請求項１０３又は１０４に記載の方法。
【請求項１０６】
前記少なくとも１つのパラメータのうちの第１パラメータは優先度を特徴づける複数の値を含み、前記端末装置が前記第１ルールに基づき、ネットワーク装置に対して第１プロトコルデータユニット（ＰＤＵ）セッションの確立又は修正を開始することは、
前記端末装置が前記複数の値の優先度に基づき、前記ネットワーク装置に対して第１ＰＤＵセッションの確立又は修正を開始することを含むことを特徴とする
請求項１０５に記載の方法。
【請求項１０７】
前記端末装置が前記少なくとも１つのルールのうちの第１ルールに基づき、ネットワーク装置に対して第１プロトコルデータユニット（ＰＤＵ）セッションの確立又は修正を開始することは、
前記端末装置が前記第１ルールに基づき、前記ネットワーク装置へ第１要求メッセージを送信し、前記第１要求メッセージが前記ネットワーク装置による前記第１ＰＤＵセッションにおけるＮ個のデータフローのセッション確立を要求することに用いられることを含み、
前記端末装置が前記第１ルールに基づき、前記ネットワーク装置に対して第１ＰＤＵセッションの確立又は修正を開始した後、前記方法は、更に、
前記端末装置が前記ネットワーク装置から送信された前記第１要求メッセージの返信メッセージを受信し、前記返信メッセージが前記ネットワーク装置による前記第１ＰＤＵセッションにおける前記Ｎ個のデータフローのうちのＭ個のデータフローのセッション確立を拒絶することを示すことに用いられ、ＮとＭがいずれも正の整数であって、ＮがＭ以上であることを含むことを特徴とする
請求項１０３〜１０６のいずれか１項に記載の方法。
【請求項１０８】
前記返信メッセージに拒絶要因値が含まれており、前記拒絶要因値は、ＰＤＵセッションがサポートされない、ＲＡＴアクセスが許容されない、セッション及びサービスの連続性を満足しない、Ｓ−ＮＳＳＡＩがエラーになる、ＤＮＮがサポートされない、並びにＰＤＵセッション識別子が認識されない状況のうちの少なくとも１つを示すことに用いられることを特徴とする
請求項１０７に記載の方法。
【請求項１０９】
前記方法は、更に、
前記端末装置が前記返信メッセージに応答して、前記拒絶要因値に対応する前記第１ルールにおけるパラメータの値を調整することと、
前記端末装置が調整後の前記第１ルールに基づき、前記ネットワーク装置へ第２要求メッセージを送信することであって、前記第２要求メッセージが前記ネットワーク装置による第１ＰＤＵセッションにおける前記Ｍ個のデータフローのうちの少なくとも１つのデータフローのセッション確立を要求することに用いられることと、を含むことを特徴とする
請求項１０８に記載の方法。
【請求項１１０】
前記拒絶要因値に対応する前記第１ルールのパラメータは優先度を特徴づける複数の値を含み、前記端末装置が前記返信メッセージに応答して、前記拒絶要因値に対応する前記第１ルールのパラメータの値を調整することは、
前記端末装置が前記返信メッセージに応答して、前記拒絶要因値に対応する前記第１ＵＲＳＰのパラメータの値を、前回第１ＰＤＵセッション確立を開始する優先度より高い値に調整することを含むことを特徴とする
請求項１０９に記載の方法。
【請求項１１１】
前記返信メッセージには前記ネットワーク装置の推奨した前記拒絶要因値に対応する前記第１ルールのパラメータの値が含まれており、前記端末装置が前記返信メッセージに応答して、前記拒絶要因値に対応する前記第１ＵＲＳＰのパラメータの値を調整することは、
前記端末装置が前記拒絶要因値に対応する前記第１ルールのパラメータの値を、前記ネットワーク装置の推奨した前記拒絶要因値に対応する前記第１ルールのパラメータの値に調整することを含むことを特徴とする
請求項１０９に記載の方法。
【請求項１１２】
前記方法は、更に、
前記端末装置が前記ネットワーク装置から送信された前記ＵＲＳＰにおける前記少なくとも１つのルールのうちの第１ルール以外の第２ルール及び前記第１ルールの識別子を受信することを含み、
前記端末装置が第１ルールの識別子に基づき、前記第１ルールを取得することは、
前記端末装置が前記第２ルールに対応する第２ＰＤＵセッションを確立した後、前記第１ルールの識別子に基づき、ユーザープレーンを介して前記第１ルールを取得すること、又は
前記端末装置が前記第１ルールの識別子に基づき、前記ネットワーク装置が制御プレーンによって前記第１ルールを送信するようにトリガーすることを含むことを特徴とする
請求項１０３〜１１１のいずれか１項に記載の方法。
【請求項１１３】
前記方法は、更に、
前記端末装置がサーバの識別子を受信することを含み、
前記端末装置が前記第２ルールに対応する第２ＰＤＵセッションを確立した後、前記第１ルールの識別子に基づき、ユーザープレーンを介して前記第１ルールを取得することは、
前記端末装置が前記第２ルールに対応する第２ＰＤＵセッションを確立した後、前記第１ルールの識別子及び前記サーバの識別子に基づき、ユーザープレーンを介して前記第１ルールを取得することを含むことを特徴とする
請求項１１２に記載の方法。
【請求項１１４】
前記第２ルールの優先度が前記第１ルールの優先度より高いことを特徴とする
請求項１１２又は１１３に記載の方法。
【請求項１１５】
端末装置がユーザー装置ルート選択ポリシー（ＵＲＳＰ）における少なくとも１つのルールのそれぞれの識別子に基づき、それぞれ前記少なくとも１つのルールを取得することは、
前記端末装置がネットワーク登録を行うとき、前記端末装置が前記少なくとも１つのルールのそれぞれの識別子に基づき、前記少なくとも１つのルールを取得することを含むことを特徴とする
請求項１０３〜１１４のいずれか１項に記載の方法。
【請求項１１６】
データ伝送方法であって、
端末装置がネットワーク登録を行うとき、ネットワーク装置が複数のメッセージを通じて前記端末装置へユーザー装置ルート選択ポリシー（ＵＲＳＰ）における複数のルールを送信することを含むことを特徴とする、前記データ伝送方法。
【請求項１１７】
前記端末装置がネットワーク登録を行うとき、ネットワーク装置が複数のメッセージを通じて前記端末装置へユーザー装置ルート選択ポリシー（ＵＲＳＰ）における複数のルールを送信することは、
端末装置がネットワーク登録を行うとき、前記ネットワーク装置が前記複数のルールの優先度に基づき、順に制御プレーンの複数のメッセージを通じて前記端末装置へ前記複数のルールを送信することを含むことを特徴とする
請求項１１６に記載の方法。
【請求項１１８】
前記ネットワーク装置がポリシー制御機能（ＰＣＦ）装置であることを特徴とする
請求項１１６又は１１７に記載の方法。
【請求項１１９】
データ伝送方法であって、
端末装置が第２ルールに対応する第２ＰＤＵセッションを確立した後に第１ルールの識別子に基づいてユーザープレーンを介して前記第１ルールを取得するように、ネットワーク装置は、端末装置がネットワーク登録を行うときに、前記端末装置へユーザー装置ルート選択ポリシー（ＵＲＳＰ）における第１ルール以外の第２ルール及び前記第１ルールの識別子を送信することを含むことを特徴とする、前記データ伝送方法。
【請求項１２０】
前記方法は、更に、
前記端末装置が前記第２ルールに対応する第２ＰＤＵセッションを確立した後に前記第１ルールの識別子及び前記サーバの識別子に基づいてユーザープレーンを介して前記第１ルールを取得するように、前記ネットワーク装置は前記端末装置へサーバの識別子を送信することを含むことを特徴とする
請求項１１９に記載の方法。
【請求項１２１】
前記ネットワーク装置がポリシー制御機能（ＰＣＦ）装置であることを特徴とする
請求項１１９又は１２０に記載の方法。
【請求項１２２】
端末装置であって、
ネットワーク装置へ第１要求メッセージを送信するように構成される送信ユニットであって、前記第１要求メッセージが第１プロトコルデータユニット（ＰＤＵ）セッションにおいてＮ個のデータフローのセッション確立を行うように要求することに用いられる送信ユニットと、
前記ネットワーク装置から送信された前記第１要求メッセージの返信メッセージを受信するように構成される受信ユニットであって、前記返信メッセージが前記ネットワーク装置による前記第１ＰＤＵセッションにおける前記Ｎ個のデータフローのうちのＭ個のデータフローのセッション確立を拒絶することを示すことに用いられ、ＮとＭがいずれも正の整数であって、ＮがＭ以上である受信ユニットと、を備えることを特徴とする、前記端末装置。
【請求項１２３】
前記返信メッセージに拒絶要因値が含まれており、前記拒絶要因値は前記第１ＰＤＵセッションが前記Ｍ個のデータフローをサポートしないことを示すことに用いられることを特徴とする
請求項１２２に記載の端末装置。
【請求項１２４】
前記返信メッセージには前記Ｍ個のデータフローのうちの各データフローの識別子が含まれることを特徴とする
請求項１２２又は１２３に記載の端末装置。
【請求項１２５】
前記送信ユニットは、更に、前記返信メッセージに応答して、前記ネットワーク装置へ第２要求メッセージを送信することに用いられ、前記第２要求メッセージが第２ＰＤＵセッションにおいて前記Ｍ個のデータフローのうちの少なくとも１つのデータフローのセッション確立を行うように要求することに用いられることを特徴とする
請求項１２２〜１２４のいずれか１項に記載の端末装置。
【請求項１２６】
前記第１要求メッセージには前記第１ＰＤＵセッションの識別子が含まれており、前記第２要求メッセージには前記第２ＰＤＵセッションの識別子が含まれており、前記第２ＰＤＵセッションが前記第１ＰＤＵセッションの識別子を調整した後の前記第１ＰＤＵセッションであることを特徴とする
請求項１２５に記載の端末装置。
【請求項１２７】
前記端末装置は、更に、
前記Ｍ個のデータフローに基づき、前記第１ＰＤＵセッションではない前記第２ＰＤＵセッションの確立パラメータを調整するように構成される処理ユニットを備えることを特徴とする
請求項１２５に記載の端末装置。
【請求項１２８】
前記返信メッセージには前記第２ＰＤＵセッションの識別子が含まれることを特徴とする
請求項１２７に記載の端末装置。
【請求項１２９】
前記ネットワーク装置がセッション管理機能（ＳＭＦ）装置であることを特徴とする
請求項１２２〜１２８のいずれか１項に記載の端末装置。
【請求項１３０】
ネットワーク装置であって、
端末装置から送信された第１要求メッセージを受信するように構成される受信ユニットであって、前記第１要求メッセージが第１プロトコルデータユニット（ＰＤＵ）セッションにおいてＮ個のデータフローのセッション確立を行うように要求することに用いられる受信ユニットと、
前記端末装置へ前記第１要求メッセージの返信メッセージを送信するように構成される送信ユニットであって、前記返信メッセージが前記ネットワーク装置による前記第１ＰＤＵセッションにおける前記Ｎ個のデータフローのうちのＭ個のデータフローのセッション確立を拒絶することを示すことに用いられ、ＮとＭがいずれも正の整数であって、ＮがＭ以上である送信ユニットと、を備えることを特徴とする、前記ネットワーク装置。
【請求項１３１】
前記返信メッセージに拒絶要因値が含まれており、前記拒絶要因値は前記第１ＰＤＵセッションが前記Ｍ個のデータフローをサポートしないことを示すことに用いられることを特徴とする
請求項１３０に記載のネットワーク装置。
【請求項１３２】
前記返信メッセージには前記Ｍ個のデータフローのうちの各データフローの識別子が含まれることを特徴とする
請求項１３０又は１３１に記載のネットワーク装置。
【請求項１３３】
前記受信ユニットは、更に、前記端末装置から送信された第２要求メッセージを受信することに用いられ、前記第２要求メッセージが第２ＰＤＵセッションにおいて前記Ｍ個のデータフローのうちの少なくとも１つのデータフローのセッション確立を行うように要求することに用いられることを特徴とする
請求項１３０〜１３２のいずれか１項に記載のネットワーク装置。
【請求項１３４】
前記返信メッセージには前記ネットワーク装置の推奨した前記第１ＰＤＵセッションではない前記第２ＰＤＵセッションの識別子が含まれることを特徴とする
請求項１３０〜１３３のいずれか１項に記載のネットワーク装置。
【請求項１３５】
前記ネットワーク装置がセッション管理機能（ＳＭＦ）装置であり、前記ネットワーク装置は、更に、
前記第１要求メッセージに基づき、アクセスネットワーク装置による前記第１ＰＤＵセッションにおける前記Ｎ個のデータフローのセッション確立をトリガーするように構成される処理ユニットを備え、
前記受信ユニットは更に、前記アクセスネットワーク装置から送信された前記第１ＰＤＵセッションに対応するデータフローリストを受信するように構成され、前記データフローリストが前記Ｍ個のデータフロー又は前記第１ＰＤＵセッションの受信した前記Ｎ個のデータフローのうちの（Ｎ−Ｍ）個のデータフローを含むことを特徴とする
請求項１３０〜１３４のいずれか１項に記載のネットワーク装置。
【請求項１３６】
端末装置であって、
ユーザー装置ルート選択ポリシー（ＵＲＳＰ）における少なくとも１つのルールのそれぞれの識別子に基づき、それぞれ前記少なくとも１つのルールを取得するように構成される処理ユニットを備え、
前記処理ユニットは更に、前記少なくとも１つのルールに基づき、それぞれネットワーク装置に対して前記少なくとも１つのルールに１対１に対応する少なくとも１つのプロトコルデータユニット（ＰＤＵ）セッションの確立又は修正を開始するように構成されることを特徴とする、前記端末装置。
【請求項１３７】
前記少なくとも１つのルールが複数のルールであり、前記処理ユニットは、具体的に、
前記複数のルールの優先度に基づき、順に前記ネットワーク装置に対して前記複数のＰＤＵセッションの確立又は修正を開始することに用いられることを特徴とする
請求項１３６に記載の端末装置。
【請求項１３８】
前記少なくとも１つのルールのうちの第１ルールは無線アクセス技術（ＲＡＴ）、セッション及びサービスの連続性モード、単一のネットワークスライス選択補助情報（Ｓ−ＮＳＳＡＩ）、分割タイプ、データネットワーク名称（ＤＮＮ）、並びにデータフローフィルタのうちの少なくとも１つを含むことを特徴とする
請求項１３６又は１３７に記載の端末装置。
【請求項１３９】
前記少なくとも１つのパラメータのうちの第１パラメータは優先度を特徴づける複数の値を含み、前記処理ユニットは、具体的に、
前記複数の値の優先度に基づき、前記ネットワーク装置に対して第１ＰＤＵセッションの確立又は修正を開始することに用いられることを特徴とする
請求項１３８に記載の端末装置。
【請求項１４０】
前記処理ユニットは、更に、前記第１ルールに基づき、前記ネットワーク装置へ第１要求メッセージを送信することに用いられ、前記第１要求メッセージが前記ネットワーク装置による前記第１ＰＤＵセッションにおけるＮ個のデータフローのセッション確立を要求することに用いられ、
前記処理ユニットが前記第１ルールに基づき、前記ネットワーク装置に対して第１ＰＤＵセッションの確立又は修正を開始した後、前記端末装置は、更に、
前記ネットワーク装置から送信された前記第１要求メッセージの返信メッセージを受信するように構成される受信ユニットであって、前記返信メッセージが前記ネットワーク装置による前記第１ＰＤＵセッションにおける前記Ｎ個のデータフローのうちのＭ個のデータフローのセッション確立を拒絶することを示すことに用いられ、ＮとＭがいずれも正の整数であって、ＮがＭ以上である受信ユニットを備えることを特徴とする
請求項１３７〜１３９のいずれか１項に記載の端末装置。
【請求項１４１】
前記返信メッセージに拒絶要因値が含まれており、前記拒絶要因値は、ＰＤＵセッションがサポートされない、ＲＡＴアクセスが許容されない、セッション及びサービスの連続性を満足しない、Ｓ−ＮＳＳＡＩがエラーになる、ＤＮＮがサポートされない、並びにＰＤＵセッション識別子が認識されない状況のうちの少なくとも１つを示すことに用いられることを特徴とする
請求項１４０に記載の端末装置。
【請求項１４２】
前記端末装置は、更に、
前記返信メッセージに応答して、前記拒絶要因値に対応する前記第１ルールにおけるパラメータの値を調整するように更に構成される前記処理ユニットと、
調整後の前記第１ルールに基づき、前記ネットワーク装置へ第２要求メッセージを送信するように構成される送信ユニットであって、前記第２要求メッセージが前記ネットワーク装置による第１ＰＤＵセッションにおける前記Ｍ個のデータフローのうちの少なくとも１つのデータフローのセッション確立を要求することに用いられる送信ユニットと、を備えることを特徴とする
請求項１４１に記載の端末装置。
【請求項１４３】
前記拒絶要因値に対応する前記第１ルールのパラメータは優先度を特徴づける複数の値を含み、前記処理ユニットは、更に、前記返信メッセージに応答して、前記拒絶要因値に対応する前記第１ＵＲＳＰのパラメータの値を、前回第１ＰＤＵセッション確立を開始する優先度より高い値に調整することに用いられることを特徴とする
請求項１４２に記載の端末装置。
【請求項１４４】
前記返信メッセージには前記ネットワーク装置の推奨した前記拒絶要因値に対応する前記第１ルールのパラメータの値が含まれており、前記処理ユニットが前記返信メッセージに応答して、前記拒絶要因値に対応する前記第１ＵＲＳＰのパラメータの値を調整することは、
前記処理ユニットが前記拒絶要因値に対応する前記第１ルールのパラメータの値を、前記ネットワーク装置の推奨した前記拒絶要因値に対応する前記第１ルールのパラメータの値に調整することを含むことを特徴とする
請求項１４２に記載の端末装置。
【請求項１４５】
前記端末装置は、更に、
前記ネットワーク装置から送信された前記ＵＲＳＰにおける前記少なくとも１つのルールのうちの第１ルール以外の第２ルール及び前記第１ルールの識別子を受信するように構成される受信ユニットを備え、
前記処理ユニットが第１ルールの識別子に基づき、前記第１ルールを取得することは、
前記処理ユニットが前記第２ルールに対応する第２ＰＤＵセッションを確立した後、前記第１ルールの識別子に基づき、ユーザープレーンを介して前記第１ルールを取得すること、又は
前記処理ユニットが前記第１ルールの識別子に基づき、前記ネットワーク装置が制御プレーンによって前記第１ルールを送信するようにトリガーすることを含むことを特徴とする
請求項１３６〜１４４のいずれか１項に記載の端末装置。
【請求項１４６】
前記受信ユニットは、更に、サーバの識別子を受信することに用いられ、
前記処理ユニットが前記第２ルールに対応する第２ＰＤＵセッションを確立した後、前記第１ルールの識別子に基づき、ユーザープレーンを介して前記第１ルールを取得することは、
前記処理ユニットが前記第２ルールに対応する第２ＰＤＵセッションを確立した後、前記第１ルールの識別子及び前記サーバの識別子に基づき、ユーザープレーンを介して前記第１ルールを取得することを含むことを特徴とする
請求項１４５に記載の端末装置。
【請求項１４７】
前記第２ルールの優先度が前記第１ルールの優先度より高いことを特徴とする
請求項１４５又は１４６に記載の端末装置。
【請求項１４８】
前記処理ユニットがユーザー装置ルート選択ポリシー（ＵＲＳＰ）における少なくとも１つのルールのそれぞれの識別子に基づき、それぞれ前記少なくとも１つのルールを取得することは、
前記端末装置がネットワーク登録を行うとき、前記処理ユニットが前記少なくとも１つのルールのそれぞれの識別子に基づき、前記少なくとも１つのルールを取得することを含むことを特徴とする
請求項１３６〜１４７のいずれか１項に記載の端末装置。
【請求項１４９】
ネットワーク装置であって、
端末装置がネットワーク登録を行うとき、複数のメッセージを通じて前記端末装置へユーザー装置ルート選択ポリシー（ＵＲＳＰ）における複数のルールを送信するように構成される送信ユニットを備えることを特徴とする、前記ネットワーク装置。
【請求項１５０】
前記端末装置がネットワーク登録を行うとき、前記処理ユニットは、具体的に、
端末装置がネットワーク登録を行うとき、前記複数のルールの優先度に基づき、順に制御プレーンの複数のメッセージを通じて前記端末装置へ前記複数のルールを送信することに用いられることを特徴とする
請求項１４９に記載のネットワーク装置。
【請求項１５１】
前記ネットワーク装置がポリシー制御機能（ＰＣＦ）装置であることを特徴とする
請求項１４９又は１５０に記載のネットワーク装置。
【請求項１５２】
ネットワーク装置であって、
端末装置が第２ルールに対応する第２ＰＤＵセッションを確立した後に第１ルールの識別子に基づいてユーザープレーンを介して前記第１ルールを取得するように、端末装置がネットワーク登録を行うときに、前記端末装置へユーザー装置ルート選択ポリシー（ＵＲＳＰ）における第１ルール以外の第２ルール及び前記第１ルールの識別子を送信するように構成される送信ユニットを備えることを特徴とする、前記ネットワーク装置。
【請求項１５３】
前記送信ユニットは、更に、前記端末装置が前記第２ルールに対応する第２ＰＤＵセッションを確立した後に前記第１ルールの識別子及び前記サーバの識別子に基づいてユーザープレーンを介して前記第１ルールを取得するように、前記端末装置へサーバの識別子を送信することに用いられることを特徴とする
請求項１５２に記載のネットワーク装置。
【請求項１５４】
前記ネットワーク装置がポリシー制御機能（ＰＣＦ）装置であることを特徴とする
請求項１５２又は１５３に記載のネットワーク装置。
【請求項１５５】
プロセッサ及びメモリを備える端末装置であって、
前記メモリはコンピュータプログラムを記憶することに用いられ、前記プロセッサは前記メモリに記憶されるコンピュータプログラムを呼び出して実行し、請求項１〜１１のいずれか１項に記載の方法を実行することに用いられることを特徴とする、前記端末装置。
【請求項１５６】
プロセッサ及びメモリを備える端末装置であって、
前記メモリはコンピュータプログラムを記憶することに用いられ、前記プロセッサは前記メモリに記憶されるコンピュータプログラムを呼び出して実行し、請求項１２〜２１のいずれか１項に記載の方法を実行することに用いられることを特徴とする、前記端末装置。
【請求項１５７】
セッション管理機能（ＳＭＦ）装置であって、
プロセッサ及びメモリを備え、前記メモリはコンピュータプログラムを記憶することに用いられ、前記プロセッサは前記メモリに記憶されるコンピュータプログラムを呼び出して実行し、請求項２２〜３４のいずれか１項に記載の方法を実行することに用いられることを特徴とする、前記セッション管理機能（ＳＭＦ）装置。
【請求項１５８】
セッション管理機能（ＳＭＦ）装置であって、
プロセッサ及びメモリを備え、前記メモリはコンピュータプログラムを記憶することに用いられ、前記プロセッサは前記メモリに記憶されるコンピュータプログラムを呼び出して実行し、請求項３５〜４４のいずれか１項に記載の方法を実行することに用いられることを特徴とする、前記セッション管理機能（ＳＭＦ）装置。
【請求項１５９】
プロセッサを備えるチップであって、
前記プロセッサはメモリからコンピュータプログラムを呼び出して実行して、前記チップを取り付けた装置に、請求項１〜１１のいずれか１項に記載の方法を実行させることを特徴とする、前記チップ。
【請求項１６０】
プロセッサを備えるチップであって、
前記プロセッサはメモリからコンピュータプログラムを呼び出して実行して、前記チップを取り付けた装置に、請求項１２〜２１のいずれか１項に記載の方法を実行させることを特徴とする、前記チップ。
【請求項１６１】
プロセッサを備えるチップであって、
前記プロセッサはメモリからコンピュータプログラムを呼び出して実行して、前記チップを取り付けた装置に、請求項２２〜３４のいずれか１項に記載の方法を実行させることを特徴とする、前記チップ。
【請求項１６２】
プロセッサを備えるチップであって、
前記プロセッサはメモリからコンピュータプログラムを呼び出して実行して、前記チップを取り付けた装置に、請求項３５〜４４のいずれか１項に記載の方法を実行させることを特徴とする、前記チップ。
【請求項１６３】
コンピュータプログラムを記憶するように構成されるコンピュータ可読記憶媒体であって、
前記コンピュータプログラムが、コンピュータに請求項１〜１１のいずれか１項に記載の方法を実行させることを特徴とする、前記コンピュータ可読記憶媒体。
【請求項１６４】
コンピュータプログラムを記憶するように構成されるコンピュータ可読記憶媒体であって、
前記コンピュータプログラムが、コンピュータに請求項１２〜２１のいずれか１項に記載の方法を実行させることを特徴とする、前記コンピュータ可読記憶媒体。
【請求項１６５】
コンピュータプログラムを記憶するように構成されるコンピュータ可読記憶媒体であって、
前記コンピュータプログラムが、コンピュータに請求項２２〜３４のいずれか１項に記載の方法を実行させることを特徴とする、前記コンピュータ可読記憶媒体。
【請求項１６６】
コンピュータプログラムを記憶するように構成されるコンピュータ可読記憶媒体であって、
前記コンピュータプログラムが、コンピュータに請求項３５〜４４のいずれか１項に記載の方法を実行させることを特徴とする、前記コンピュータ可読記憶媒体。
【請求項１６７】
コンピュータプログラム命令を含むコンピュータプログラム製品であって、
前記コンピュータプログラム命令が、コンピュータに請求項１〜１１のいずれか１項に記載の方法を実行させることを特徴とする、前記コンピュータプログラム製品。
【請求項１６８】
コンピュータプログラム命令を含むコンピュータプログラム製品であって、
前記コンピュータプログラム命令が、コンピュータに請求項１２〜２１のいずれか１項に記載の方法を実行させることを特徴とする、前記コンピュータプログラム製品。
【請求項１６９】
コンピュータプログラム命令を含むコンピュータプログラム製品であって、
前記コンピュータプログラム命令が、コンピュータに請求項２２〜３４のいずれか１項に記載の方法を実行させることを特徴とする、前記コンピュータプログラム製品。
【請求項１７０】
コンピュータプログラム命令を含むコンピュータプログラム製品であって、
前記コンピュータプログラム命令が、コンピュータに請求項３５〜４４のいずれか１項に記載の方法を実行させることを特徴とする、前記コンピュータプログラム製品。
【請求項１７１】
コンピュータプログラムであって、
前記コンピュータプログラムが、コンピュータに請求項１〜１１のいずれか１項に記載の方法を実行させることを特徴とする、前記コンピュータプログラム。
【請求項１７２】
コンピュータプログラムであって、
前記コンピュータプログラムが、コンピュータに請求項１２〜２１のいずれか１項に記載の方法を実行させることを特徴とする、前記コンピュータプログラム。
【請求項１７３】
コンピュータプログラムであって、
前記コンピュータプログラムが、コンピュータに請求項２２〜３４のいずれか１項に記載の方法を実行させることを特徴とする、前記コンピュータプログラム。
【請求項１７４】
コンピュータプログラムであって、
前記コンピュータプログラムが、コンピュータに請求項３５〜４４のいずれか１項に記載の方法を実行させることを特徴とする、前記コンピュータプログラム。
【発明の詳細な説明】
【技術分野】
【０００１】
（関連出願の相互参照）
本願は、２０１７年１０月２０日に提出した中国特許出願第ＰＣＴ／ＣＮ２０１７／１０７１６８号、発明の名称「データ伝送方法、端末装置及びネットワーク装置」のＰＣＴ出願の優先権、及び２０１７年１１月１７日に提出した中国特許出願第ＰＣＴ／ＣＮ２０１７／１１１６８８号、発明の名称「データ伝送方法、端末装置及びネットワーク装置」のＰＣＴ出願の優先権を主張し、その全ての内容が援用により本願に取り込まれる。
【０００２】
本願の実施例は通信分野に関し、より具体的に、データ伝送方法、端末装置及びセッション管理機能（ＳＭＦ）装置に関する。
【背景技術】
【０００３】
無線通信ネットワークにおいて、端末装置はプロトコルデータユニット（ＰＤＵ：Ｐｒｏｔｏｃｏｌ  Ｄａｔａ  Ｕｎｉｔ）セッションの確立過程を完了しなければ、関連するサービスを行うことができない。セッション管理機能（ＳＭＦ：Ｓｅｓｓｉｏｎ  Ｍａｎａｇｅｍｅｎｔ  Ｆｕｎｃｔｉｏｎ）装置は端末装置から送信された確立パラメータに基づいてＰＤＵセッションの確立を行う必要があり、確立に失敗すると、ＰＤＵセッション確立を改めて開始することを端末装置に通知する。従来技術における解決手段はシグナリングオーバーヘッドを増加させ、ＰＤＵセッション確立に成功する可能性を低減する恐れがある。
【発明の概要】
【発明が解決しようとする課題】
【０００４】
これに鑑みて、本願の実施例はシグナリングオーバーヘッドの低減に役立つとともに、ＰＤＵセッションに成功する確率を向上させるデータ伝送方法、端末装置及びセッション管理機能（ＳＭＦ）装置を提供する。
【課題を解決するための手段】
【０００５】
第１態様に係るデータ伝送方法であって、端末装置がセッション管理機能（ＳＭＦ）装置へ第１プロトコルデータユニット（ＰＤＵ）セッションの確立要求メッセージを送信し、前記第１ＰＤＵセッションの確立要求メッセージには前記第１ＰＤＵセッションを確立するための少なくとも１つのパラメータのパラメータ値リスト及び／又はパラメータ値組み合わせリストが含まれることを含む。
【０００６】
ＳＭＦ装置へＰＤＵセッションの確立パラメータのパラメータ値リスト及び／又はパラメータ値組み合わせリストを送信することにより、ＳＭＦ装置がパラメータ値を柔軟に選択でき、それによりＰＤＵセッション確立に成功する確率の向上に役立つ。
【０００７】
可能な実施の形態では、前記パラメータ値リストにおける第１パラメータのパラメータ値は複数の値を含み、前記複数の値が優先度を有する。
【０００８】
可能な実施の形態では、前記パラメータ値組み合わせリストにおける第１パラメータ値組み合わせは少なくとも１つの前記パラメータのうちの各パラメータの１つの値を含む。
【０００９】
可能な実施の形態では、前記パラメータ値組み合わせリストは複数組のパラメータ値組み合わせを含み、前記複数組のパラメータ値組み合わせが優先度を有する。
【００１０】
可能な実施の形態では、前記ＰＤＵセッションを確立するための少なくとも１つのパラメータは無線アクセス技術（ＲＡＴ）のタイプ、セッション及びサービスの連続性モード、単一のネットワークスライス選択補助情報（Ｓ−ＮＳＳＡＩ）、並びにデータネットワーク名称（ＤＮＮ）のうちの少なくとも１つを含む。
【００１１】
可能な実施の形態では、前記ＲＡＴのタイプは新無線（ＮＲ）、ロングタームエボリューション（ＬＴＥ）、モバイル通信用グローバル（ＧＳＭ）、符号分割多元接続（ＣＤＭＡ）、汎用パケット無線サービス（ＧＰＲＳ）、無線ローカルエリアネットワーク（ＷＬＡＮ）及び衛星アクセス技術のうちの少なくとも１つを含む。
【００１２】
可能な実施の形態では、前記ＲＡＴのタイプは第３世代移動体通信システムの標準化プロジェクト（３ＧＰＰ）及び非３ＧＰＰ技術のうちの少なくとも１つを含む。
【００１３】
可能な実施の形態では、前記方法は、更に、前記端末装置が前記ＳＭＦ装置から送信された返信メッセージを受信し、前記返信メッセージには前記第１ＰＤＵセッションの確立に失敗した要因値が含まれることを含む。
【００１４】
可能な実施の形態では、前記要因値は前記パラメータ値リストにおける前記第１パラメータのパラメータ値がいずれも確立要件を満足しないことを示すことに用いられる。
【００１５】
可能な実施の形態では、前記返信メッセージには更に前記ＳＭＦ装置の推奨した前記第１パラメータの値が含まれる。
【００１６】
可能な実施の形態では、前記方法は、更に、前記端末装置が前記返信メッセージに応答して、前記ＳＭＦ装置へ第２ＰＤＵセッションの確立要求メッセージ又は確立されたＰＤＵセッションの修正要求メッセージを送信することを含む。
【００１７】
第２態様に係るデータ伝送方法であって、端末装置がセッション管理機能（ＳＭＦ）装置へ第１プロトコルデータユニット（ＰＤＵ）セッションの確立要求メッセージを送信することと、前記端末装置が前記ＳＭＦ装置から送信された返信メッセージを受信し、前記返信メッセージには前記第１ＰＤＵセッションの確立に失敗した要因値が含まれることと、を含む。
【００１８】
端末装置へセッション確立状況をフィードバックすることにより、端末装置がセッション確立ポリシーを直ちに調整でき、それにより通信システムの性能の向上に役立つ。
【００１９】
可能な実施の形態では、該第１ＰＤＵセッションの確立要求メッセージには該第１ＰＤＵセッションを確立するための少なくとも１つのパラメータのパラメータ値リスト及び／又はパラメータ値組み合わせリストが含まれる。
【００２０】
可能な実施の形態では、該パラメータ値リストにおける第１パラメータのパラメータ値は複数の値を含み、該複数の値が優先度を有する。
【００２１】
可能な実施の形態では、該要因値は該パラメータ値リストにおける該第１パラメータのパラメータ値がいずれも確立要件を満足しないことを示すことに用いられる。
【００２２】
可能な実施の形態では、該返信メッセージには更に該ＳＭＦ装置の推奨した該第１パラメータの値が含まれる。
【００２３】
可能な実施の形態では、該パラメータ値組み合わせリストにおける第１パラメータ値組み合わせは少なくとも１つの該パラメータのうちの各パラメータの１つの値を含む。
【００２４】
可能な実施の形態では、該パラメータ値組み合わせリストは複数組のパラメータ値組み合わせを含み、該複数組のパラメータ値組み合わせが優先度を有する。
【００２５】
可能な実施の形態では、該第１ＰＤＵセッションを確立するための該パラメータは無線アクセス技術（ＲＡＴ）のタイプ、セッション及びサービスの連続性モード、単一のネットワークスライス選択補助情報（Ｓ−ＮＳＳＡＩ）、並びにデータネットワーク名称（ＤＮＮ）のうちの少なくとも１つを含む。
【００２６】
可能な実施の形態では、該方法は、更に、該端末装置が該返信メッセージに応答して、該ＳＭＦ装置へ新たなＰＤＵセッションの確立要求メッセージを送信することを含む。
【００２７】
可能な実施の形態では、該端末装置が該返信メッセージに応答して、該ＳＭＦ装置へ新たなＰＤＵセッションの確立要求メッセージを送信することは、該端末装置が該返信メッセージに応答して、ＰＤＵセッションを確立するための少なくとも１つのパラメータのパラメータ値リストに基づき、該ＳＭＦ装置へ該新たなＰＤＵセッションの確立要求メッセージを送信することを含む。
【００２８】
第３態様に係るデータ伝送方法であって、セッション管理機能（ＳＭＦ）装置が端末装置から送信された第１プロトコルデータユニット（ＰＤＵ）セッションの確立要求メッセージを受信することであって、該第１ＰＤＵセッションの確立要求メッセージには該第１ＰＤＵセッションを確立するための少なくとも１つのパラメータのパラメータ値リスト及び／又はパラメータ値組み合わせリストが含まれることと、該ＳＭＦ装置が該パラメータ値リスト及び／又は該パラメータ値組み合わせリストに基づき、該第１ＰＤＵセッションの確立を行うことと、を含む。
【００２９】
可能な実施の形態では、該パラメータ値リストにおける第１パラメータのパラメータ値リストは複数の値を含み、該複数の値が優先度を有する。
【００３０】
可能な実施の形態では、該方法は、更に、該ＳＭＦ装置が該端末装置へ返信メッセージを送信し、該返信メッセージには該第１ＰＤＵセッション確立に失敗した要因値が含まれることを含む。
【００３１】
可能な実施の形態では、該要因値は該パラメータ値リストにおける第１パラメータのパラメータ値がいずれも確立要件を満足しないことを示すことに用いられる。
【００３２】
可能な実施の形態では、該返信メッセージには更に該ＳＭＦ装置の推奨した該第１パラメータの値が含まれる。
【００３３】
可能な実施の形態では、該ＳＭＦ装置が該端末装置へ返信メッセージを送信した後、該方法は、更に、該ＳＭＦ装置が該端末装置から送信された第２ＰＤＵセッションの確立要求メッセージ又は確立されたＰＤＵセッションの修正要求メッセージを受信することを含む。
【００３４】
可能な実施の形態では、該パラメータ値組み合わせリストにおける第１パラメータ値組み合わせは少なくとも１つの該パラメータのうちの各パラメータの１つの値を含む。
【００３５】
可能な実施の形態では、該パラメータ値組み合わせリストは複数組のパラメータ値組み合わせを含み、該複数組のパラメータ値組み合わせが優先度を有する。
【００３６】
可能な実施の形態では、該方法は、更に、該パラメータ値組み合わせリストにおける第１パラメータ値組み合わせが要件を満足しない場合、該ＳＭＦ装置が該パラメータ値組み合わせリストにおける第２パラメータ値組み合わせに基づき、該第１ＰＤＵセッションの確立を行うことを含む。
【００３７】
可能な実施の形態では、該第１パラメータ値組み合わせの優先度が該第２パラメータ値組み合わせより高い。
【００３８】
可能な実施の形態では、該ＰＤＵセッションを確立するための少なくとも１つのパラメータは無線アクセス技術（ＲＡＴ）のタイプ、セッション及びサービスの連続性モード、単一のネットワークスライス選択補助情報（Ｓ−ＮＳＳＡＩ）、並びにデータネットワーク名称（ＤＮＮ）のうちの少なくとも１つを含む。
【００３９】
可能な実施の形態では、該ＲＡＴのタイプは新無線（ＮＲ）、ロングタームエボリューション（ＬＴＥ）、モバイル通信用グローバル（ＧＳＭ）、符号分割多元接続（ＣＤＭＡ）、汎用パケット無線サービス（ＧＰＲＳ）、無線ローカルエリアネットワーク（ＷＬＡＮ）及び衛星アクセス技術のうちの少なくとも１つを含む。
【００４０】
可能な実施の形態では、該ＲＡＴのタイプは第３世代移動体通信システムの標準化プロジェクト（３ＧＰＰ）及び非３ＧＰＰ技術のうちの少なくとも１つを含む。
【００４１】
第４態様に係るデータ伝送方法であって、セッション管理機能（ＳＭＦ）装置が端末装置から送信された第１プロトコルデータユニット（ＰＤＵ）セッションの確立要求メッセージを受信することと、該ＳＭＦ装置が該端末装置へ返信メッセージを送信することであって、該返信メッセージには該第１ＰＤＵセッション確立に失敗した要因値が含まれることと、を含む。
【００４２】
可能な実施の形態では、該第１ＰＤＵセッションの確立要求メッセージには該第１ＰＤＵセッションを確立するための少なくとも１つのパラメータのパラメータ値リスト及び／又はパラメータ値組み合わせリストが含まれる。
【００４３】
可能な実施の形態では、該パラメータ値リストにおける第１パラメータのパラメータ値は複数の値を含み、該複数の値が優先度を有する。
【００４４】
可能な実施の形態では、該要因値は該パラメータ値リストにおける該第１パラメータのパラメータ値がいずれも確立要件を満足しないことを示すことに用いられる。
【００４５】
可能な実施の形態では、該返信メッセージには更に該ＳＭＦ装置の推奨した該第１パラメータの値が含まれる。
【００４６】
可能な実施の形態では、該パラメータ値組み合わせリストにおける第１パラメータ値組み合わせは少なくとも１つの該パラメータのうちの各パラメータの１つの値を含む。
【００４７】
可能な実施の形態では、該パラメータ値組み合わせリストは複数組のパラメータ値組み合わせを含み、該複数組のパラメータ値組み合わせが優先度を有する。
【００４８】
可能な実施の形態では、該方法は、更に、該パラメータ値組み合わせリストにおける第１パラメータ値組み合わせが要件を満足しない場合、該ＳＭＦ装置が該パラメータ値組み合わせリストにおける第２パラメータ値組み合わせに基づき、該第１ＰＤＵセッションの確立を行うことを含む。
【００４９】
可能な実施の形態では、該第１パラメータ値組み合わせの優先度が該第２パラメータ値組み合わせより高い。
【００５０】
可能な実施の形態では、該ＰＤＵセッションを確立するための少なくとも１つのパラメータは無線アクセス技術（ＲＡＴ）のタイプ、セッション及びサービスの連続性モード、単一のネットワークスライス選択補助情報（Ｓ−ＮＳＳＡＩ）、並びにデータネットワーク名称（ＤＮＮ）のうちの少なくとも１つを含む。
【００５１】
第５態様に係る端末装置であって、上記第１態様又は第１態様のいずれか１つの可能な実施の形態に係る方法を実行することに用いられる。具体的に、該端末装置は上記第１態様又は第１態様のいずれか１つの可能な実施の形態に係る方法を実行するためのユニットを備える。
【００５２】
第６態様に係る端末装置であって、上記第２態様又は第２態様のいずれか１つの可能な実施の形態に係る方法を実行することに用いられる。具体的に、該端末装置は上記第２態様又は第２態様のいずれか１つの可能な実施の形態に係る方法を実行するためのユニットを備える。
【００５３】
第７態様に係るＳＭＦ装置であって、上記第３態様又は第３態様のいずれか１つの可能な実施の形態に係る方法を実行することに用いられる。具体的に、該ＳＭＦ装置は上記第３態様又は第３態様のいずれか１つの可能な実施の形態に係る方法を実行するためのユニットを備える。
【００５４】
第８態様に係るＳＭＦ装置であって、上記第４態様又は第４態様のいずれか１つの可能な実施の形態に係る方法を実行することに用いられる。具体的に、該ＳＭＦ装置は上記第４態様又は第４態様のいずれか１つの可能な実施の形態に係る方法を実行するためのユニットを備える。
【００５５】
第９態様に係る端末装置であって、メモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行し、上記第１態様又は第１態様のいずれか１つの可能な実施の形態に係る方法を実行することに用いられる。
【００５６】
第１０態様に係る端末装置であって、メモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行し、上記第２態様又は第２態様のいずれか１つの可能な実施の形態に係る方法を実行することに用いられる。
【００５７】
第１１態様に係るＳＭＦ装置であって、メモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行し、上記第３態様又は第３態様のいずれか１つの可能な実施の形態に係る方法を実行することに用いられる。
【００５８】
第１２態様に係るＳＭＦ装置であって、メモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行し、上記第４態様又は第４態様のいずれか１つの可能な実施の形態に係る方法を実行することに用いられる。
【００５９】
第１３態様に係るデータ伝送方法であって、端末装置がネットワーク装置へ第１要求メッセージを送信し、該第１要求メッセージが第１プロトコルデータユニット（ＰＤＵ）セッションにおいてＮ個のデータフローのセッション確立を行うように要求することに用いられることと、該端末装置が該ネットワーク装置から送信された該第１要求メッセージの返信メッセージを受信し、該返信メッセージが該ネットワーク装置による該第１ＰＤＵセッションにおける該Ｎ個のデータフローのうちのＭ個のデータフローのセッション確立を拒絶することを示すことに用いられ、ＮとＭがいずれも正の整数であって、ＮがＭ以上であることと、を含む。
【００６０】
ネットワーク装置が端末装置へセッション確立状況をフィードバックすることにより、端末装置がセッション確立ポリシーを直ちに調整でき、それにより通信システムの性能の向上に役立つ。
【００６１】
可能な実施の形態では、該返信メッセージに拒絶要因値が含まれており、該拒絶要因値は該第１ＰＤＵセッションが該Ｍ個のデータフローをサポートしないことを示すことに用いられる。
【００６２】
返信メッセージに拒絶要因値を含ませることにより、端末装置が返信メッセージに基づいてＰＤＵセッションのサポートしないためであることを把握した後、端末装置はＰＤＵセッションを適切に調整して、ネットワーク装置に対してセッション確立又は修正を再び開始してもよい。更にＰＤＵセッション確立に成功する可能性を向上させることができる。
【００６３】
可能な実施の形態では、該返信メッセージには該Ｍ個のデータフローのうちの各データフローの識別子が含まれる。
【００６４】
可能な実施の形態では、該方法は、更に、該端末装置が該返信メッセージに応答して、該ネットワーク装置へ第２要求メッセージを送信し、該第２要求メッセージが第２ＰＤＵセッションにおいて該Ｍ個のデータフローのうちの少なくとも１つのデータフローのセッション確立を行うように要求することに用いられることを含む。
【００６５】
可能な実施の形態では、該第１要求メッセージには該第１ＰＤＵセッションの識別子が含まれており、該第２要求メッセージには該第２ＰＤＵセッションの識別子が含まれており、該第２ＰＤＵセッションが該第１ＰＤＵセッションの識別子を調整した後の該第１ＰＤＵセッションである。
【００６６】
可能な実施の形態では、該端末装置が該返信メッセージに応答する前に、該方法は、更に、該端末装置が該Ｍ個のデータフローに基づき、該第１ＰＤＵセッションではない該第２ＰＤＵセッションの確立パラメータを調整することを含む。
【００６７】
可能な実施の形態では、該返信メッセージには該第２ＰＤＵセッションの識別子が含まれる。
【００６８】
可能な実施の形態では、該ネットワーク装置がセッション管理機能（ＳＭＦ）装置である。
【００６９】
第１４態様に係るデータ伝送方法であって、ネットワーク装置が端末装置から送信された第１要求メッセージを受信し、該第１要求メッセージが第１プロトコルデータユニット（ＰＤＵ）セッションにおいてＮ個のデータフローのセッション確立を行うように要求することに用いられることと、該ネットワーク装置が該端末装置へ該第１要求メッセージの返信メッセージを送信し、該返信メッセージが該ネットワーク装置による該第１ＰＤＵセッションにおける該Ｎ個のデータフローのうちのＭ個のデータフローのセッション確立を拒絶することを示すことに用いられ、ＮとＭがいずれも正の整数であって、ＮがＭ以上であることと、を含む。
【００７０】
可能な実施の形態では、該返信メッセージに拒絶要因値が含まれており、該拒絶要因値は該第１ＰＤＵセッションが該Ｍ個のデータフローをサポートしないことを示すことに用いられる。
【００７１】
可能な実施の形態では、該返信メッセージには該Ｍ個のデータフローのうちの各データフローの識別子が含まれる。
【００７２】
可能な実施の形態では、該方法は、更に、該ネットワーク装置が該端末装置から送信された第２要求メッセージを受信し、該第２要求メッセージが第２ＰＤＵセッションにおいて該Ｍ個のデータフローのうちの少なくとも１つのデータフローのセッション確立を行うように要求することに用いられることを含む。
【００７３】
可能な実施の形態では、該返信メッセージには該ネットワーク装置の推奨した該第１ＰＤＵセッションではない該第２ＰＤＵセッションの識別子が含まれる。
【００７４】
可能な実施の形態では、該ネットワーク装置がセッション管理機能（ＳＭＦ）装置であり、該方法は、更に、該ＳＭＦ装置が該第１要求メッセージに基づき、アクセスネットワーク装置による該第１ＰＤＵセッションにおける該Ｎ個のデータフローのセッション確立をトリガーすることと、該ＳＭＦ装置が該アクセスネットワーク装置から送信された該第１ＰＤＵセッションに対応するデータフローリストを受信することであって、該データフローリストが該Ｍ個のデータフロー又は該第１ＰＤＵセッションの受信した該Ｎ個のデータフローのうちの（Ｎ−Ｍ）個のデータフローを含むことと、を含む。
【００７５】
第１５態様に係るデータ伝送方法であって、端末装置がユーザー装置ルート選択ポリシー（ＵＲＳＰ）における少なくとも１つのルールのそれぞれの識別子に基づき、それぞれ該少なくとも１つのルールを取得することと、該端末装置が該少なくとも１つのルールに基づき、それぞれネットワーク装置に対して該少なくとも１つのルールに１対１に対応する少なくとも１つのプロトコルデータユニット（ＰＤＵ）セッションの確立又は修正を開始することと、を含む。
【００７６】
ルール識別子を導入することにより、端末装置はネットワーク装置がすべてのルールを端末装置に１回で送信することなく、ルール識別子に基づいてあるルールを取得することができ、ネットワーク装置の負荷を低減して、通信柔軟性を向上させる。
【００７７】
可能な実施の形態では、該少なくとも１つのルールが複数のルールであり、該端末装置が該複数のルールに基づき、それぞれネットワーク装置に対して該複数のルールに１対１に対応する複数のプロトコルデータユニット（ＰＤＵ）セッションの確立又は修正を開始することは、該端末装置が該複数のルールの優先度に基づき、順に該ネットワーク装置に対して該複数のＰＤＵセッションの確立又は修正を開始することを含む。
【００７８】
好ましくは、各ルールの識別子により各ルールの優先順位を特徴づけてもよい。
【００７９】
可能な実施の形態では、該少なくとも１つのルールのうちの第１ルールは無線アクセス技術（ＲＡＴ）、セッション及びサービスの連続性モード、単一のネットワークスライス選択補助情報（Ｓ−ＮＳＳＡＩ）、分割タイプ、データネットワーク名称（ＤＮＮ）、並びにデータフローフィルタのうちの少なくとも１つを含む。
【００８０】
可能な実施の形態では、該少なくとも１つのパラメータのうちの第１パラメータは優先度を特徴づける複数の値を含み、該端末装置が該第１ルールに基づき、ネットワーク装置に対して第１プロトコルデータユニット（ＰＤＵ）セッションの確立又は修正を開始することは、該端末装置が該複数の値の優先度に基づき、該ネットワーク装置に対して第１ＰＤＵセッションの確立又は修正を開始することを含む。
【００８１】
可能な実施の形態では、該端末装置が該少なくとも１つのルールのうちの第１ルールに基づき、ネットワーク装置に対して第１プロトコルデータユニット（ＰＤＵ）セッションの確立又は修正を開始することは、該端末装置が該第１ルールに基づき、該ネットワーク装置へ第１要求メッセージを送信し、該第１要求メッセージが該ネットワーク装置による該第１ＰＤＵセッションにおけるＮ個のデータフローのセッション確立を要求することに用いられることを含み、該端末装置が該第１ルールに基づき、該ネットワーク装置に対して第１ＰＤＵセッションの確立又は修正を開始した後、該方法は、更に、該端末装置が該ネットワーク装置から送信された該第１要求メッセージの返信メッセージを受信し、該返信メッセージが該ネットワーク装置による該第１ＰＤＵセッションにおける該Ｎ個のデータフローのうちのＭ個のデータフローのセッション確立を拒絶することを示すことに用いられ、ＮとＭがいずれも正の整数であって、ＮがＭ以上であることを含む。
【００８２】
可能な実施の形態では、該返信メッセージに拒絶要因値が含まれており、該拒絶要因値は、ＰＤＵセッションがサポートされない、ＲＡＴアクセスが許容されない、セッション及びサービスの連続性を満足しない、Ｓ−ＮＳＳＡＩがエラーになる、ＤＮＮがサポートされない、並びにＰＤＵセッション識別子が認識されない状況のうちの少なくとも１つを示すことに用いられる。
【００８３】
可能な実施の形態では、該方法は、更に、該端末装置が該返信メッセージに応答して、該拒絶要因値に対応する該第１ルールにおけるパラメータの値を調整することと、該端末装置が調整後の該第１ルールに基づき、該ネットワーク装置へ第２要求メッセージを送信することであって、該第２要求メッセージが該ネットワーク装置による第１ＰＤＵセッションにおける該Ｍ個のデータフローのうちの少なくとも１つのデータフローのセッション確立を要求することに用いられることと、を含む。
【００８４】
可能な実施の形態では、該拒絶要因値に対応する該第１ルールのパラメータは優先度を特徴づける複数の値を含み、該端末装置が該返信メッセージに応答して、該拒絶要因値に対応する該第１ルールのパラメータの値を調整することは、該端末装置が該返信メッセージに応答して、該拒絶要因値に対応する該第１ＵＲＳＰのパラメータの値を、前回第１ＰＤＵセッション確立を開始する優先度より高い値に調整することを含む。
【００８５】
可能な実施の形態では、該返信メッセージには該ネットワーク装置の推奨した該拒絶要因値に対応する該第１ルールのパラメータの値が含まれており、該端末装置が該返信メッセージに応答して、該拒絶要因値に対応する該第１ＵＲＳＰのパラメータの値を調整することは、該端末装置が該拒絶要因値に対応する該第１ルールのパラメータの値を、該ネットワーク装置の推奨した該拒絶要因値に対応する該第１ルールのパラメータの値に調整することを含む。
【００８６】
可能な実施の形態では、該方法は、更に、該端末装置が該ネットワーク装置から送信された該ＵＲＳＰにおける該少なくとも１つのルールのうちの第１ルール以外の第２ルール及び該第１ルールの識別子を受信することを含み、該端末装置が第１ルールの識別子に基づき、該第１ルールを取得することは、該端末装置が該第２ルールに対応する第２ＰＤＵセッションを確立した後、該第１ルールの識別子に基づき、ユーザープレーンを介して該第１ルールを取得すること、又は、該端末装置が該第１ルールの識別子に基づき、該ネットワーク装置が制御プレーンによって該第１ルールを送信するようにトリガーすることを含む。
【００８７】
可能な実施の形態では、該方法は、更に、該端末装置がサーバの識別子を受信することを含み、該端末装置が該第２ルールに対応する第２ＰＤＵセッションを確立した後、該第１ルールの識別子に基づき、ユーザープレーンを介して該第１ルールを取得することは、該端末装置が該第２ルールに対応する第２ＰＤＵセッションを確立した後、該第１ルールの識別子及び該サーバの識別子に基づき、ユーザープレーンを介して該第１ルールを取得することを含む。
【００８８】
可能な実施の形態では、該第２ルールの優先度が該第１ルールの優先度より高い。
【００８９】
可能な実施の形態では、端末装置がユーザー装置ルート選択ポリシー（ＵＲＳＰ）における少なくとも１つのルールのそれぞれの識別子に基づき、それぞれ該少なくとも１つのルールを取得することは、該端末装置がネットワーク登録を行うときに、該端末装置が該少なくとも１つのルールのそれぞれの識別子に基づき、該少なくとも１つのルールを取得することを含む。
【００９０】
第１６態様に係るデータ伝送方法であって、ネットワーク装置は、端末装置がネットワーク登録を行うときに、複数のメッセージを通じて該端末装置へユーザー装置ルート選択ポリシー（ＵＲＳＰ）における複数のルールを送信することを含む。
【００９１】
ＵＲＳＰポリシーを数回に分けて取得することにより、ネットワーク負荷を効果的に低減して、通信柔軟性を向上させることができる。
【００９２】
可能な実施の形態では、該ネットワーク装置は、該端末装置がネットワーク登録を行うときに、複数のメッセージを通じて該端末装置へユーザー装置ルート選択ポリシー（ＵＲＳＰ）における複数のルールを送信することは、該ネットワーク装置は、端末装置がネットワーク登録を行うときに、該複数のルールの優先度に基づき、順に制御プレーンの複数のメッセージを通じて該端末装置へ該複数のルールを送信することを含む。
【００９３】
可能な実施の形態では、該ネットワーク装置がポリシー制御機能（ＰＣＦ）装置である。
【００９４】
第１７態様に係るデータ伝送方法であって、端末装置が第２ルールに対応する第２ＰＤＵセッションを確立した後に第１ルールの識別子に基づいてユーザープレーンを介して該第１ルールを取得するように、ネットワーク装置は、端末装置がネットワーク登録を行うときに、該端末装置へユーザー装置ルート選択ポリシー（ＵＲＳＰ）における第１ルール以外の第２ルール及び該第１ルールの識別子を送信することを含む。
【００９５】
ＵＲＳＰポリシーを数回に分けて取得することにより、ネットワーク負荷を効果的に低減して、通信柔軟性を向上させることができる。
【００９６】
可能な実施の形態では、該方法は、更に、該端末装置が該第２ルールに対応する第２ＰＤＵセッションを確立した後に該第１ルールの識別子及び該サーバの識別子に基づいてユーザープレーンを介して該第１ルールを取得するように、該ネットワーク装置は該端末装置へサーバの識別子を送信することを含む。
【００９７】
可能な実施の形態では、該ネットワーク装置がポリシー制御機能（ＰＣＦ）装置である。
【００９８】
第１８態様に係る端末装置であって、上記第１３態様又は第１３態様のいずれか１つの可能な実施の形態に係る方法を実行することに用いられる。具体的に、該端末装置は上記第１３態様又は第１３態様のいずれか１つの可能な実施の形態に係る方法を実行するためのユニットを備える。
【００９９】
第１９態様に係るネットワーク装置であって、上記第１４態様又は第１４態様のいずれか１つの可能な実施の形態に係る方法を実行することに用いられる。具体的に、該ネットワーク装置は上記第１４態様又は第１４態様のいずれか１つの可能な実施の形態に係る方法を実行するためのユニットを備える。
【０１００】
第２０態様に係る端末装置であって、上記第１５態様又は第１５態様のいずれか１つの可能な実施の形態に係る方法を実行することに用いられる。具体的に、該端末装置は上記第１５態様又は第１５態様のいずれか１つの可能な実施の形態に係る方法を実行するためのユニットを備える。
【０１０１】
第２１態様に係るネットワーク装置であって、上記第１６態様又は第１６態様のいずれか１つの可能な実施の形態に係る方法を実行することに用いられる。具体的に、該ネットワーク装置は上記第１６態様又は第１６態様のいずれか１つの可能な実施の形態に係る方法を実行するためのユニットを備える。
【０１０２】
第２２態様に係るネットワーク装置であって、上記第１７態様又は第１７態様のいずれか１つの可能な実施の形態に係る方法を実行することに用いられる。具体的に、該ネットワーク装置は上記第１７態様又は第１７態様のいずれか１つの可能な実施の形態に係る方法を実行するためのユニットを備える。
【０１０３】
第２３態様に係る端末装置であって、メモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行し、上記第１３態様又は第１３態様のいずれか１つの可能な実施の形態に係る方法を実行することに用いられる。
【０１０４】
第２４態様に係るネットワーク装置であって、メモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行し、上記第１４態様又は第１４態様のいずれか１つの可能な実施の形態に係る方法を実行することに用いられる。
【０１０５】
第２５態様に係る端末装置であって、メモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行し、上記第１５態様又は第１５態様のいずれか１つの可能な実施の形態に係る方法を実行することに用いられる。
【０１０６】
第２６態様に係るネットワーク装置であって、メモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行し、上記第１６態様又は第１６態様のいずれか１つの可能な実施の形態に係る方法を実行することに用いられる。
【０１０７】
第２７態様に係るネットワーク装置であって、メモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行し、上記第１７態様又は第１７態様のいずれか１つの可能な実施の形態に係る方法を実行することに用いられる。
【０１０８】
第２８態様に係るコンピュータ記憶媒体であって、上記第１態様又は第１態様のいずれか１つの可能な実施の形態に係る方法、又は上記第２態様又は第２態様のいずれか１つの可能な実施の形態に係る方法、又は上記第３態様又は第３態様のいずれか１つの可能な実施の形態に係る方法、又は上記第４態様又は第４態様のいずれか１つの可能な実施の形態に係る方法、又は上記第１３態様又は第１３態様のいずれか１つの可能な実施の形態に係る方法、又は上記第１４態様又は第１４態様のいずれか１つの可能な実施の形態に係る方法、又は上記第１５態様又は第１５態様のいずれか１つの可能な実施の形態に係る方法、又は上記第１６態様又は第１６態様のいずれか１つの可能な実施の形態に係る方法、又は上記第１７態様又は第１７態様のいずれか１つの可能な実施の形態に係る方法を実行するために用いた、上記態様を実行するために設計したプログラムを含むコンピュータソフトウェア命令を記憶することに用いられる。
【０１０９】
第２９態様に係る命令を含むコンピュータプログラムであって、コンピュータにおいて実行されるとき、コンピュータが上記第１態様又は第１態様のいずれか１つの可能な実施の形態に係る方法、又は上記第２態様又は第２態様のいずれか１つの可能な実施の形態に係る方法、又は上記第３態様又は第３態様のいずれか１つの可能な実施の形態に係る方法、又は上記第４態様又は第４態様のいずれか１つの可能な実施の形態に係る方法、又は上記第１３態様又は第１３態様のいずれか１つの可能な実施の形態に係る方法、又は上記第１４態様又は第１４態様のいずれか１つの可能な実施の形態に係る方法、又は上記第１５態様又は第１５態様のいずれか１つの可能な実施の形態に係る方法、又は上記第１６態様又は第１６態様のいずれか１つの可能な実施の形態に係る方法、又は上記第１７態様又は第１７態様のいずれか１つの可能な実施の形態に係る方法を実行する。
【０１１０】
第３０態様に係る命令を含むコンピュータプログラム製品であって、コンピュータプログラム命令を含み、該コンピュータプログラム命令によってコンピュータが上記第１態様又は第１態様のいずれか１つの可能な実施の形態に係る方法、又は上記第２態様又は第２態様のいずれか１つの可能な実施の形態に係る方法、又は上記第３態様又は第３態様のいずれか１つの可能な実施の形態に係る方法、又は上記第４態様又は第４態様のいずれか１つの可能な実施の形態に係る方法、又は上記第１３態様又は第１３態様のいずれか１つの可能な実施の形態に係る方法、又は上記第１４態様又は第１４態様のいずれか１つの可能な実施の形態に係る方法、又は上記第１５態様又は第１５態様のいずれか１つの可能な実施の形態に係る方法、又は上記第１６態様又は第１６態様のいずれか１つの可能な実施の形態に係る方法、又は上記第１７態様又は第１７態様のいずれか１つの可能な実施の形態に係る方法を実行する。
【０１１１】
本願のこれらの態様又は他の態様は以下の実施例の説明から明らかになる。
【図面の簡単な説明】
【０１１２】
【図１】図１は本願の実施例の応用シーンの模式図である。
【図２】図２は本願の実施例のデータを伝送するためのブロック図である。
【図３】図３は本願の実施例のデータ伝送方法の他のブロック図である。
【図４】図４は本願の実施例のデータ伝送方法の別のブロック図である。
【図５】図５は本願の実施例のデータ伝送方法の別のブロック図である。
【図６】図６は本願の実施例の端末装置のブロック図である。
【図７】図７は本願の実施例の端末装置の他のブロック図である。
【図８】図８は本願の実施例のＳＭＦ装置のブロック図である。
【図９】図９は本願の実施例のＳＭＦ装置の他のブロック図である。
【図１０】図１０は本願の実施例の端末装置の別のブロック図である。
【図１１】図１１は本願の実施例の端末装置の別のブロック図である。
【図１２】図１２は本願の実施例のＳＭＦ装置の別のブロック図である。
【図１３】図１３は本願の実施例のＳＭＦ装置の別のブロック図である。
【図１４】図１４は本願の実施例のデータ伝送方法のブロック図である。
【図１５】図１５は本願の実施例のデータ伝送方法の他のブロック図である。
【図１６】図１６は本願の実施例のデータ伝送方法の別のブロック図である。
【図１７】図１７は本願の実施例のデータ伝送方法の別のブロック図である。
【図１８】図１８は本願の実施例のデータ伝送方法の別のブロック図である。
【図１９】図１９は本願の実施例のデータ伝送方法の別のブロック図である。
【図２０】図２０は本願の実施例の端末装置のブロック図である。
【図２１】図２１は本願の実施例のネットワーク装置のブロック図である。
【図２２】図２２は本願の実施例の端末装置の他のブロック図である。
【図２３】図２３は本願の実施例のネットワーク装置の他のブロック図である。
【図２４】図２４は本願の実施例のネットワーク装置の別のブロック図である。
【図２５】図２５は本願の実施例の端末装置の別のブロック図である。
【図２６】図２６は本願の実施例のネットワーク装置の別のブロック図である。
【図２７】図２７は本願の実施例の端末装置の別のブロック図である。
【図２８】図２８は本願の実施例のネットワーク装置の別のブロック図である。
【図２９】図２９は本願の実施例のネットワーク装置の別のブロック図である。
【発明を実施するための形態】
【０１１３】
以下、本願の実施例の図面を参照しながら、本願の実施例の技術案を明確且つ完全に説明する。
【０１１４】
理解すべきものは、本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ＬＴＥシステム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新無線（ＮＲ：Ｎｅｗ  Ｒａｄｉｏ）又は将来の５Ｇシステム等に適用されてもよい。
【０１１５】
特に、本願の実施例の技術案は非直交多元アクセス技術に基づく様々な通信システム、例えば疎コード多重アクセス（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システム等に適用されてもよく、無論、通信分野ではＳＣＭＡシステム及びＬＤＳシステムが他の名称と称されてもよく、更に、本願の実施例の技術案は非直交多元アクセス技術を用いたマルチキャリア伝送システム、例えば非直交多元アクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルタバンクマルチキャリア（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システム等に適用されてもよい。
【０１１６】
図１には本願の実施例に適用される無線通信システム１００を示す。該無線通信システム１００はアクセスネットワーク装置１１０を備えてもよい。アクセスネットワーク装置１１０は端末装置と通信する装置であってもよい。アクセスネットワーク装置１１０は特定の地理的領域に通信カバレッジを提供することができ、且つ該カバレッジ領域内の端末装置（例えば、ＵＥ）と通信することができる。好ましくは、該アクセスネットワーク装置１１０は次世代無線アクセスネットワーク（ＮＧ  ＲＡＮ：Ｎｅｘｔ  Ｇｅｎｅｒａｔｉｏｎ  Ｒａｄｉｏ  Ａｃｃｅｓｓ  Ｎｅｔｗｏｒｋ）であってもよく、ＮＲシステムにおける基地局（ｇＮＢ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であってもよく、又は、該アクセスネットワーク装置は中継所、アクセスポイント、車載装置、ウェアラブル端末及び将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク装置等であってもよい。好ましくは、該アクセスネットワーク装置１１０は更にＬＴＥシステムにおける基地局、例えば進化したユニバーサル地上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）装置であってもよい。
【０１１７】
該無線通信システム１００は更にアクセスネットワーク装置１１０のカバレッジ範囲内の少なくとも１つの端末装置１２０を備える。端末装置１２０は可動又は固定であってもよい。好ましくは、端末装置１２０はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【０１１８】
該無線通信システム１００は更にアクセスネットワーク装置と通信するコアネットワーク装置１３０を備える。好ましくは、該コアネットワーク装置１３０は５Ｇコアネットワーク装置、例えばアクセス及びモビリティ管理機能（ＡＭＦ：Ａｃｃｅｓｓ  ａｎｄ  Ｍｏｂｉｌｉｔｙ  Ｍａｎａｇｅｍｅｎｔ  Ｆｕｎｃｔｉｏｎ）、更に例えばセッション管理機能（ＳＭＦ：Ｓｅｓｓｉｏｎ  Ｍａｎａｇｅｍｅｎｔ  Ｆｕｎｃｔｉｏｎ）であってもよい。好ましくは、該コアネットワーク装置１３０は更にＬＴＥネットワークにおける進化したパケットコア（ＥＰＣ：Ｅｖｏｌｖｅｄ  Ｐａｃｋｅｔ  Ｃｏｒｅ）装置、例えばセッション管理機能＋コアパケットゲートウェイ（ＳＭＦ＋ＰＧＷ−Ｃ：Ｓｅｓｓｉｏｎ  Ｍａｎａｇｅｍｅｎｔ  Ｆｕｎｃｔｉｏｎ＋Ｃｏｒｅ  Ｐａｃｋｅｔ  Ｇａｔｅｗａｙ）装置であってもよい。
【０１１９】
理解すべきものは、ＳＭＦ＋ＰＧＷ−ＣはＳＭＦ及びＰＧＷ−Ｃの実現できる機能を同時に実現することができる。
【０１２０】
好ましくは、本願の実施例では、ＡＭＦはＳＭＦと情報交換を行うことができ、例えば、ＳＭＦはＡＭＦからいくつかの無線アクセスネットワーク側の情報を取得する。
【０１２１】
図１には１つのアクセスネットワーク装置、１つのコアネットワーク装置及び２つの端末装置を例示的に示し、好ましくは、該無線通信システム１００は複数のアクセスネットワーク装置を備えてもよく、且つ各アクセスネットワーク装置のカバレッジ範囲内には他の数の端末装置が含まれてもよく、本願の実施例は制限しない。
【０１２２】
好ましくは、該無線通信システム１００は更にモビリティ管理エンティティ（ＭＭＥ：Ｍｏｂｉｌｅ  Ｍａｎａｇｅｍｅｎｔ  Ｅｎｔｉｔｙ）、統合データ管理（ＵＤＭ：Ｕｎｉｆｉｅｄ  Ｄａｔａ  Ｍａｎａｇｅｍｅｎｔ）、認証サーバ機能（ＡＵＳＦ：Ａｕｔｈｅｎｔｉｃａｔｉｏｎ  Ｓｅｒｖｅｒ  Ｆｕｎｃｔｉｏｎ）、ユーザープレーン機能（ＵＰＦ：Ｕｓｅｒ  Ｐｌａｎｅ  Ｆｕｎｃｔｉｏｎ）、シグナリングゲートウェイ（ＳＧＷ：Ｓｉｇｎａｌｉｎｇ  Ｇａｔｅｗａｙ）等の他のネットワークエンティティを備えてもよく、本願の実施例は制限しない。
【０１２３】
理解すべきものは、本明細書では、本明細書における用語「システム」と「ネットワーク」は常に交換可能に使用される。本明細書における用語「及び／又は」は関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【０１２４】
図２は本願の実施例のデータ伝送方法２００のブロック図である。図２に示される端末装置は図１に示される端末装置であってもよく、図２に示されるＳＭＦ装置は図１に示されるコアネットワーク装置であってもよい。該方法２００は以下の一部又は全部を含む。
【０１２５】
Ｓ２１０：端末装置がセッション管理機能（ＳＭＦ）装置へ第１プロトコルデータユニット（ＰＤＵ）セッションの確立要求メッセージを送信する。該第１ＰＤＵセッションの確立要求メッセージにはＰＤＵセッションを確立するための少なくとも１つのパラメータのパラメータ値リスト及び／又はパラメータ値組み合わせリストが含まれる。
【０１２６】
具体的に、端末装置が１つのプロトコルデータユニット（ＰＤＵ：Ｐｒｏｔｏｃｏｌ  Ｄａｔａ  Ｕｎｉｔ）セッション（ｓｅｓｓｉｏｎ）を確立するように要求する場合、端末装置はＳＭＦ装置へ非アクセス層（ＮＡＳ：Ｎｏｎ−Ａｃｃｅｓｓ  Ｓｔｒａｔｕｍ）メッセージを送信してもよく、該ＮＡＳメッセージには確立対象のＰＤＵセッションの識別子（ＩＤ：Ｉｄｅｎｔｉｔｙ）が含まれてもよく、該ＰＤＵセッションを確立するための少なくとも１つのパラメータのパラメータ値リスト及び／又はパラメータ値組み合わせリストが含まれてもよい。ＳＭＦ装置はパラメータ値リスト及び／又はパラメータ値組み合わせリストを受信した後、該パラメータ値リスト及び／又はパラメータ値組み合わせリストに基づいてＰＤＵセッションの確立を行ってもよい。
【０１２７】
好ましくは、本願の実施例では、該ＰＤＵセッションを確立するパラメータは例えば無線アクセス技術（ＲＡＴ：Ｒａｄｉｏ  Ａｃｃｅｓｓ  Ｔｅｃｈｎｏｌｏｇｙ）のタイプ、セッション及びサービスの連続性（ＳＳＣ：Ｓｅｓｓｉｏｎ  ａｎｄ  Ｓｅｒｖｉｃｅ  Ｃｏｎｔｉｎｕｉｔｙ）モード、単一のネットワークスライス選択補助情報（Ｓ−ＮＳＳＡＩ：Ｓｉｎｇｌｅ−Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ）、並びにデータネットワーク名称（ＤＮＮ：Ｄａｔａ  Ｎｅｔｗｏｒｋ  Ｎａｍｅ）のうちの少なくとも１つであってもよい。更に他の可能なパラメータ、例えば分割タイプ等であってもよく、本願の実施例はこれらに限らない。
【０１２８】
具体的に、該パラメータ値リストは表１に示されてもよい。
【表１】
2020537855.tif 000003
【０１２９】
理解すべきものは、該パラメータ値リストにおけるあるパラメータは複数の値を含んでもよく、該複数の値が優先度を有してもよい。例えば、表１におけるＳ−ＮＳＳＡＩはＳ−ＮＳＳＡＩ−１及びＳ−ＮＳＳＡＩ−２を含み、Ｓ−ＮＳＳＡＩ−１の優先度がＳ−ＮＳＳＡＩ−２より高く、つまり、ＳＭＦ装置は該パラメータ値リストを受信した後、まずＳ−ＮＳＳＡＩ−１を選択してＰＤＵセッションの確立を行ってもよく、該Ｓ−ＮＳＳＡＩ−１が確立要件を満足しない場合、ＳＭＦ装置は該パラメータ値リストにおけるＳ−ＮＳＳＡＩのすべての値がいずれも確立要件を満足しないまで、Ｓ−ＮＳＳＡＩ−１を選択してＰＤＵセッションの確立を行ってもよい。
【０１３０】
好ましくは、該パラメータ値リストにおけるあるパラメータの複数の値は優先度を有しなくてもよく、例えば、ＳＭＦ装置が該パラメータ値リストを受信した後、ＳＭＦ装置はまずＳ−ＮＳＳＡＩの複数の値から１つの値を選択してＰＤＵセッションの確立を行ってもよく、要件を満足しない場合、ＳＭＦ装置は選択されたパラメータ値がＰＤＵセッションの確立要件を満足するまで又は端末装置から送信された該パラメータの複数の値がいずれも要件を満足しないまで、１つの値を改めて選択してＰＤＵセッションの確立を行ってもよい。
【０１３１】
具体的に、該パラメータ値組み合わせリストは表２に示されてもよい。
【表２】
2020537855.tif 000004
【０１３２】
理解すべきものは、該パラメータ値組み合わせリストにおけるあるパラメータ値組み合わせは少なくとも１つのパラメータのうちの各パラメータの１つの値を含んでもよく、該パラメータ値組み合わせリストにおける複数のパラメータ値組み合わせは同じパラメータを含んでもよく、異なるパラメータを含んでもよく、含まれるパラメータの種類が異なってもよい。該複数のパラメータ値組み合わせは優先度を有してもよい。例えば、表２における組み合わせ１の優先度が組み合わせ２より高い。つまり、ＳＭＦ装置は該パラメータ値組み合わせリストを受信した後、まず組み合わせ１を選択してＰＤＵセッションの確立を行ってもよく、該組み合わせ１が確立要件を満足しない場合、ＳＭＦ装置は該パラメータ値組み合わせリストにおけるすべてのパラメータ値組み合わせがいずれも確立要件を満足しないまで、組み合わせ２を選択してＰＤＵセッションの確立を行ってもよい。
【０１３３】
従って、本願の実施例のデータ伝送方法によれば、端末装置がＳＭＦ装置へＰＤＵセッションのパラメータ値リスト及び／又はパラメータ値組み合わせリストを送信することにより、ＰＤＵセッション確立に成功する確率の向上に役立つ。
【０１３４】
更に、該ＲＡＴのタイプは新無線（ＮＲ）、ロングタームエボリューション（ＬＴＥ）、モバイル通信用グローバル（ＧＳＭ）、符号分割多元接続（ＣＤＭＡ）、汎用パケット無線サービス（ＧＰＲＳ）、無線ローカルエリアネットワーク（ＷＬＡＮ）及び衛星アクセス技術のうちの少なくとも１つを含んでもよい。該ＲＡＴのタイプは更に第３世代移動体通信システムの標準化プロジェクト（３ＧＰＰ）及び非３ＧＰＰ技術のうちの少なくとも１つを含んでもよい。該ＲＡＴのタイプは上記列挙した様々なアクセス技術のうちのいずれか１つの組み合わせであってもよい。
【０１３５】
好ましくは、本願の実施例では、該方法は、更に、該端末装置が該ＳＭＦ装置から送信された返信メッセージを受信し、該返信メッセージには該第１ＰＤＵセッション確立に失敗した要因値が含まれることを含む。
【０１３６】
ＳＭＦ装置による該ＰＤＵセッションの確立に成功しない場合、ＳＭＦ装置は端末装置へ１つの返信メッセージを返信してもよく、且つ該返信メッセージには該ＰＤＵセッション確立に失敗した要因値が含まれてもよい。端末装置は該要因値を受信した後、いくつかの対応する調整を行ってもよい。
【０１３７】
更に、該要因値は該ＰＤＵセッションを確立するための少なくとも１つのパラメータのうちの第１パラメータの優先度リストにおける値がいずれも確立要件を満足しないことを示すことに用いられる。
【０１３８】
ＳＭＦ装置が端末装置の報告したあるパラメータのすべての値を１回試したが、該パラメータの各値がいずれもＰＤＵセッションの確立要件を満足しない場合、ＳＭＦ装置は直接端末装置へ、該パラメータの値が要件を満足しないためＰＤＵセッション確立に失敗したことを示す返信メッセージを送信してもよい。
【０１３９】
更に、ＳＭＦ装置は更に返信メッセージに推奨されたＰＤＵセッション確立に失敗した要因であるパラメータの値を含ませてもよく、端末装置は該ＳＭＦ装置の推奨した値を参照してＳＭＦ装置に対してＰＤＵセッションの確立を再び開始し又は直接確立されたＰＤＵセッションの修正要件を開始してもよい。
【０１４０】
図３は本願の実施例のデータ伝送方法３００のブロック図である。図３に示される端末装置は図１に示される端末装置であってもよく、図３に示されるＳＭＦ装置は図１に示されるコアネットワーク装置であってもよい。該方法３００は以下の一部又は全部を含む。
【０１４１】
Ｓ３１０：端末装置がセッション管理機能（ＳＭＦ）装置へ第１プロトコルデータユニット（ＰＤＵ）セッションの確立要求メッセージを送信する。
【０１４２】
Ｓ３２０：該端末装置が該ＳＭＦ装置から送信された返信メッセージを受信する。該返信メッセージには該第１ＰＤＵセッション確立に失敗した要因値が含まれる。
【０１４３】
具体的に、端末装置が１つのＰＤＵセッションを確立するように要求する場合、端末装置はＳＭＦ装置へＮＡＳメッセージを送信してもよく、該ＮＡＳメッセージには確立対象のＰＤＵセッションのＩＤが含まれてもよく、ＳＭＦ装置は該ＮＡＳメッセージを受信した後、いくつかのパラメータと組み合わせてＰＤＵセッションの確立を行ってもよく、該ＰＤＵセッション確立に失敗した場合、ＳＭＦ装置は端末装置へ１つの返信メッセージを返信してもよく、該返信メッセージには該ＰＤＵセッション確立に失敗した要因が含まれてもよい。例えば、あるパラメータが要件を満足しない等が挙げられる。
【０１４４】
従って、本願の実施例のデータ伝送方法によれば、端末装置へセッション確立状況をフィードバックすることにより、端末装置がセッション確立ポリシーを直ちに調整でき、それにより通信システムの性能の向上に役立つ。
【０１４５】
好ましくは、端末装置はＰＤＵセッションの確立要求メッセージ、すなわち上記ＮＡＳメッセージに該ＰＤＵセッションを確立する際に用いたパラメータ値リスト又はパラメータ値組み合わせリストを含ませてもよく、該パラメータは例えば無線アクセス技術（ＲＡＴ：Ｒａｄｉｏ  Ａｃｃｅｓｓ  Ｔｅｃｈｎｏｌｏｇｙ）のタイプ、セッション及びサービスの連続性モード、単一のネットワークスライス選択補助情報（Ｓ−ＮＳＳＡＩ：Ｓｉｎｇｌｅ−Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ）及びデータネットワーク名称（ＤＮＮ：Ｄａｔａ  Ｎｅｔｗｏｒｋ  Ｎａｍｅ）のうちの少なくとも１つであってもよい。更に他の可能なパラメータ、例えば分割タイプ等であってもよく、本願の実施例はこれらに限らない。
【０１４６】
好ましくは、本願の実施例では、該パラメータ値リストにおけるあるパラメータは複数の値を含んでもよく、該複数の値が優先度を有してもよい。例えば、表１におけるＳ−ＮＳＳＡＩはＳ−ＮＳＳＡＩ−１及びＳ−ＮＳＳＡＩ−２を含み、Ｓ−ＮＳＳＡＩ−１の優先度がＳ−ＮＳＳＡＩ−２より高く、つまり、ＳＭＦ装置は該パラメータ値リストを受信した後、まずＳ−ＮＳＳＡＩ−１を選択してＰＤＵセッションの確立を行ってもよく、該Ｓ−ＮＳＳＡＩ−１が確立要件を満足しない場合、ＳＭＦ装置は該パラメータ値リストにおけるＳ−ＮＳＳＡＩのすべての値がいずれも確立要件を満足しないまで、Ｓ−ＮＳＳＡＩ−１を選択してＰＤＵセッションの確立を行ってもよい。
【０１４７】
好ましくは、該パラメータ値リストにおけるあるパラメータの複数の値は優先度を有しなくてもよく、例えば、ＳＭＦ装置が該パラメータ値リストを受信した後、ＳＭＦ装置はまずＳ−ＮＳＳＡＩの複数の値から１つの値を選択してＰＤＵセッションの確立を行ってもよく、要件を満足しない場合、ＳＭＦ装置は選択されたパラメータ値がＰＤＵセッションの確立要件を満足するまで又は端末装置から送信された該パラメータの複数の値がいずれも要件を満足しないまで、１つの値を改めて選択してＰＤＵセッションの確立を行ってもよい。
【０１４８】
理解すべきものは、該パラメータ値組み合わせリストにおけるあるパラメータ値組み合わせは少なくとも１つのパラメータのうちの各パラメータの１つの値を含んでもよく、該パラメータ値組み合わせリストにおける複数のパラメータ値組み合わせは同じパラメータを含んでもよく、異なるパラメータを含んでもよく、含まれるパラメータの種類が異なってもよい。該複数のパラメータ値組み合わせは優先度を有してもよい。例えば、表２における２列目のパラメータ値組み合わせの優先度が３列目のパラメータ値組み合わせより高い。つまり、ＳＭＦ装置は該パラメータ値組み合わせリストを受信した後、まず２列目のパラメータ値組み合わせを選択してＰＤＵセッションの確立を行ってもよく、該２列目のパラメータ値組み合わせが確立要件を満足しない場合、ＳＭＦ装置は該パラメータ値組み合わせリストにおけるすべてのパラメータ値組み合わせがいずれも確立要件を満足しないまで、３列目のパラメータ値組み合わせを選択してＰＤＵセッションの確立を行ってもよい。
【０１４９】
好ましくは、本願の実施例では、該要因値は前記パラメータ値リストにおける前記第１パラメータのパラメータ値がいずれも確立要件を満足しないことを示すことに用いられる。
【０１５０】
端末装置が該ＮＡＳメッセージに含ませるいくつかのパラメータの値は１つであってもよく、複数であってもよく、１つの場合、ＳＭＦ装置は直接該端末装置に含まれるパラメータ値に基づいてＰＤＵセッションの確立を行い、確立要件を満足しない場合、ＳＭＦは端末装置へ要因を返信し、つまり端末装置に含まれるパラメータ値が要件を満足しない。端末装置は更に調整してもよい。端末装置が該ＮＡＳメッセージに含ませるいくつかのパラメータの値は複数である場合、ＳＭＦ装置はまず複数の値から１つの値を選択してＰＤＵセッションの確立を行ってもよく、要件を満足しない場合、ＳＭＦ装置は選択されたパラメータ値がＰＤＵセッションの確立要件を満足するまで又は端末装置から送信された該パラメータの複数の値がいずれも要件を満足しないまで、１つの値を改めて選択してＰＤＵセッションの確立を行ってもよい。端末装置から送信された１つ又は複数のパラメータの各値がいずれもＰＤＵセッションの確立要件を満足しない場合、ＳＭＦ装置は直接端末装置へ、ＰＤＵセッション確立に失敗したことを示す返信メッセージを送信してもよい。端末装置がＳＭＦ装置へ送信したパラメータ値リストにおけるあるパラメータの複数の値は優先度を有してもよく、つまり、ＳＭＦ装置はあるパラメータの優先度リストを受信した後、まずあるパラメータの第１優先度の値を選択してＰＤＵセッションの確立を行ってもよく、該パラメータ値リストには第１優先度を含む値がなく、又は該第１優先度の値が確立要件を満足しない場合、ＳＭＦ装置は該パラメータの値がＰＤＵセッションの確立を満足するまで又は該パラメータの優先度リストにおけるすべての値がいずれも確立要件を満足しないまで、第２優先度の値を選択してＰＤＵセッションの確立を行ってもよい。
【０１５１】
好ましくは、本願の実施例では、該返信メッセージには更に該ＳＭＦ装置の推奨した該第１パラメータの値が含まれる。
【０１５２】
ＳＭＦ装置によるＰＤＵセッションの確立に失敗した要因は１つ又は複数のパラメータの値が確立要件を満足しないためである場合、ＳＭＦ装置は端末装置へ１つの推奨された該パラメータの値を送信してもよく、該推奨の値が１つであってもよく、複数であってもよい。
【０１５３】
更に、該ＲＡＴのタイプは新無線（ＮＲ）、ロングタームエボリューション（ＬＴＥ）、モバイル通信用グローバル（ＧＳＭ）、符号分割多元接続（ＣＤＭＡ）、汎用パケット無線サービス（ＧＰＲＳ）、無線ローカルエリアネットワーク（ＷＬＡＮ）及び衛星アクセス技術のうちの少なくとも１つを含んでもよい。該ＲＡＴのタイプは更に第３世代移動体通信システムの標準化プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）及び非３ＧＰＰ技術のうちの少なくとも１つを含んでもよい。該ＲＡＴのタイプは上記列挙した様々なアクセス技術のうちのいずれか１つの組み合わせであってもよい。
【０１５４】
好ましくは、本願の実施例では、該方法は、更に、該端末装置が該返信メッセージに応答して、該ＳＭＦ装置へ第２ＰＤＵセッションの確立要求メッセージを送信することを含む。
【０１５５】
具体的に、端末装置がＳＭＦ装置から送信された返信メッセージを受信した後、該返信メッセージには更に端末装置の開始した第１ＰＤＵセッション確立に失敗した要因値が含まれる場合、端末装置は対応する調整を行ってもよい。例えば、端末装置は直接要因値で示されるパラメータの値を調整してもよい。つまり、ＳＭＦ装置の拒絶した要因値はＰＤＵセッションを確立するためのあるパラメータ値が適切ではない場合、端末装置は以前にＰＤＵセッション確立を開始する該パラメータの値を基に調整して、ＳＭＦ装置に対してＰＤＵセッションの確立要求を再び開始し、確立に成功するように試みてもよい。
【０１５６】
好ましくは、該端末装置が該返信メッセージに応答して、該ＳＭＦ装置へ第２ＰＤＵセッションの確立要求メッセージを送信することは、該端末装置が該返信メッセージに応答して、ＰＤＵセッションを確立するための少なくとも１つのパラメータのうちの少なくとも１つのパラメータの値の優先度リストに基づき、該ＳＭＦ装置へ該第２ＰＤＵセッションの確立要求メッセージを送信することを含む。
【０１５７】
端末装置は更にＰＤＵセッションを確立するためのパラメータのうちの少なくとも１つのパラメータの値に基づいて調整してもよい。例えば、端末装置はまずあるパラメータの複数の値から１つの値を選択してＰＤＵセッションの確立を行ってもよく、要件を満足しない場合、端末装置は選択されたパラメータ値がＰＤＵセッションの確立要件を満足するまで又は該パラメータの複数の値がいずれも要件を満足しないまで、１つの値を改めて選択してＰＤＵセッションの確立を行ってもよい。あるパラメータの値は優先度を有する複数の値であってもよく、つまり、端末装置にはあるパラメータの優先度リストが記憶されてもよい。端末装置はＳＭＦ装置から送信された返信メッセージを受信した後、まず第１優先度の値を選択してＰＤＵセッションの確立を行ってもよく、該優先度リストには第１優先度を含む値がなく、又は該第１優先度の値が確立要件を満足しない場合、端末装置は該パラメータの値がＰＤＵセッションの確立を満足するまで又は該パラメータの優先度リストにおけるすべての値がいずれも確立要件を満足しないまで、第２優先度の値を選択してＰＤＵセッションの確立を行ってもよい。
【０１５８】
図４は本願の実施例のデータ伝送方法４００のブロック図である。図４に示すように、該方法４００は以下の一部又は全部を含む。
【０１５９】
Ｓ４１０：セッション管理機能（ＳＭＦ）装置が端末装置から送信された第１プロトコルデータユニット（ＰＤＵ）セッションの確立要求メッセージを受信する。該第１ＰＤＵセッションの確立要求メッセージには該第１ＰＤＵセッションを確立するための少なくとも１つのパラメータのうちの各パラメータの複数の値の優先度リストが含まれる。
【０１６０】
Ｓ４２０：該ＳＭＦ装置が該各パラメータの複数の値の優先度リストに基づき、該第１ＰＤＵセッションの確立を行う。
【０１６１】
従って、本願の実施例のデータ伝送方法によれば、端末装置がＳＭＦ装置へＰＤＵセッションの確立パラメータの優先度リストを送信し、ＰＤＵセッション確立に成功する確率の向上に役立つ。
【０１６２】
好ましくは、本願の実施例では、該ＰＤＵセッションを確立するための少なくとも１つのパラメータは無線アクセス技術（ＲＡＴ）のタイプ、セッション及びサービスの連続性モード、単一のネットワークスライス選択補助情報（Ｓ−ＮＳＳＡＩ）、並びにデータネットワーク名称（ＤＮＮ）のうちの少なくとも１つを含む。
【０１６３】
好ましくは、本願の実施例では、該ＲＡＴのタイプは新無線（ＮＲ）、ロングタームエボリューション（ＬＴＥ）、モバイル通信用グローバル（ＧＳＭ）、符号分割多元接続（ＣＤＭＡ）、汎用パケット無線サービス（ＧＰＲＳ）、無線ローカルエリアネットワーク（ＷＬＡＮ）及び衛星アクセス技術のうちの少なくとも１つを含む。
【０１６４】
好ましくは、本願の実施例では、該ＲＡＴのタイプは第３世代移動体通信システムの標準化プロジェクト（３ＧＰＰ）及び非３ＧＰＰ技術のうちの少なくとも１つを含む。
【０１６５】
好ましくは、本願の実施例では、該方法は、更に、該ＳＭＦ装置が該端末装置へ返信メッセージを送信し、該返信メッセージには該第１ＰＤＵセッション確立に失敗した要因値が含まれることを含む。
【０１６６】
好ましくは、本願の実施例では、該要因値は該ＰＤＵセッションを確立するための少なくとも１つのパラメータのうちの第１パラメータの優先度リストにおける値がいずれも確立要件を満足しないことを示すことに用いられる。
【０１６７】
好ましくは、本願の実施例では、該返信メッセージには更に該ＳＭＦ装置の推奨した該第１パラメータの値が含まれる。
【０１６８】
好ましくは、本願の実施例では、該ＳＭＦ装置が該端末装置へ返信メッセージを送信した後、該方法は、更に、該ＳＭＦ装置が該端末装置から送信された第２ＰＤＵセッションの確立要求メッセージ又は確立されたＰＤＵセッションの修正要求メッセージを受信することを含む。
【０１６９】
理解すべきものは、ＳＭＦ装置に説明されたＳＭＦ装置と端末装置との相互作用及び関連特性、機能等は端末装置の関連特性、機能に対応する。且つ、関連内容は上記方法２００において既に詳しく説明されたので、簡潔のため、ここで詳細な説明は省略する。
【０１７０】
図５は本願の実施例のデータ伝送方法５００のブロック図である。図５に示すように、該方法５００は以下の一部又は全部を含む。
【０１７１】
Ｓ５１０：セッション管理機能（ＳＭＦ）装置が端末装置から送信された第１プロトコルデータユニット（ＰＤＵ）セッションの確立要求メッセージを受信する。
【０１７２】
Ｓ５２０：該ＳＭＦ装置が該端末装置へ返信メッセージを送信し、該返信メッセージには該第１ＰＤＵセッション確立に失敗した要因値が含まれる。
【０１７３】
従って、本願の実施例のデータ伝送方法によれば、端末装置へセッション確立状況をフィードバックすることにより、端末装置がセッション確立ポリシーを直ちに調整でき、それにより通信システムの性能の向上に役立つ。
【０１７４】
好ましくは、本願の実施例では、該第１ＰＤＵセッションの確立要求メッセージには該第１ＰＤＵセッションを確立するための少なくとも１つのパラメータのうちの各パラメータの少なくとも１つの値が含まれており、該要因値は該第１ＰＤＵセッションを確立するための該少なくとも１つのパラメータのうちの第１パラメータの該少なくとも１つの値が確立要件を満足しないことを示すことに用いられる。
【０１７５】
好ましくは、本願の実施例では、該返信メッセージには更に該ＳＭＦ装置の推奨した該第１パラメータの値が含まれる。
【０１７６】
好ましくは、本願の実施例では、該第１パラメータの少なくとも１つの値は複数の値を含み、該第１ＰＤＵセッションの確立要求メッセージには該第１パラメータの該複数の値の優先度リストが含まれる。
【０１７７】
理解すべきものは、ＳＭＦ装置に説明されたＳＭＦ装置と端末装置との相互作用及び関連特性、機能等は端末装置の関連特性、機能に対応する。且つ、関連内容は上記方法３００において既に詳しく説明されたので、簡潔のため、ここで詳細な説明は省略する。
【０１７８】
更に理解すべきものは、本願の様々な実施例では、上記各過程の番号の順位は実行順序の前後を意味せず、各過程の実行順序はその機能及び内部論理によって決定されるべきであり、本願の実施例の実施過程を制限するためのものではない。
【０１７９】
図６は本願の実施例の端末装置６００のブロック図である。図６に示すように、該端末装置６００は、
セッション管理機能（ＳＭＦ）装置へ第１プロトコルデータユニット（ＰＤＵ）セッションの確立要求メッセージを送信するように構成される送信ユニット６１０を備え、該第１ＰＤＵセッションの確立要求メッセージには該第１ＰＤＵセッションを確立するための少なくとも１つのパラメータのパラメータ値リスト及び／又はパラメータ値組み合わせリストが含まれる。
【０１８０】
従って、本願の実施例の端末装置において、ＳＭＦ装置へＰＤＵセッションの確立パラメータの優先度リストを送信することにより、ＰＤＵセッション確立に成功する確率の向上に役立つ。
【０１８１】
好ましくは、本願の実施例では、前記パラメータ値リストにおける第１パラメータのパラメータ値は複数の値を含み、前記複数の値が優先度を有する。
【０１８２】
好ましくは、本願の実施例では、前記パラメータ値組み合わせリストにおける第１パラメータ値組み合わせは少なくとも１つの前記パラメータのうちの各パラメータの１つの値を含む。
【０１８３】
好ましくは、本願の実施例では、前記パラメータ値組み合わせリストは複数組のパラメータ値組み合わせを含み、前記複数組のパラメータ値組み合わせが優先度を有する。
【０１８４】
好ましくは、本願の実施例では、該ＰＤＵセッションを確立するための少なくとも１つのパラメータは無線アクセス技術（ＲＡＴ）のタイプ、セッション及びサービスの連続性モード、単一のネットワークスライス選択補助情報（Ｓ−ＮＳＳＡＩ）、並びにデータネットワーク名称（ＤＮＮ）のうちの少なくとも１つを含む。
【０１８５】
好ましくは、本願の実施例では、該ＲＡＴのタイプは新無線（ＮＲ）、ロングタームエボリューション（ＬＴＥ）、モバイル通信用グローバル（ＧＳＭ）、符号分割多元接続（ＣＤＭＡ）、汎用パケット無線サービス（ＧＰＲＳ）、無線ローカルエリアネットワーク（ＷＬＡＮ）及び衛星アクセス技術のうちの少なくとも１つを含む。
【０１８６】
好ましくは、本願の実施例では、該ＲＡＴのタイプは第３世代移動体通信システムの標準化プロジェクト（３ＧＰＰ）及び非３ＧＰＰ技術のうちの少なくとも１つを含む。
【０１８７】
好ましくは、本願の実施例では、該端末装置は、更に、該ＳＭＦ装置から送信された返信メッセージを受信するように構成される受信ユニットを備え、該返信メッセージには該第１ＰＤＵセッション確立に失敗した要因値が含まれる。
【０１８８】
好ましくは、本願の実施例では、該要因値は前記パラメータ値リストにおける前記第１パラメータのパラメータ値がいずれも確立要件を満足しないことを示すことに用いられる。
【０１８９】
好ましくは、本願の実施例では、該返信メッセージには更に該ＳＭＦ装置の推奨した該第１パラメータの値が含まれる。
【０１９０】
好ましくは、本願の実施例では、該送信ユニットは、更に、該返信メッセージに応答して、該ＳＭＦ装置へ第２ＰＤＵセッションの確立要求メッセージ又は確立されたＰＤＵセッションの修正要求メッセージを送信することに用いられる。
【０１９１】
理解すべきものは、本願の実施例に係る端末装置６００は本願の方法実施例における端末装置に対応してもよく、且つ端末装置６００における各ユニットの上記及び他の操作及び／又は機能はそれぞれ図２の方法における端末装置の対応プロセスを実現するためのものであり、簡潔のため、ここで詳細な説明は省略する。
【０１９２】
図７は本願の実施例の端末装置７００のブロック図である。図７に示すように、該端末装置７００は、
セッション管理機能（ＳＭＦ）装置へ第１プロトコルデータユニット（ＰＤＵ）セッションの確立要求メッセージを送信するように構成される送信ユニット７１０と、
該ＳＭＦ装置から送信された返信メッセージを受信するように構成される受信ユニット７２０であって、該返信メッセージには該第１ＰＤＵセッション確立に失敗した要因値が含まれる受信ユニット７２０と、を備える。
【０１９３】
従って、本願の実施例の端末装置において、ＳＭＦ装置のフィードバックしたセッション確立状況を受信することにより、端末装置がセッション確立ポリシーを直ちに調整でき、それにより通信システムの性能の向上に役立つ。
【０１９４】
好ましくは、本願の実施例では、該第１ＰＤＵセッションの確立要求メッセージには該第１ＰＤＵセッションを確立するための少なくとも１つのパラメータのパラメータ値リスト及び／又はパラメータ値組み合わせリストが含まれる。
【０１９５】
好ましくは、本願の実施例では、前記パラメータ値リストにおける第１パラメータのパラメータ値は複数の値を含み、前記複数の値が優先度を有する。
【０１９６】
好ましくは、本願の実施例では、前記要因値は前記パラメータ値リストにおける前記第１パラメータのパラメータ値がいずれも確立要件を満足しないことを示すことに用いられる。
【０１９７】
好ましくは、本願の実施例では、前記返信メッセージには更に前記ＳＭＦ装置の推奨した前記第１パラメータの値が含まれる。
【０１９８】
好ましくは、本願の実施例では、前記パラメータ値組み合わせリストにおける第１パラメータ値組み合わせは少なくとも１つの前記パラメータのうちの各パラメータの１つの値を含む。
【０１９９】
好ましくは、本願の実施例では、前記パラメータ値組み合わせリストは複数組のパラメータ値組み合わせを含み、前記複数組のパラメータ値組み合わせが優先度を有する。
【０２００】
好ましくは、本願の実施例では、前記第１ＰＤＵセッションを確立するための前記パラメータは無線アクセス技術（ＲＡＴ）のタイプ、セッション及びサービスの連続性モード、単一のネットワークスライス選択補助情報（Ｓ−ＮＳＳＡＩ）、並びにデータネットワーク名称（ＤＮＮ）のうちの少なくとも１つを含む。
【０２０１】
好ましくは、本願の実施例では、前記端末装置は、更に、前記端末装置が前記返信メッセージに応答して、前記ＳＭＦ装置へ新たなＰＤＵセッションの確立要求メッセージを送信することを含む。
【０２０２】
好ましくは、本願の実施例では、前記端末装置が前記返信メッセージに応答して、前記ＳＭＦ装置へ新たなＰＤＵセッションの確立要求メッセージを送信することは、前記端末装置が前記返信メッセージに応答して、ＰＤＵセッションを確立するための少なくとも１つのパラメータのパラメータ値リストに基づき、前記ＳＭＦ装置へ前記新たなＰＤＵセッションの確立要求メッセージを送信することを含む。
【０２０３】
理解すべきものは、本願の実施例に係る端末装置７００は本願の方法実施例における端末装置に対応してもよく、且つ端末装置７００における各ユニットの上記及び他の操作及び／又は機能はそれぞれ図３の方法における端末装置の対応プロセスを実現するためのものであり、簡潔のため、ここで詳細な説明は省略する。
【０２０４】
図８は本願の実施例のＳＭＦ装置８００のブロック図である。図８に示すように、該ＳＭＦ装置８００は、
端末装置から送信された第１プロトコルデータユニット（ＰＤＵ）セッションの確立要求メッセージを受信するように構成される受信ユニット８１０であって、該第１ＰＤＵセッションの確立要求メッセージには該第１ＰＤＵセッションを確立するための少なくとも１つのパラメータのパラメータ値リスト及び／又はパラメータ値組み合わせリストが含まれる受信ユニット８１０と、
前記パラメータ値リスト及び／又は前記パラメータ値組み合わせリストに基づき、該第１ＰＤＵセッションの確立を行うように構成される確立ユニット８２０と、を備える。
【０２０５】
従って、本願の実施例のＳＭＦ装置において、端末装置から送信されたＰＤＵセッションの確立パラメータの優先度リストに基づいてＰＤＵセッションの確立を行うことにより、ＰＤＵセッション確立に成功する確率の向上に役立つ。
【０２０６】
好ましくは、本願の実施例では、前記パラメータ値リストにおける第１パラメータのパラメータ値リストは複数の値を含み、前記複数の値が優先度を有する。
【０２０７】
好ましくは、本願の実施例では、前記ＳＭＦ装置は、更に、前記端末装置へ返信メッセージを送信するように構成される送信ユニットを備え、前記返信メッセージには前記第１ＰＤＵセッションの確立に失敗した要因値が含まれる。
【０２０８】
好ましくは、本願の実施例では、前記要因値は前記パラメータ値リストにおける第１パラメータのパラメータ値がいずれも確立要件を満足しないことを示すことに用いられる。
【０２０９】
好ましくは、本願の実施例では、前記返信メッセージには更に前記ＳＭＦ装置の推奨した前記第１パラメータの値が含まれる。
【０２１０】
好ましくは、本願の実施例では、前記受信ユニットは、更に、前記端末装置から送信された第２ＰＤＵセッションの確立要求メッセージ又は確立されたＰＤＵセッションの修正要求メッセージを受信することに用いられる。
【０２１１】
好ましくは、本願の実施例では、前記パラメータ値組み合わせリストにおける第１パラメータ値組み合わせは少なくとも１つの前記パラメータのうちの各パラメータの１つの値を含む。
【０２１２】
好ましくは、本願の実施例では、前記パラメータ値組み合わせリストは複数組のパラメータ値組み合わせを含み、前記複数組のパラメータ値組み合わせが優先度を有する。
【０２１３】
好ましくは、本願の実施例では、前記確立ユニットは、更に、前記パラメータ値組み合わせリストにおける第１パラメータ値組み合わせが要件を満足しない場合、前記パラメータ値組み合わせリストにおける第２パラメータ値組み合わせに基づき、前記第１ＰＤＵセッションの確立を行うことに用いられる。
【０２１４】
好ましくは、本願の実施例では、前記第１パラメータ値組み合わせの優先度が前記第２パラメータ値組み合わせより高い。
【０２１５】
好ましくは、本願の実施例では、該ＰＤＵセッションを確立するための少なくとも１つのパラメータは無線アクセス技術（ＲＡＴ）のタイプ、セッション及びサービスの連続性モード、単一のネットワークスライス選択補助情報（Ｓ−ＮＳＳＡＩ）、並びにデータネットワーク名称（ＤＮＮ）のうちの少なくとも１つを含む。
【０２１６】
好ましくは、本願の実施例では、該ＲＡＴのタイプは新無線（ＮＲ）、ロングタームエボリューション（ＬＴＥ）、モバイル通信用グローバル（ＧＳＭ）、符号分割多元接続（ＣＤＭＡ）、汎用パケット無線サービス（ＧＰＲＳ）、無線ローカルエリアネットワーク（ＷＬＡＮ）及び衛星アクセス技術のうちの少なくとも１つを含む。
【０２１７】
好ましくは、本願の実施例では、該ＲＡＴのタイプは第３世代移動体通信システムの標準化プロジェクト（３ＧＰＰ）及び非３ＧＰＰ技術のうちの少なくとも１つを含む。
【０２１８】
理解すべきものは、本願の実施例に係るＳＭＦ装置８００は本願の方法実施例におけるＳＭＦ装置に対応してもよく、且つＳＭＦ装置８００における各ユニットの上記及び他の操作及び／又は機能はそれぞれ図４の方法におけるＳＭＦ装置の対応プロセスを実現するためのものであり、簡潔のため、ここで詳細な説明は省略する。
【０２１９】
図９は本願の実施例のＳＭＦ装置９００のブロック図である。図９に示すように、該ＳＭＦ装置９００は、
端末装置から送信された第１プロトコルデータユニット（ＰＤＵ）セッションの確立要求メッセージを受信するように構成される受信ユニット９１０と、
該端末装置へ返信メッセージを送信するように構成される送信ユニット９２０であって、該返信メッセージには該第１ＰＤＵセッション確立に失敗した要因値が含まれる送信ユニット９２０と、を備える。
【０２２０】
従って、本願の実施例のＳＭＦ装置において、端末装置へセッション確立状況をフィードバックすることにより、端末装置がセッション確立ポリシーを直ちに調整でき、それにより通信システムの性能の向上に役立つ。
【０２２１】
好ましくは、本願の実施例では、該第１ＰＤＵセッションの確立要求メッセージには該第１ＰＤＵセッションを確立するための少なくとも１つのパラメータのパラメータ値リスト及び／又はパラメータ値組み合わせリストが含まれる。
【０２２２】
好ましくは、本願の実施例では、前記パラメータ値リストにおける第１パラメータのパラメータ値は複数の値を含み、前記複数の値が優先度を有する。
【０２２３】
好ましくは、本願の実施例では、前記要因値は前記パラメータ値リストにおける前記第１パラメータのパラメータ値がいずれも確立要件を満足しないことを示すことに用いられる。
【０２２４】
好ましくは、本願の実施例では、前記返信メッセージには更に前記ＳＭＦ装置の推奨した前記第１パラメータの値が含まれる。
【０２２５】
好ましくは、本願の実施例では、前記パラメータ値組み合わせリストにおける第１パラメータ値組み合わせは少なくとも１つの前記パラメータのうちの各パラメータの１つの値を含む。
【０２２６】
好ましくは、本願の実施例では、前記パラメータ値組み合わせリストは複数組のパラメータ値組み合わせを含み、前記複数組のパラメータ値組み合わせが優先度を有する。
【０２２７】
好ましくは、本願の実施例では、前記確立ユニットは、更に、前記パラメータ値組み合わせリストにおける第１パラメータ値組み合わせが要件を満足しない場合、前記パラメータ値組み合わせリストにおける第２パラメータ値組み合わせに基づき、前記第１ＰＤＵセッションの確立を行うことに用いられる。
【０２２８】
好ましくは、本願の実施例では、前記第１パラメータ値組み合わせの優先度が前記第２パラメータ値組み合わせより高い。
【０２２９】
好ましくは、本願の実施例では、前記ＰＤＵセッションを確立するための少なくとも１つのパラメータは無線アクセス技術（ＲＡＴ）のタイプ、セッション及びサービスの連続性モード、単一のネットワークスライス選択補助情報（Ｓ−ＮＳＳＡＩ）、並びにデータネットワーク名称（ＤＮＮ）のうちの少なくとも１つを含む。
【０２３０】
理解すべきものは、本願の実施例に係るＳＭＦ装置９００は本願の方法実施例におけるＳＭＦ装置に対応してもよく、且つＳＭＦ装置９００における各ユニットの上記及び他の操作及び／又は機能はそれぞれ図５の方法におけるＳＭＦ装置の対応プロセスを実現するためのものであり、簡潔のため、ここで詳細な説明は省略する。
【０２３１】
図１０に示すように、本願の実施例は更に端末装置４０００を提供し、該端末装置４０００は図２における方法２００に対応する端末装置の内容を実行することのできる図６における端末装置８００であってもよい。該端末装置４０００は入力インターフェース４０１０、出力インターフェース４０２０、プロセッサ４０３０及びメモリ４０４０を備え、該入力インターフェース４０１０、出力インターフェース４０２０、プロセッサ４０３０及びメモリ４０４０がバスシステムによって接続されてもよい。該メモリ４０４０はプログラム、命令又はコードを記憶することに用いられる。該プロセッサ４０３０は、入力インターフェース４０１０が信号を受信し、出力インターフェース４０２０が信号を送信するように制御し及び上記方法実施例における操作を行うように、該メモリ４０４０におけるプログラム、命令又はコードを実行することに用いられる。
【０２３２】
従って、本願の実施例の端末装置において、ＳＭＦ装置へＰＤＵセッションの確立パラメータの優先度リストを送信することにより、ＰＤＵセッション確立に成功する確率の向上に役立つ。
【０２３３】
１つの具体的な実施形態では、端末装置６００における送信ユニットは図１０における出力インターフェース４０２０により実現されてもよく、端末装置６００における受信ユニットは図１０における入力インターフェース４０１０により実現されてもよい。
【０２３４】
図１１に示すように、本願の実施例は更に端末装置５０００を提供し、該端末装置５０００は図３における方法３００に対応する端末装置の内容を実行することのできる図７における端末装置７００であってもよい。該端末装置５０００は入力インターフェース５０１０、出力インターフェース５０２０、プロセッサ５０３０及びメモリ５０４０を備え、該入力インターフェース５０１０、出力インターフェース５０２０、プロセッサ５０３０及びメモリ５０４０がバスシステムによって接続されてもよい。該メモリ５０４０はプログラム、命令又はコードを記憶することに用いられる。該プロセッサ５０３０は、入力インターフェース５０１０が信号を受信し、出力インターフェース５０２０が信号を送信するように制御し及び上記方法実施例における操作を行うように、該メモリ５０４０におけるプログラム、命令又はコードを実行することに用いられる。
【０２３５】
従って、本願の実施例の端末装置において、ＳＭＦ装置のフィードバックしたセッション確立状況を受信することにより、端末装置がセッション確立ポリシーを直ちに調整でき、それにより通信システムの性能の向上に役立つ。
【０２３６】
１つの具体的な実施形態では、端末装置７００における送信ユニットは図１１における出力インターフェース５０２０により実現されてもよく、端末装置７００における受信ユニットは図１１における入力インターフェース５０１０により実現されてもよい。
【０２３７】
図１２に示すように、本願の実施例は更にＳＭＦ装置６０００を提供し、該ＳＭＦ装置６０００は図４における方法４００に対応するＳＭＦ装置の内容を実行することのできる図８におけるＳＭＦ装置８００であってもよい。該ＳＭＦ装置６０００は入力インターフェース６０１０、出力インターフェース６０２０、プロセッサ６０３０及びメモリ６０６０を備え、該入力インターフェース６０１０、出力インターフェース６０２０、プロセッサ６０３０及びメモリ６０６０がバスシステムによって接続されてもよい。該メモリ６０６０はプログラム、命令又はコードを記憶することに用いられる。該プロセッサ６０３０は、入力インターフェース６０１０が信号を受信し、出力インターフェース６０２０が信号を送信するように制御し及び上記方法実施例における操作を行うように、該メモリ６０６０におけるプログラム、命令又はコードを実行することに用いられる。
【０２３８】
従って、本願の実施例のＳＭＦ装置において、端末装置から送信されたＰＤＵセッションの確立パラメータの優先度リストに基づいてＰＤＵセッションの確立を行うことにより、ＰＤＵセッション確立に成功する確率の向上に役立つ。
【０２３９】
１つの具体的な実施形態では、ＳＭＦ装置８００における確立ユニットは図１２におけるプロセッサ６０３０により実現されてもよい。ＳＭＦ装置８００における受信ユニットは図１２における入力インターフェース６０１０により実現されてもよい。ＳＭＦ装置８００における送信ユニットは図１２における出力インターフェース６０２０により実現されてもよい。
【０２４０】
図１３に示すように、本願の実施例は更にＳＭＦ装置７０００を提供し、該ＳＭＦ装置７０００は図５における方法５００に対応するＳＭＦ装置の内容を実行することのできる図９におけるＳＭＦ装置９００であってもよい。該ＳＭＦ装置７０００は入力インターフェース７０１０、出力インターフェース７０２０、プロセッサ７０３０及びメモリ７０４０を備え、該入力インターフェース７０１０、出力インターフェース７０２０、プロセッサ７０３０及びメモリ７０４０がバスシステムによって接続されてもよい。該メモリ７０４０はプログラム、命令又はコードを記憶することに用いられる。該プロセッサ７０３０は、入力インターフェース７０１０が信号を受信し、出力インターフェース７０２０が信号を送信するように制御し及び上記方法実施例における操作を行うように、該メモリ７０４０におけるプログラム、命令又はコードを実行することに用いられる。
【０２４１】
従って、本願の実施例のＳＭＦ装置において、端末装置へセッション確立状況をフィードバックすることにより、端末装置がセッション確立ポリシーを直ちに調整でき、それにより通信システムの性能の向上に役立つ。
【０２４２】
１つの具体的な実施形態では、ＳＭＦ装置９００における送信ユニットは図１３における出力インターフェース７０２０により実現されてもよい。ＳＭＦ装置９００における受信ユニットは図１３における入力インターフェース７０１０により実現されてもよい。
【０２４３】
図１４は本願の実施例のデータ伝送方法８０００のブロック図である。図１４に示される端末装置は図１に示される端末装置であってもよく、図１４に示されるネットワーク装置は図１に示されるコアネットワーク装置であってもよい。該方法８０００は以下の一部又は全部を含む。
【０２４４】
Ｓ８０１０：端末装置がネットワーク装置へ第１要求メッセージを送信し、前記第１要求メッセージが第１プロトコルデータユニット（ＰＤＵ）セッションにおいてＮ個のデータフローのセッション確立を行うように要求することに用いられる。
【０２４５】
Ｓ８０２０：前記端末装置が前記ネットワーク装置から送信された前記第１要求メッセージの返信メッセージを受信し、前記返信メッセージが前記ネットワーク装置による前記第１ＰＤＵセッションにおける前記Ｎ個のデータフローのうちのＭ個のデータフローのセッション確立を拒絶することを示すことに用いられ、ＮとＭがいずれも正の整数であって、ＮがＭ以上である。
【０２４６】
具体的に、端末装置が複数のデータフロー（Ｆｌｏｗ）に対して１つのプロトコルデータユニット（ＰＤＵ：Ｐｒｏｔｏｃｏｌ  Ｄａｔａ  Ｕｎｉｔ）セッションにおいてセッションを確立するように要求する場合、端末装置はコアネットワーク装置へ非アクセス層（ＮＡＳ：Ｎｏｎ−Ａｃｃｅｓｓ  Ｓｔｒａｔｕｍ）メッセージを送信してもよく、該ＮＡＳメッセージはあるＰＤＵセッションを確立又は修正するように要求してもよく、且つ該ＮＡＳメッセージには該ＰＤＵセッションの識別子（ＩＤ：Ｉｄｅｎｔｉｔｙ）が含まれてもよく、コアネットワーク装置は該ＮＡＳメッセージを受信した後、どのＰＤＵセッションにおいてデータフローのセッションを確立するかを把握することができる。理解すべきものは、１つの端末装置は複数のＰＤＵセッションがある可能性があり、本願の実施例は１つの端末装置の複数のＰＤＵセッションのうちのあるＰＤＵセッションに対するものである。コアネットワーク装置が端末装置から送信された該セッション確立又は修正要求を受信した後、コアネットワーク装置はアクセスネットワーク装置が複数のデータフローの該ＰＤＵセッションでの確立又は修正を行うようにトリガーしてもよい。アクセスネットワーク装置は更に要求に応じてどのデータフローが該ＰＤＵセッションにおいてセッション確立を行えるかを判断してもよく、そうするとデータフローが該ＰＤＵセッションにおいてセッション確立を行うことができず、アクセスネットワーク装置は更にコアネットワーク装置へ１つのデータフローリストを送信してもよく、該データフローリストは該アクセスネットワーク装置の受け入れたデータフローリストであってもよく、アクセスネットワーク装置の拒絶したデータフローリストであってもよい。コアネットワーク装置は該データフローリストを受信した後、ネットワーク装置が要求されるデータフローのうちの一部のデータフローを拒絶したことを端末装置に通知する返信メッセージを端末装置に送信してもよく、端末装置は一部のデータフローが拒絶された後、対応する調整を行ってもよく、例えば、該ＰＤＵセッションを確立するパラメータを調整し、又は１つのＰＤＵセッションを替えて拒絶されたデータフローのセッション確立等を改めて開始してもよい。
【０２４７】
従って、本願の実施例のデータ伝送方法によれば、端末装置へセッション確立状況をフィードバックすることにより、端末装置がセッション確立ポリシーを直ちに調整でき、それにより通信システムの性能の向上に役立つ。
【０２４８】
理解すべきものは、本願の実施例は５Ｇ通信システムに適用されてもよく、つまり、本願の実施例のコアネットワーク装置は５ＧにおけるＳＭＦであってもよい。好ましくは、セッション確立過程において、ＳＭＦはＵＰＦと対話してセッション確立を行ってもよい。
【０２４９】
好ましくは、該返信メッセージに拒絶要因値が含まれており、該拒絶要因値は該第１ＰＤＵセッションが該Ｍ個のデータフローをサポートしないことを示すことに用いられる。
【０２５０】
一般的に、ネットワーク側は１つ又は複数のＦｌｏｗの１つのＰＤＵセッションでの確立を拒絶してもよく、その要因は複数あってもよく、例えば、ＰＤＵセッションが許容されない、無線アクセス技術（ＲＡＴ：Ｒａｄｉｏ  Ａｃｃｅｓｓ  Ｔｅｃｈｎｏｌｏｇｙ）アクセスが許容されない、セッション及びサービスの連続性を満足しない、（Ｓ−ＮＳＳＡＩ：Ｓｉｎｇｌｅ−Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ）がエラーになる、データネットワーク名称（ＤＮＮ：Ｄａｔａ  Ｎｅｔｗｏｒｋ  Ｎａｍｅ）がサポートされない、並びにＰＤＵセッション識別子が認識されない恐れがある。本願の実施例では、ネットワーク側が端末装置へ送信した返信メッセージには要因値が含まれてもよく、具体的に、ネットワーク側は端末装置といくつのｂｉｔで上記様々な要因を示すかを予め決めてもよく、例えば、０００１でＰＤＵセッションが許容されないことを示し、００１０でＲＡＴアクセスが許容されないことを示してもよい等が挙げられる。ＰＤＵセッションが許容されないことはＰＤＵセッションが満了したため、該ＰＤＵセッションにデータフローを追加できない等であってもよく、ＰＤＵセッションが許容されないこと及びＰＤＵセッション識別子はいずれもＰＤＵセッションがサポートされないと見なされてもよい。端末装置が返信メッセージに基づいてＰＤＵセッションがサポートされないためであることを把握した場合、端末装置はＰＤＵセッションを適切に調整して、ネットワーク装置に対してセッション確立又は修正を再び開始してもよい。更にＰＤＵセッション確立に成功する可能性を向上させることができる。
【０２５１】
好ましくは、該返信メッセージには該Ｍ個のデータフローのうちの各データフローの識別子が含まれる。
【０２５２】
更に、ネットワーク装置は更に返信メッセージによってどのデータフローがネットワーク側に拒絶されたかを端末装置に示すことができ、例えば、該返信メッセージにはネットワーク装置の受け入れたデータフローリストを含ませてもよく、端末装置は受け入れたデータフローリストに基づいて更にどのデータフローが拒絶されたかを決定することができる。更に直接返信メッセージにはネットワーク装置の拒絶したデータフローリストを含ませてもよい。データフローリストは複数のデータフローの識別子を含んでもよい。
【０２５３】
端末装置はどのデータフローが拒絶されたかを把握した後、端末装置はこれらの拒絶されたデータフローに対してセッション調整を指向的に行ってもよい。端末装置は更にどのデータフローが拒絶されたかを把握しなくてもよく、拒絶要因を把握すると、端末装置はすべてのデータフローに対してセッション調整を行ってもよい。
【０２５４】
好ましくは、該方法は、更に、該端末装置が該返信メッセージに応答して、該ネットワーク装置へ第２要求メッセージを送信し、該第２要求メッセージが第２ＰＤＵセッションにおいて該Ｍ個のデータフローのうちの少なくとも１つのデータフローのセッション確立を行うように要求することに用いられることを含む。
【０２５５】
好ましくは、該第１要求メッセージには該第１ＰＤＵセッションの識別子が含まれており、該第２要求メッセージには該第２ＰＤＵセッションの識別子が含まれており、該第２ＰＤＵセッションが該第１ＰＤＵセッションの識別子を調整した後の該第１ＰＤＵセッションである。
【０２５６】
好ましくは、該端末装置が該返信メッセージに応答する前に、該方法は、更に、該端末装置が該Ｍ個のデータフローに基づき、該第１ＰＤＵセッションではない該第２ＰＤＵセッションの確立パラメータを調整することを含む。
【０２５７】
以上によれば、端末装置は拒絶されたデータフローリスト及びＰＤＵセッションがサポートされないことを拒絶要因とすることを把握した後、端末装置は該データフローのセッション確立を調整してもよい。例えば、端末装置は前回のＰＤＵセッションの識別子がローカルネットワークに認識されないためであることを把握した場合、端末装置は１つの新たな識別子を生成して、前回のＰＤＵセッションの内容を再び使用して拒絶されたデータフローに対してセッション確立を行ってもよい。具体的に、ローカルネットワークがＰＤＵセッション識別子１〜１００を認識するが、前回のＰＤＵセッションの識別子が１０１である場合、ローカルネットワークが該ＰＤＵセッション識別子を認識できないことになり、ネットワーク側は該ＰＤＵセッション識別子が認識されないことを端末装置に通知してもよく、そうすると端末装置は１〜１００の間にある１つの新たなＰＤＵセッション識別子を生成して、該ＰＤＵセッションを改めて用いてセッション確立又は修正要求を開始して、該要求に生成されたばかりのＰＤＵセッション識別子を含ませてもよい。更に例えば、端末装置は前回のＰＤＵセッションが拒絶されたデータフローを許容しないためであることを把握した場合、端末装置は該拒絶されたデータフローを他のＰＤＵセッションにバインディングして、ＰＤＵセッション確立を再び開始してもよい。具体的に、端末装置は他のＰＤＵセッションの確立パラメータを修正して、拒絶されたデータフローを該ＰＤＵセッションに関連付けてもよい。
【０２５８】
好ましくは、該返信メッセージには該第２ＰＤＵセッションの識別子が含まれる。
【０２５９】
具体的に、ネットワーク装置はＰＤＵセッションがサポートされないのでいくつかのデータフローが拒絶されたためであると判断すると、ネットワーク装置は端末装置へ推奨したＰＤＵセッションを送信してもよく、例えば、ネットワーク装置は返信メッセージに直接推奨したＰＤＵセッションの識別子を含ませてもよい。又は、ネットワーク装置はＰＤＵセッションの識別子が認識されないためであると判断すると、ネットワーク装置は端末装置へＰＤＵセッション識別子を推奨してもよい。要するに、ネットワーク装置は端末装置へ拒絶要因値に対応する様々なパラメータの推奨値を送信してもよい。本願の実施例はこれらに限らない。
【０２６０】
以下、図１５を参照しながら本願の実施例のデータ伝送方法９０００のプロセス図を詳しく説明する。該方法は５Ｇ通信システムを例として説明し、該方法９０００は以下の一部又は全部を含む。
【０２６１】
Ｓ９００１：ＵＥがＳＭＦへ第１ＰＤＵセッション確立又は修正要求を送信し、該ＮＡＳメッセージには該第１ＰＤＵセッションの識別子が含まれる。
【０２６２】
Ｓ９００２:ＳＭＦが該第１ＰＤＵセッション確立又は修正要求を受信した後、ＵＰＦと対話してセッション確立を行ってもよい。
【０２６３】
Ｓ９００３：ＳＭＦは更に該第１ＰＤＵセッション確立又は修正要求を受信した後、無線アクセスネットワーク（ＲＡＮ：Ｒａｄｉｏ  Ａｃｃｅｓｓ  Ｎｅｔｗｏｒｋ）がセッション確立又は修正要求を行うようにトリガーしてもよい。
【０２６４】
Ｓ９００４：ＲＡＮがセッション確立を行った後、ＳＭＦへ返信してもよく、該返信には受信又は拒絶されたＦｌｏｗリストが含まれる。
【０２６５】
Ｓ９００５：ＳＭＦがＲＡＮからの返信を受信した後、ＵＥへ返信してもよく、該返信には拒絶されたリストが含まれてもよく、該拒絶されたリストは全部拒絶であってもよく、部分拒絶であってもよく、該返信には拒絶要因が含まれてもよく、推奨値、すなわち推奨したＰＤＵセッション又は推奨したＰＤＵセッションの識別子が含まれてもよい。
【０２６６】
Ｓ９００６：ＵＥが返信メッセージを受信した後、対応する調整を行って、ＰＤＵセッションの確立又は修正を改めて開始してもよい。具体的に、ＵＥがＳＭＦへ第２ＰＤＵセッションの確立又は修正要求を送信してもよく、該第２ＰＤＵセッションの確立又は修正要求には新たなＰＤＵセッション識別子（ＰＤＵセッション識別子が認識されない）が含まれてもよく、該第２ＰＤＵセッションの識別子（ＰＤＵセッションを取り替える）及び以前に拒絶されたＦｌｏｗが含まれてもよい。
【０２６７】
図１６は本願の実施例のデータ伝送方法１０のブロック図である。図１６に示すように、該方法１０は以下の一部又は全部を含む。
【０２６８】
Ｓ１１：ネットワーク装置が端末装置から送信された第１要求メッセージを受信し、該第１要求メッセージが第１プロトコルデータユニット（ＰＤＵ）セッションにおいてＮ個のデータフローのセッション確立を行うように要求することに用いられる。
【０２６９】
Ｓ１２：該ネットワーク装置が該端末装置へ該第１要求メッセージの返信メッセージを送信し、該返信メッセージが該ネットワーク装置による該第１ＰＤＵセッションにおける該Ｎ個のデータフローのうちのＭ個のデータフローのセッション確立を拒絶することを示すことに用いられ、ＮとＭがいずれも正の整数であって、ＮがＭ以上である。
【０２７０】
従って、本願の実施例のデータ伝送方法によれば、端末装置へセッション確立状況をフィードバックすることにより、端末装置がセッション確立ポリシーを直ちに調整でき、それにより通信システムの性能の向上に役立つ。
【０２７１】
好ましくは、該返信メッセージに拒絶要因値が含まれており、該拒絶要因値は該第１ＰＤＵセッションが該Ｍ個のデータフローをサポートしないことを示すことに用いられる。
【０２７２】
好ましくは、該返信メッセージには該Ｍ個のデータフローのうちの各データフローの識別子が含まれる。
【０２７３】
好ましくは、該方法は、更に、該ネットワーク装置が該端末装置から送信された第２要求メッセージを受信し、該第２要求メッセージが第２ＰＤＵセッションにおいて該Ｍ個のデータフローのうちの少なくとも１つのデータフローのセッション確立を行うように要求することに用いられることを含む。
【０２７４】
好ましくは、該返信メッセージには該ネットワーク装置の推奨した該第１ＰＤＵセッションではない該第２ＰＤＵセッションの識別子が含まれる。
【０２７５】
好ましくは、該ネットワーク装置がセッション管理機能（ＳＭＦ）装置であり、該方法は、更に、該ＳＭＦ装置が該第１要求メッセージに基づき、アクセスネットワーク装置による該第１ＰＤＵセッションにおける該Ｎ個のデータフローのセッション確立をトリガーすることと、該ＳＭＦ装置が該アクセスネットワーク装置から送信された該第１ＰＤＵセッションに対応するデータフローリストを受信し、該データフローリストが該Ｍ個のデータフロー又は該第１ＰＤＵセッションの受信した該Ｎ個のデータフローのうちの（Ｎ−Ｍ）個のデータフローを含むことと、を含む。
【０２７６】
理解すべきものは、ネットワーク装置に説明されたネットワーク装置と端末装置との相互作用及び関連特性、機能等は端末装置の関連特性、機能に対応する。且つ、関連内容は上記方法８０００及び方法９０００において既に詳しく説明されたので、簡潔のため、ここで詳細な説明は省略する。
【０２７７】
更に理解すべきものは、本願の様々な実施例では、上記各過程の番号の順位は実行順序の前後を意味せず、各過程の実行順序はその機能及び内部論理によって決定されるべきであり、本願の実施例の実施過程を制限するためのものではない。
【０２７８】
図１７は本願の実施例のデータ伝送方法２０のブロック図である。図１７に示すように、該方法２０は以下の一部又は全部を含む。
【０２７９】
Ｓ２１：端末装置がユーザー装置ルート選択ポリシー（ＵＲＳＰ）における少なくとも１つのルールのそれぞれの識別子に基づき、それぞれ該少なくとも１つのルールを取得する。
【０２８０】
Ｓ２２：該端末装置が該少なくとも１つのルールに基づき、それぞれネットワーク装置に対して該少なくとも１つのルールに１対１に対応する少なくとも１つのプロトコルデータユニット（ＰＤＵ）セッションの確立又は修正を開始する。
【０２８１】
具体的に、５Ｇにはユーザー装置ルート選択ポリシー（ＵＲＳＰ：ＵＥ  Ｒｏｕｔｅ  Ｓｅｌｅｃｔｉｏｎ  Ｐｏｌｉｃｙ）の概念を導入したが、ＵＲＳＰポリシーはＵＥの異なるデータフローに対するルートポリシーを規定した。各端末装置は１つのみのＵＲＳＰがあり、各ＵＲＳＰには複数のルールがあってもよく、端末装置は各ルールに基づいて１つのＰＤＵセッション確立を開始してもよい。具体的に、端末装置はあるルールにおける１つ又は複数のパラメータに基づいて１つのＰＤＵセッション確立又は修正を開始してもよい。例えば、該１つ又は複数のパラメータはアクセスＲＡＴ、セッション及びサービスの連続性モード、ネットワークスライス又は分流等であってもよい。該ルールにおけるパラメータはコアネットワークにより測定され、端末装置が登録を行う際に端末装置に送信されてもよく、端末装置は該パラメータに基づいてセッションの確立又は修正プロセスを開始する。本願の実施例では、ルール識別子を導入してもよく、それによりネットワーク装置がすべてのルールを端末装置に１回で送信することなく、端末装置がルール識別子に基づいてあるルールを取得してもよく、ネットワーク装置の負荷を低減して、通信柔軟性を向上させる。
【０２８２】
好ましくは、該少なくとも１つのルールが複数のルールであり、該端末装置が該複数のルールに基づき、それぞれネットワーク装置に対して該複数のルールに１対１に対応する複数のプロトコルデータユニット（ＰＤＵ）セッションの確立又は修正を開始することは、該端末装置が該複数のルールの優先度に基づき、順に該ネットワーク装置に対して該複数のＰＤＵセッションの確立又は修正を開始することを含む。
【０２８３】
具体的に、本願の実施例では、該ＵＲＳＰにおける複数のルールは優先度概念を導入してもよく、つまり端末装置は優先的にあるルールに基づいてネットワーク装置に対して該ルールに対応するＰＤＵセッションの確立又は修正を開始してもよい。端末装置は更に複数のルールを分類して、各種類のルールを優先度でソートしてもよく、同じ種類のルールの内部に開始したＰＤＵセッションはソートしなくてもよく、つまり任意の順序でＰＤＵセッションを開始してもよい。
【０２８４】
好ましくは、各ルールの識別子により各ルールの優先順位を特徴づけてもよい。例えば、端末装置がルール＃１を取得すると、端末装置は該ルール＃１の優先順位が最も高いと見なされてもよい。
【０２８５】
好ましくは、該少なくとも１つのルールのうちの第１ルールは無線アクセス技術（ＲＡＴ）、セッション及びサービスの連続性モード、単一のネットワークスライス選択補助情報（Ｓ−ＮＳＳＡＩ）、分割タイプ、データネットワーク名称（ＤＮＮ）、並びにデータフローフィルタのうちの少なくとも１つを含む。
【０２８６】
理解すべきものは、ここで第１ルールを例として説明したが、ＵＲＳＰにおける各ルールはいずれも上記様々なパラメータの任意の組み合わせを含んでもよく、且つ上記様々なパラメータは例示的なものに過ぎず、本願の実施例はこれらに限らない。
【０２８７】
好ましくは、該少なくとも１つのパラメータのうちの第１パラメータは優先度を特徴づける複数の値を含み、該端末装置が該第１ルールに基づき、ネットワーク装置に対して第１プロトコルデータユニット（ＰＤＵ）セッションの確立又は修正を開始することは、該端末装置が該複数の値の優先度に基づき、該ネットワーク装置に対して第１ＰＤＵセッションの確立又は修正を開始することを含む。
【０２８８】
例えば、第１ルールはアクセスＲＡＴ、セッション及びサービスの連続性モード、並びに単一のネットワークスライス選択補助情報（Ｓ−ＮＳＳＡＩ）を含んでもよく、且つアクセスＲＡＴの値は第３世代移動体通信システムの標準化プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）アクセス（ａｃｃｅｓｓ）及び無線ローカルエリアネットワーク（ＷＬＡＮ：Ｗｉｒｅｌｅｓｓ  Ｌｏｃａｌ  Ａｒｅａ  Ｎｅｔｗｏｒｋｓ）ａｃｃｅｓｓである。セッション及びサービスの連続性はモード３及びモード２を含み、Ｓ−ＮＳＳＡＩはＳ−ＮＳＳＡＩ−ａ及びＳ−ＮＳＳＡＩ−ｂを含む。各パラメータの値を優先度でソートしてもよく、例えば、アクセスＲＡＴは優先的に３ＧＰＰ  ａｃｃｅｓｓを使用してもよく、Ｓ−ＮＳＳＡＩは優先的にＳ−ＮＳＳＡＩ−ａを使用してもよく、セッション及びサービスの連続性は優先的にモード３等を使用してもよい。ネットワーク装置はあるパラメータの値が適切ではないことをフィードバックした場合、端末装置は他の値に調整してもよい。端末装置はＰＤＵセッション確立又は修正を１回目に開始するとき、該ＰＤＵセッションに対応するルールにおけるあるパラメータの値をランダムに選択してもよい。端末装置は更に直接優先度のより高いあるパラメータの値を選択して、ＰＤＵセッション確立に成功する可能性を向上させてもよい。端末装置がＰＤＵセッション確立又は修正を１回目に開始する際にあるパラメータの値をランダムに選択した場合、ネットワーク装置は該パラメータが要件を満足しないため該ＰＤＵセッション要求を拒絶したとき、端末装置は該パラメータの優先度の更に高い値を選択して該ＰＤＵセッション要求を再び開始してもよい。
【０２８９】
好ましくは、該端末装置が該少なくとも１つのルールのうちの第１ルールに基づき、ネットワーク装置に対して第１プロトコルデータユニット（ＰＤＵ）セッションの確立又は修正を開始することは、該端末装置が該第１ルールに基づき、該ネットワーク装置へ第１要求メッセージを送信し、該第１要求メッセージが該ネットワーク装置による該第１ＰＤＵセッションにおけるＮ個のデータフローのセッション確立を要求することに用いられることを含み、該端末装置が該第１ルールに基づき、該ネットワーク装置に対して第１ＰＤＵセッションの確立又は修正を開始した後、該方法は、更に、該端末装置が該ネットワーク装置から送信された該第１要求メッセージの返信メッセージを受信し、該返信メッセージが該ネットワーク装置による該第１ＰＤＵセッションにおける該Ｎ個のデータフローのうちのＭ個のデータフローのセッション確立を拒絶することを示すことに用いられ、ＮとＭがいずれも正の整数であって、ＮがＭ以上であることを含む。
【０２９０】
好ましくは、該返信メッセージに拒絶要因値が含まれており、該拒絶要因値は、ＰＤＵセッションがサポートされない、ＲＡＴアクセスが許容されない、セッション及びサービスの連続性を満足しない、Ｓ−ＮＳＳＡＩがエラーになる、ＤＮＮがサポートされない、並びにＰＤＵセッション識別子が認識されない状況のうちの少なくとも１つを示すことに用いられる。
【０２９１】
一般的に、ネットワーク側は１つ又は複数のＦｌｏｗの１つのＰＤＵセッションでの確立を拒絶してもよく、その要因は複数あってもよく、例えば、ＰＤＵセッションが許容されない、ＲＡＴアクセスが許容されない、セッション及びサービスの連続性を満足しない、Ｓ−ＮＳＳＡＩがエラーになる、ＤＮＮがサポートされない等のＵＲＳＰにおける該ＰＤＵセッションに対応するルールにおけるパラメータが要件を満足しない恐れもあるし、ＰＤＵセッション識別子が認識されない恐れもある。本願の実施例では、ネットワーク側が端末装置へ送信した返信メッセージには要因値が含まれてもよく、具体的に、ネットワーク側は端末装置といくつのｂｉｔで上記様々な要因を示すかを予め決めてもよく、例えば、０００１でＰＤＵセッションが許容されないことを示し、００１０でＲＡＴアクセスが許容されないことを示す等が挙げられる。端末装置はＵＲＳＰにおける対応するルールにおけるあるパラメータが要件を満足しないことを把握すると、端末装置は該パラメータの値を調整してもよい。
【０２９２】
好ましくは、該方法は、更に、該端末装置が該返信メッセージに応答して、該拒絶要因値に対応する該第１ルールにおけるパラメータの値を調整することと、該端末装置が調整後の該第１ルールに基づき、該ネットワーク装置へ第２要求メッセージを送信し、該第２要求メッセージが該ネットワーク装置による第１ＰＤＵセッションにおける該Ｍ個のデータフローのうちの少なくとも１つのデータフローのセッション確立を要求することに用いられることと、を含む。
【０２９３】
好ましくは、該拒絶要因値に対応する該第１ルールのパラメータは優先度を特徴づける複数の値を含み、該端末装置が該返信メッセージに応答して、該拒絶要因値に対応する該第１ルールのパラメータの値を調整することは、該端末装置が該返信メッセージに応答して、該拒絶要因値に対応する該第１ＵＲＳＰのパラメータの値を、前回第１ＰＤＵセッション確立を開始する優先度より高い値に調整することを含む。
【０２９４】
好ましくは、該返信メッセージには該ネットワーク装置の推奨した該拒絶要因値に対応する該第１ルールのパラメータの値が含まれており、該端末装置が該返信メッセージに応答して、該拒絶要因値に対応する該第１ＵＲＳＰのパラメータの値を調整することは、該端末装置が該拒絶要因値に対応する該第１ルールのパラメータの値を、該ネットワーク装置の推奨した該拒絶要因値に対応する該第１ルールのパラメータの値に調整することを含む。
【０２９５】
つまり、端末装置は返信メッセージを受信した後、ネットワーク装置が返信メッセージに推奨値を含ませる場合、推奨値に基づいて修正し、推奨値が含まれていない場合、拒絶要因値に対応するルールにおけるパラメータをパラメータの優先度に応じて調整してもよい。例えば、ネットワーク装置の返信が、アクセスＲＡＴのアクセスを満足しないというものである場合、端末装置は優先度の更に高いＲＡＴアクセスを選択してＰＤＵセッション確立を再び開始してもよい。ネットワーク装置の返信が、アクセスＲＡＴのアクセスを満足せず、且つ該返信には推奨したＲＡＴアクセスが３ＧＰＰ  ａｃｃｅｓｓであるのが含まれる場合、端末装置は直接３ＧＰＰ  ａｃｃｅｓｓに基づいてＰＤＵセッション確立を再び開始してもよい。
【０２９６】
好ましくは、該方法は、更に、該端末装置が該ネットワーク装置から送信された該ＵＲＳＰにおける該少なくとも１つのルールのうちの第１ルール以外の第２ルール及び該第１ルールの識別子を受信することを含み、該端末装置が第１ルールの識別子に基づき、該第１ルールを取得することは、該端末装置が該第２ルールに対応する第２ＰＤＵセッションを確立した後、該第１ルールの識別子に基づき、ユーザープレーンを介して該第１ルールを取得すること、又は、該端末装置が該第１ルールの識別子に基づき、該ネットワーク装置が制御プレーンによって該第１ルールを送信するようにトリガーすることを含む。
【０２９７】
当業者であれば、ネットワーク装置が、端末装置がネットワーク登録を行うときに、ポリシー制御機能（ＰＣＦ：Ｐｏｌｉｃｙ  Ｃｏｎｔｒｏｌ  Ｆｕｎｔｉｏｎ）を介して端末装置へＵＲＳＰポリシーを送信することを理解する。
【０２９８】
好ましくは、該方法は、更に、該端末装置がサーバの識別子を受信することを含み、該端末装置が該第２ルールに対応する第２ＰＤＵセッションを確立した後、該第１ルールの識別子に基づき、ユーザープレーンを介して該第１ルールを取得することは、該端末装置が該第２ルールに対応する第２ＰＤＵセッションを確立した後、該第１ルールの識別子及び該サーバの識別子に基づき、ユーザープレーンを介して該第１ルールを取得することを含む。
【０２９９】
好ましくは、該第２ルールの優先度が該第１ルールの優先度より高い。
【０３００】
本願の実施例では、ネットワーク負荷を低減するために、ＵＲＳＰポリシーが大きすぎる場合、ＰＣＦが１つのシグナリングメッセージによって端末装置に完全に送信できない恐れがある場合、ＰＣＦが制御プレーンによって端末装置へＵＲＳＰにおける複数のルールを数回に分けて送信してもよく、例えば、複数のルールをグループ分けして、各メッセージによって１組のルールを送信してもよく、該複数のルールを優先度でソートして能動的に数回に分けて送信してもよく、優先度の高いものを先に送信してもよく、端末装置は更に１バッチのルールをすべて受信するたびに、ＰＣＦへ要件のルールの識別子を送信してもよく、具体的に、ＰＣＦが端末装置へルール１及びルール２を初めて送信する場合、端末装置はＰＣＦへルール３及びルール４の識別子をフィードバックして、ＰＣＦに端末装置へルール３及びルール４を再び送信させてもよい。
【０３０１】
ＰＣＦは更にまず端末装置へ一部のルールを送信してもよく、且つ該ＰＣＦには残りのルールの識別子が含まれており、端末装置が一部のルールに基づいてユーザープレーンを確立した後、端末装置は残りのルールの識別子に基づいてユーザープレーンにおいて取得してもよい。更に、ＰＣＦは更に端末装置へ残りのルールが記憶されるサーバの識別子を送信してもよく、端末装置は一部のルールに基づいてユーザープレーンを確立した後、残りのルールの識別子に基づいてユーザープレーンに対応するサーバから残りのルールを取得してもよい。
【０３０２】
ＵＲＳＰポリシーを数回に分けて取得することにより、ネットワーク負荷を効果的に低減して、通信柔軟性を向上させることができる。
【０３０３】
好ましくは、端末装置がユーザー装置ルート選択ポリシー（ＵＲＳＰ）における少なくとも１つのルールのそれぞれの識別子に基づき、それぞれ該少なくとも１つのルールを取得することは、該端末装置がネットワーク登録を行うとき、該端末装置が該少なくとも１つのルールのそれぞれの識別子に基づき、該少なくとも１つのルールを取得することを含む。
【０３０４】
図１８は本願の実施例のデータ伝送方法３０のブロック図である。図１８に示すように、該方法３０は以下の一部又は全部を含む。
【０３０５】
Ｓ３１、端末装置がネットワーク登録を行うとき、ネットワーク装置が複数のメッセージを通じて該端末装置へユーザー装置ルート選択ポリシー（ＵＲＳＰ）における複数のルールを送信する。
【０３０６】
従って、本願の実施例のデータ伝送方法によれば、ＵＲＳＰポリシーを数回に分けて取得することにより、ネットワーク負荷を効果的に低減して、通信柔軟性を向上させることができる。
【０３０７】
好ましくは、該端末装置がネットワーク登録を行うとき、ネットワーク装置が複数のメッセージを通じて該端末装置へユーザー装置ルート選択ポリシー（ＵＲＳＰ）における複数のルールを送信することは、端末装置がネットワーク登録を行うとき、該ネットワーク装置が該複数のルールの優先度に基づき、順に制御プレーンの複数のメッセージを通じて該端末装置へ該複数のルールを送信することを含む。
【０３０８】
好ましくは、該ネットワーク装置がポリシー制御機能（ＰＣＦ）である。
【０３０９】
図１９は本願の実施例のデータ伝送方法４０のブロック図である。図１９に示すように、該方法４０は以下の一部又は全部を含む。
【０３１０】
Ｓ４１：端末装置が第２ルールに対応する第２ＰＤＵセッションを確立した後に第１ルールの識別子に基づいてユーザープレーンを介して該第１ルールを取得するように、ネットワーク装置は、端末装置がネットワーク登録を行うときに、該端末装置へユーザー装置ルート選択ポリシー（ＵＲＳＰ）における第１ルール以外の第２ルール及び該第１ルールの識別子を送信する。
【０３１１】
本願の実施例のデータ伝送方法によれば、ＵＲＳＰポリシーを数回に分けて取得することにより、ネットワーク負荷を効果的に低減して、通信柔軟性を向上させることができる。
【０３１２】
好ましくは、該方法は、更に、該端末装置が該第２ルールに対応する第２ＰＤＵセッションを確立した後に該第１ルールの識別子及び該サーバの識別子に基づいてユーザープレーンを介して該第１ルールを取得するように、該ネットワーク装置は該端末装置へサーバの識別子を送信することを含む。
【０３１３】
好ましくは、該ネットワーク装置がポリシー制御機能（ＰＣＦ）である。
【０３１４】
理解すべきものは、ネットワーク装置に説明されたネットワーク装置と端末装置との相互作用及び関連特性、機能等は端末装置の関連特性、機能に対応する。且つ、関連内容は上記方法６００において既に詳しく説明されたので、簡潔のため、ここで詳細な説明は省略する。
【０３１５】
更に理解すべきものは、本願の様々な実施例では、上記各過程の番号の順位は実行順序の前後を意味せず、各過程の実行順序はその機能及び内部論理によって決定されるべきであり、本願の実施例の実施過程を制限するためのものではない。
【０３１６】
以上は本願の実施例に係るデータ伝送方法を詳しく説明したが、以下に図２０〜図２９を参照しながら本願の実施例に係るデータ伝送装置を説明し、方法実施例に説明される技術的特徴は以下の装置実施例に適用される。
【０３１７】
図２０は本願の実施例の端末装置５０のブロック図である。図２０に示すように、該端末装置５０は、
ネットワーク装置へ第１要求メッセージを送信するように構成される送信ユニット５１であって、該第１要求メッセージが第１プロトコルデータユニット（ＰＤＵ）セッションにおいてＮ個のデータフローのセッション確立を行うように要求することに用いられる送信ユニット５１と、
該ネットワーク装置から送信された該第１要求メッセージの返信メッセージを受信するように構成される受信ユニット５２であって、該返信メッセージが該ネットワーク装置による該第１ＰＤＵセッションにおける該Ｎ個のデータフローのうちのＭ個のデータフローのセッション確立を拒絶することを示すことに用いられ、ＮとＭがいずれも正の整数であって、ＮがＭ以上である受信ユニット５２と、を備える。
【０３１８】
従って、本願の実施例の端末装置において、ネットワーク装置のフィードバックしたセッション確立状況を受信することにより、端末装置がセッション確立ポリシーを直ちに調整でき、それにより通信システムの性能の向上に役立つ。
【０３１９】
好ましくは、該返信メッセージに拒絶要因値が含まれており、該拒絶要因値は該第１ＰＤＵセッションが該Ｍ個のデータフローをサポートしないことを示すことに用いられる。
【０３２０】
好ましくは、該返信メッセージには該Ｍ個のデータフローのうちの各データフローの識別子が含まれる。
【０３２１】
好ましくは、該送信ユニットは、更に、該返信メッセージに応答して、該ネットワーク装置へ第２要求メッセージを送信することに用いられ、該第２要求メッセージが第２ＰＤＵセッションにおいて該Ｍ個のデータフローのうちの少なくとも１つのデータフローのセッション確立を行うように要求することに用いられる。
【０３２２】
好ましくは、該第１要求メッセージには該第１ＰＤＵセッションの識別子が含まれており、該第２要求メッセージには該第２ＰＤＵセッションの識別子が含まれており、該第２ＰＤＵセッションが該第１ＰＤＵセッションの識別子を調整した後の該第１ＰＤＵセッションである。
【０３２３】
好ましくは、該端末装置が該返信メッセージに応答する前に、該端末装置は、更に、該Ｍ個のデータフローに基づき、該第１ＰＤＵセッションではない該第２ＰＤＵセッションの確立パラメータを調整するように構成される処理ユニットを備える。
【０３２４】
好ましくは、該返信メッセージには該第２ＰＤＵセッションの識別子が含まれる。
【０３２５】
好ましくは、該ネットワーク装置がセッション管理機能（ＳＭＦ）装置である。
【０３２６】
理解すべきものは、本願の実施例に係る端末装置５０は本願の方法実施例における端末装置に対応してもよく、且つ端末装置５０における各ユニットの上記及び他の操作及び／又は機能はそれぞれ図１４及び図１５の方法における端末装置の対応プロセスを実現するためのものであり、簡潔のため、ここで詳細な説明は省略する。
【０３２７】
図２１は本願の実施例のネットワーク装置６０のブロック図である。図２１に示すように、該ネットワーク装置６０は、
端末装置から送信された第１要求メッセージを受信するように構成される受信ユニット６１であって、該第１要求メッセージが第１プロトコルデータユニット（ＰＤＵ）セッションにおいてＮ個のデータフローのセッション確立を行うように要求することに用いられる受信ユニット６１と、
該端末装置へ該第１要求メッセージの返信メッセージを送信するように構成される送信ユニット６２であって、該返信メッセージが該ネットワーク装置による該第１ＰＤＵセッションにおける該Ｎ個のデータフローのうちのＭ個のデータフローのセッション確立を拒絶することを示すことに用いられ、ＮとＭがいずれも正の整数であって、ＮがＭ以上である送信ユニット６２と、を備える。
【０３２８】
従って、本願の実施例のネットワーク装置において、端末装置へセッション確立状況をフィードバックすることにより、端末装置がセッション確立ポリシーを直ちに調整でき、それにより通信システムの性能の向上に役立つ。
【０３２９】
好ましくは、該返信メッセージに拒絶要因値が含まれており、該拒絶要因値は該第１ＰＤＵセッションが該Ｍ個のデータフローをサポートしないことを示すことに用いられる。
【０３３０】
好ましくは、該返信メッセージには該Ｍ個のデータフローのうちの各データフローの識別子が含まれる。
【０３３１】
好ましくは、該受信ユニットは、更に、該端末装置から送信された第２要求メッセージを受信することに用いられ、該第２要求メッセージが第２ＰＤＵセッションにおいて該Ｍ個のデータフローのうちの少なくとも１つのデータフローのセッション確立を行うように要求することに用いられる。
【０３３２】
好ましくは、該返信メッセージには該ネットワーク装置の推奨した該第１ＰＤＵセッションではない該第２ＰＤＵセッションの識別子が含まれる。
【０３３３】
好ましくは、該ネットワーク装置がセッション管理機能（ＳＭＦ）装置であり、該ネットワーク装置は、更に、該第１要求メッセージに基づき、アクセスネットワーク装置による該第１ＰＤＵセッションにおける該Ｎ個のデータフローのセッション確立をトリガーするように構成される処理ユニットを備え、該受信ユニットは更に、該アクセスネットワーク装置から送信された該第１ＰＤＵセッションに対応するデータフローリストを受信するように構成され、該データフローリストが該Ｍ個のデータフロー又は該第１ＰＤＵセッションの受信した該Ｎ個のデータフローのうちの（Ｎ−Ｍ）個のデータフローを含む。
【０３３４】
理解すべきものは、本願の実施例に係るネットワーク装置６０は本願の方法実施例におけるネットワーク装置に対応してもよく、且つネットワーク装置６０における各ユニットの上記及び他の操作及び／又は機能はそれぞれ図１６の方法におけるネットワーク装置の対応プロセスを実現するためのものであり、簡潔のため、ここで詳細な説明は省略する。
【０３３５】
図２２は本願の実施例の端末装置７０のブロック図である。図２２に示すように、該端末装置７０は、
ユーザー装置ルート選択ポリシー（ＵＲＳＰ）における少なくとも１つのルールのそれぞれの識別子に基づき、それぞれ該少なくとも１つのルールを取得するように構成される処理ユニット７１と、
更に、該少なくとも１つのルールに基づき、それぞれネットワーク装置に対して該少なくとも１つのルールに１対１に対応する少なくとも１つのプロトコルデータユニット（ＰＤＵ）セッションの確立又は修正を開始するように構成される該処理ユニット７１と、を備える。
【０３３６】
本願の実施例の端末装置において、ネットワーク装置がすべてのルールを端末装置に１回で送信することなく、ルール識別子に基づいてあるルールを取得することができ、ネットワーク装置の負荷を低減して、通信柔軟性を向上させる。
【０３３７】
好ましくは、該少なくとも１つのルールが複数のルールであり、該処理ユニットは、具体的に、該複数のルールの優先度に基づき、順に該ネットワーク装置に対して該複数のＰＤＵセッションの確立又は修正を開始することに用いられる。
【０３３８】
好ましくは、該少なくとも１つのルールのうちの第１ルールは無線アクセス技術（ＲＡＴ）、セッション及びサービスの連続性モード、単一のネットワークスライス選択補助情報（Ｓ−ＮＳＳＡＩ）、分割タイプ、データネットワーク名称（ＤＮＮ）、並びにデータフローフィルタのうちの少なくとも１つを含む。
【０３３９】
好ましくは、該少なくとも１つのパラメータのうちの第１パラメータは優先度を特徴づける複数の値を含み、該処理ユニットは、具体的に、該複数の値の優先度に基づき、該ネットワーク装置に対して第１ＰＤＵセッションの確立又は修正を開始することに用いられる。
【０３４０】
好ましくは、該処理ユニットは、更に、該第１ルールに基づき、該ネットワーク装置へ第１要求メッセージを送信することに用いられ、該第１要求メッセージが該ネットワーク装置による該第１ＰＤＵセッションにおけるＮ個のデータフローのセッション確立を要求することに用いられ、該処理ユニットが該第１ルールに基づき、該ネットワーク装置に対して第１ＰＤＵセッションの確立又は修正を開始した後、該端末装置は、更に、該ネットワーク装置から送信された該第１要求メッセージの返信メッセージを受信するように構成される受信ユニットを備え、該返信メッセージが該ネットワーク装置による該第１ＰＤＵセッションにおける該Ｎ個のデータフローのうちのＭ個のデータフローのセッション確立を拒絶することを示すことに用いられ、ＮとＭがいずれも正の整数であって、ＮがＭ以上である。
【０３４１】
好ましくは、該返信メッセージに拒絶要因値が含まれており、該拒絶要因値は、ＰＤＵセッションがサポートされない、ＲＡＴアクセスが許容されない、セッション及びサービスの連続性を満足しない、Ｓ−ＮＳＳＡＩがエラーになる、ＤＮＮがサポートされない、並びにＰＤＵセッション識別子が認識されない状況のうちの少なくとも１つを示すことに用いられる。
【０３４２】
好ましくは、該端末装置は更に、該返信メッセージに応答して、該拒絶要因値に対応する該第１ルールにおけるパラメータの値を調整するように構成される該処理ユニットと、調整後の該第１ルールに基づき、該ネットワーク装置へ第２要求メッセージを送信するように構成される送信ユニットであって、該第２要求メッセージが該ネットワーク装置による第１ＰＤＵセッションにおける該Ｍ個のデータフローのうちの少なくとも１つのデータフローのセッション確立を要求することに用いられる送信ユニットと、を備える。
【０３４３】
好ましくは、該拒絶要因値に対応する該第１ルールのパラメータは優先度を特徴づける複数の値を含み、該処理ユニットは、更に、該返信メッセージに応答して、該拒絶要因値に対応する該第１ＵＲＳＰのパラメータの値を、前回第１ＰＤＵセッション確立を開始する優先度より高い値に調整することに用いられる。
【０３４４】
好ましくは、該返信メッセージには該ネットワーク装置の推奨した該拒絶要因値に対応する該第１ルールのパラメータの値が含まれており、該処理ユニットが該返信メッセージに応答して、該拒絶要因値に対応する該第１ＵＲＳＰのパラメータの値を調整することは、該処理ユニットが該拒絶要因値に対応する該第１ルールのパラメータの値を、該ネットワーク装置の推奨した該拒絶要因値に対応する該第１ルールのパラメータの値に調整することを含む。
【０３４５】
好ましくは、該端末装置は、更に、該ネットワーク装置から送信された該ＵＲＳＰにおける該少なくとも１つのルールのうちの第１ルール以外の第２ルール及び該第１ルールの識別子を受信するように構成される受信ユニットを備え、該処理ユニットが第１ルールの識別子に基づき、該第１ルールを取得することは、
該処理ユニットが該第２ルールに対応する第２ＰＤＵセッションを確立した後、該第１ルールの識別子に基づき、ユーザープレーンを介して該第１ルールを取得すること、又は、該処理ユニットが該第１ルールの識別子に基づき、該ネットワーク装置が制御プレーンによって該第１ルールを送信するようにトリガーすることを含む。
【０３４６】
好ましくは、該受信ユニットは、更に、サーバの識別子を受信することに用いられ、該処理ユニットが該第２ルールに対応する第２ＰＤＵセッションを確立した後、該第１ルールの識別子に基づき、ユーザープレーンを介して該第１ルールを取得することは、該処理ユニットが該第２ルールに対応する第２ＰＤＵセッションを確立した後、該第１ルールの識別子及び該サーバの識別子に基づき、ユーザープレーンを介して該第１ルールを取得することを含む。
【０３４７】
好ましくは、該第２ルールの優先度が該第１ルールの優先度より高い。
【０３４８】
好ましくは、該処理ユニットがユーザー装置ルート選択ポリシー（ＵＲＳＰ）における少なくとも１つのルールのそれぞれの識別子に基づき、それぞれ該少なくとも１つのルールを取得することは、該端末装置がネットワーク登録を行うとき、該処理ユニットが該少なくとも１つのルールのそれぞれの識別子に基づき、該少なくとも１つのルールを取得することを含む。
【０３４９】
理解すべきものは、本願の実施例に係る端末装置７０は本願の方法実施例における端末装置に対応してもよく、且つ端末装置７０における各ユニットの上記及び他の操作及び／又は機能はそれぞれ図１７の方法における端末装置の対応プロセスを実現するためのものであり、簡潔のため、ここで詳細な説明は省略する。
【０３５０】
図２３は本願の実施例のネットワーク装置８０のブロック図である。図２３に示すように、該ネットワーク装置８０は、
端末装置がネットワーク登録を行うとき、複数のメッセージを通じて該端末装置へユーザー装置ルート選択ポリシー（ＵＲＳＰ）における複数のルールを送信するように構成される送信ユニット８１を備える。
【０３５１】
従って、本願の実施例のネットワーク装置において、ＵＲＳＰポリシーを数回に分けて取得することにより、ネットワーク負荷を効果的に低減して、通信柔軟性を向上させることができる。
【０３５２】
好ましくは、該端末装置がネットワーク登録を行うとき、該処理ユニットは、具体的に、端末装置がネットワーク登録を行うとき、該複数のルールの優先度に基づき、順に制御プレーンの複数のメッセージを通じて該端末装置へ該複数のルールを送信することに用いられる。
【０３５３】
好ましくは、該ネットワーク装置がポリシー制御機能（ＰＣＦ）である。
【０３５４】
理解すべきものは、本願の実施例に係るネットワーク装置８０は本願の方法実施例における端末装置に対応してもよく、且つネットワーク装置８０における各ユニットの上記及び他の操作及び／又は機能はそれぞれ図１８の方法における端末装置の対応プロセスを実現するためのものであり、簡潔のため、ここで詳細な説明は省略する。
【０３５５】
図２４は本願の実施例のネットワーク装置９０のブロック図である。図２４に示すように、該ネットワーク装置９０は、
端末装置が第２ルールに対応する第２ＰＤＵセッションを確立した後に第１ルールの識別子に基づいてユーザープレーンを介して該第１ルールを取得するように、端末装置がネットワーク登録を行うときに、該端末装置へユーザー装置ルート選択ポリシー（ＵＲＳＰ）における第１ルール以外の第２ルール及び該第１ルールの識別子を送信するように構成される送信ユニット９１を備える。
【０３５６】
従って、本願の実施例のネットワーク装置において、ＵＲＳＰポリシーを数回に分けて取得することにより、ネットワーク負荷を効果的に低減して、通信柔軟性を向上させることができる。
【０３５７】
好ましくは、該送信ユニットは、更に、該端末装置が該第２ルールに対応する第２ＰＤＵセッションを確立した後に該第１ルールの識別子及び該サーバの識別子に基づいてユーザープレーンを介して該第１ルールを取得するように、該端末装置へサーバの識別子を送信することに用いられる。
【０３５８】
好ましくは、該ネットワーク装置がポリシー制御機能（ＰＣＦ）である。
【０３５９】
理解すべきものは、本願の実施例に係るネットワーク装置９０は本願の方法実施例における端末装置に対応してもよく、且つネットワーク装置９０における各ユニットの上記及び他の操作及び／又は機能はそれぞれ図１９の方法における端末装置の対応プロセスを実現するためのものであり、簡潔のため、ここで詳細な説明は省略する。
【０３６０】
図２５に示すように、本願の実施例は更に端末装置１００００を提供し、該端末装置１００００は図１４における方法８０００に対応する端末装置の内容を実行することのできる図２０における端末装置５０であってもよい。該端末装置１００００は入力インターフェース１００１０、出力インターフェース１００２０、プロセッサ１００３０及びメモリ１００４０を備え、該入力インターフェース１００１０、出力インターフェース１００２０、プロセッサ１００３０及びメモリ１００４０がバスシステムによって接続されてもよい。該メモリ１００４０はプログラム、命令又はコードを記憶することに用いられる。該プロセッサ１００３０は、入力インターフェース１００１０が信号を受信し、出力インターフェース１００２０が信号を送信するように制御し及び上記方法実施例における操作を行うように、該メモリ１００４０におけるプログラム、命令又はコードを実行することに用いられる。
【０３６１】
従って、本願の実施例の端末装置において、ネットワーク装置のフィードバックしたセッション確立状況を受信することにより、端末装置がセッション確立ポリシーを直ちに調整でき、それにより通信システムの性能の向上に役立つ。
【０３６２】
１つの具体的な実施形態では、端末装置５０における送信ユニットは図２５における出力インターフェース１００２０により実現されてもよく、端末装置５０における受信ユニットは図２５における入力インターフェース１００１０により実現されてもよい。
【０３６３】
図２６に示すように、本願の実施例は更にネットワーク装置２００００を提供し、該ネットワーク装置２００００は図１２０における方法９０００に対応するネットワーク装置の内容を実行することのできる図２１におけるネットワーク装置６０であってもよい。該ネットワーク装置２００００は入力インターフェース２００１０、出力インターフェース２００２０、プロセッサ２００３０及びメモリ２００４０を備え、該入力インターフェース２００１０、出力インターフェース２００２０、プロセッサ２００３０及びメモリ２００４０がバスシステムによって接続されてもよい。該メモリ２００４０はプログラム、命令又はコードを記憶することに用いられる。該プロセッサ２００３０は、入力インターフェース２００１０が信号を受信し、出力インターフェース２００２０が信号を送信するように制御し及び上記方法実施例における操作を行うように、該メモリ２００４０におけるプログラム、命令又はコードを実行することに用いられる。
【０３６４】
従って、本願の実施例のネットワーク装置において、端末装置へセッション確立状況をフィードバックすることにより、端末装置がセッション確立ポリシーを直ちに調整でき、それにより通信システムの性能の向上に役立つ。
【０３６５】
１つの具体的な実施形態では、ネットワーク装置６０における送信ユニットは図２６における出力インターフェース２００２０により実現されてもよく、ネットワーク装置６０における受信ユニットは図２６における入力インターフェース２００１０により実現されてもよい。
【０３６６】
図２７に示すように、本願の実施例は更に端末装置３００００を提供し、該端末装置３００００は図１７における方法１０に対応する端末装置の内容を実行することのできる図２２における端末装置７０であってもよい。該端末装置３００００は入力インターフェース３００１０、出力インターフェース３００２０、プロセッサ３００３０及びメモリ３００３００を備え、該入力インターフェース３００１０、出力インターフェース３００２０、プロセッサ３００３０及びメモリ３００３００がバスシステムによって接続されてもよい。該メモリ３００３００はプログラム、命令又はコードを記憶することに用いられる。該プロセッサ３００３０は、入力インターフェース３００１０が信号を受信し、出力インターフェース３００２０が信号を送信するように制御し及び上記方法実施例における操作を行うように、該メモリ３００３００におけるプログラム、命令又はコードを実行することに用いられる。
【０３６７】
従って、本願の実施例の端末装置において、ネットワーク装置がすべてのルールを端末装置に１回で送信することなく、ルール識別子に基づいてあるルールを取得することができ、ネットワーク装置の負荷を低減して、通信柔軟性を向上させる。
【０３６８】
１つの具体的な実施形態では、端末装置７０における処理ユニットは図２７におけるプロセッサ３００３０により実現されてもよい。
【０３６９】
図２８に示すように、本願の実施例は更にネットワーク装置４００００を提供し、該ネットワーク装置４００００は図１８における方法２０に対応するネットワーク装置の内容を実行することのできる図２３におけるネットワーク装置８０であってもよい。該ネットワーク装置４００００は入力インターフェース４００１０、出力インターフェース４００２０、プロセッサ４００３０及びメモリ４００４０を備え、該入力インターフェース４００１０、出力インターフェース４００２０、プロセッサ４００３０及びメモリ４００４０がバスシステムによって接続されてもよい。該メモリ４００４０はプログラム、命令又はコードを記憶することに用いられる。該プロセッサ４００３０は、入力インターフェース４００１０が信号を受信し、出力インターフェース４００２０が信号を送信するように制御し及び上記方法実施例における操作を行うように、該メモリ４００４０におけるプログラム、命令又はコードを実行することに用いられる。
【０３７０】
従って、本願の実施例のネットワーク装置において、ＵＲＳＰポリシーを数回に分けて取得することにより、ネットワーク負荷を効果的に低減して、通信柔軟性を向上させることができる。
【０３７１】
１つの具体的な実施形態では、ネットワーク装置２０００における送信ユニットは図１６における出力インターフェース４００２０により実現されてもよい。
【０３７２】
図２９に示すように、本願の実施例は更にネットワーク装置５００００を提供し、該ネットワーク装置５００００は図１９における方法３０に対応するネットワーク装置の内容を実行することのできる図２４におけるネットワーク装置９０であってもよい。該ネットワーク装置５００００は入力インターフェース５００１０、出力インターフェース５００２０、プロセッサ５００３０及びメモリ５００４０を備え、該入力インターフェース５００１０、出力インターフェース５００２０、プロセッサ５００３０及びメモリ５００４０がバスシステムによって接続されてもよい。該メモリ５００４０はプログラム、命令又はコードを記憶することに用いられる。該プロセッサ５００３０は、入力インターフェース５００１０が信号を受信し、出力インターフェース５００２０が信号を送信するように制御し及び上記方法実施例における操作を行うように、該メモリ５００４０におけるプログラム、命令又はコードを実行することに用いられる。
【０３７３】
従って、本願の実施例のネットワーク装置において、ＵＲＳＰポリシーを数回に分けて取得することにより、ネットワーク負荷を効果的に低減して、通信柔軟性を向上させることができる。
【０３７４】
１つの具体的な実施形態では、ネットワーク装置９０における送信ユニットは図２９における出力インターフェース５００２０により実現されてもよい。
【０３７５】
本願の実施例は更にチップを提供し、該チップは本願の実施例における端末装置に対応してもよく、且つ該チップは本願の実施例の各方法における端末装置の実現する対応プロセスを実現することができる。該チップはプロセッサを備え、プロセッサはメモリからコンピュータプログラムを呼び出して実行することにより、本願の実施例における方法を実現することができる。
【０３７６】
好ましくは、該チップは更にメモリを備えてもよい。プロセッサはメモリからコンピュータプログラムを呼び出して実行することにより、本願の実施例における方法を実現することができる。
【０３７７】
メモリはプロセッサから独立した１つの独立したデバイスであってもよく、プロセッサに統合されてもよい。
【０３７８】
好ましくは、該チップは更に入力インターフェースを備えてもよい。プロセッサは該入力インターフェースが他の装置又はチップと通信するように制御することができ、具体的に、他の装置又はチップから送信された情報又はデータを取得することができる。
【０３７９】
好ましくは、該チップは更に出力インターフェースを備えてもよい。プロセッサは該出力インターフェースが他の装置又はチップと通信するように制御することができ、具体的に、他の装置又はチップに情報又はデータを出力することができる。
【０３８０】
本願の実施例は更に他のチップを提供し、該チップは本願の実施例におけるＳＭＦ装置に対応してもよく、且つ該チップは本願の実施例の各方法におけるＳＭＦ装置の実現する対応プロセスを実現することができる。該チップはプロセッサを備え、プロセッサはメモリからコンピュータプログラムを呼び出して実行することにより、本願の実施例における方法を実現することができる。
【０３８１】
好ましくは、該チップは更にメモリを備えてもよい。プロセッサはメモリからコンピュータプログラムを呼び出して実行することにより、本願の実施例における方法を実現することができる。
【０３８２】
メモリはプロセッサから独立した１つの独立したデバイスであってもよく、プロセッサに統合されてもよい。
【０３８３】
好ましくは、該チップは更に入力インターフェースを備えてもよい。プロセッサは該入力インターフェースが他の装置又はチップと通信するように制御することができ、具体的に、他の装置又はチップから送信された情報又はデータを取得することができる。
【０３８４】
好ましくは、該チップは更に出力インターフェースを備えてもよい。プロセッサは該出力インターフェースが他の装置又はチップと通信するように制御することができ、具体的に、他の装置又はチップに情報又はデータを出力することができる。
【０３８５】
理解すべきものは、本願の実施例のプロセッサは信号処理機能を有する集積回路チップでありうる。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０３８６】
理解されるように、本願の実施例では、メモリは揮発性メモリであっても、又は不揮発性メモリであってもよく、又は、揮発性メモリ及び不揮発性メモリの両方を含んでもよい。不揮発性メモリは読み出し専用メモリ（ＲＯＭ：Ｒｅａｄ−Ｏｎｌｙ  Ｍｅｍｏｒｙ）、プログラム可能読み出し専用メモリ（ＰＲＯＭ：Ｐｒｏｇｒａｍｍａｂｌｅ  ＲＯＭ）、消去可能プログラム可能読み出し専用メモリ（ＥＰＲＯＭ：Ｅｒａｓａｂｌｅ  ＰＲＯＭ）、電気的消去可能プログラム可能読み出し専用メモリ（ＥＥＰＲＯＭ：Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ：Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、シンクロナスダイナミックランダムアクセスメモリ（ＳＤＲＡＭ：Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ：Ｅｎｈａｎｃｅｄ  ＳＤＲＡＭ）、シンクリンクダイナミックランダムアクセスメモリ（ＳＬＤＲＡＭ：Ｓｙｎｃｈｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）が利用可能である。注意すべきものは、本明細書に説明されるシステム及び方法のメモリはこれらのメモリ及び任意の他の適切なタイプのメモリを含んでもよいが、それらに限らないように意図されるものである。
【０３８７】
更に理解すべきものは、上記メモリは制限ではなく例示的なものであり、例えば、本願の実施例におけるメモリは更にスタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、シンクロナスダイナミックランダムアクセスメモリ（ＳＤＲＡＭ：ｓｙｎｃｈｒｏｎｏｕｓ  ＤＲＡＭ）、ダブルデータレートシンクロナスダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型シンクロナスダイナミックランダムアクセスメモリ（ＥＳＤＲＡＭ：ｅｎｈａｎｃｅｄ  ＳＤＲＡＭ）、シンクリンクダイナミックランダムアクセスメモリ（ＳＬＤＲＡＭ：ｓｙｎｃｈ  ｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）等であってもよい。つまり、本願の実施例におけるメモリはこれらのメモリ及び任意の他の適切なタイプのメモリを含んでもよいが、それらに限らないように意図されるものである。
【０３８８】
好ましくは、本願の実施例は更に通信システムを提供する。具体的に、該通信システムは上記端末装置６００及びＳＭＦ装置８００を備えてもよい。
【０３８９】
該端末装置６００は上記方法２００における端末装置の実現する対応機能を実現することに用いられてもよく、そして該ＳＭＦ装置８００は上記方法４００におけるＳＭＦ装置の実現する対応機能を実現することに用いられてもよく、簡潔のため、ここで詳細な説明は省略する。
【０３９０】
好ましくは、本願の実施例は更に他の通信システムを提供する。具体的に、該通信システムは上記端末装置７００及びＳＭＦ装置９００を備えてもよい。
【０３９１】
該端末装置７００は上記方法３００における端末装置の実現する対応機能を実現することに用いられてもよく、そして該ＳＭＦ装置９００は上記方法５００におけるＳＭＦ装置の実現する対応機能を実現することに用いられてもよく、簡潔のため、ここで詳細な説明は省略する。
【０３９２】
本願の実施例は更にコンピュータ可読記憶媒体を提供し、該コンピュータ可読記憶媒体はコンピュータプログラムを記憶することに用いられる。
【０３９３】
好ましくは、該コンピュータ可読記憶媒体は本願の実施例におけるＳＭＦ装置に適用されてもよく、且つ該コンピュータプログラムによってコンピュータが本願の実施例の各方法におけるＳＭＦ装置の実現する対応プロセスを実行し、簡潔のため、ここで詳細な説明は省略する。
【０３９４】
好ましくは、該コンピュータ可読記憶媒体は本願の実施例における端末装置に適用されてもよく、且つ該コンピュータプログラムによってコンピュータが本願の実施例の各方法における端末装置の実現する対応プロセスを実行し、簡潔のため、ここで詳細な説明は省略する。
【０３９５】
本願の実施例は更にコンピュータプログラム製品を提供し、該コンピュータプログラム製品はコンピュータプログラム命令を含む。
【０３９６】
好ましくは、該コンピュータプログラム製品は本願の実施例におけるＳＭＦ装置に適用されてもよく、且つ該コンピュータプログラム命令によってコンピュータが本願の実施例の各方法におけるＳＭＦ装置の実現する対応プロセスを実行し、簡潔のため、ここで詳細な説明は省略する。
【０３９７】
好ましくは、該コンピュータプログラム製品は本願の実施例における端末装置に適用されてもよく、且つ該コンピュータプログラム命令によってコンピュータが本願の実施例の各方法における端末装置の実現する対応プロセスを実行し、簡潔のため、ここで詳細な説明は省略する。
【０３９８】
本願の実施例は更にコンピュータプログラムを提供する。
【０３９９】
好ましくは、該コンピュータプログラムは本願の実施例におけるＳＭＦ装置に適用されてもよく、該コンピュータプログラムがコンピュータにおいて実行されるとき、コンピュータが本願の実施例の各方法におけるＳＭＦ装置の実現する対応プロセスを実行し、簡潔のため、ここで詳細な説明は省略する。
【０４００】
好ましくは、該コンピュータプログラムは本願の実施例における端末装置に適用されてもよく、該コンピュータプログラムがコンピュータにおいて実行されるとき、コンピュータが本願の実施例の各方法における端末装置の実現する対応プロセスを実行し、簡潔のため、ここで詳細な説明は省略する。
【０４０１】
当業者であれば、本明細書に開示される実施例を参照して説明した各例示的なユニット及びアルゴリズムステップは、電子ハードウェア、又はコンピュータソフトウェア及び電子ハードウェアの組み合わせで実現できることに気付くであろう。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０４０２】
当業者であれば、説明を容易且つ簡単にするために、上記説明されるシステム、装置及びユニットの具体的な動作過程は、前述の方法実施例における対応過程を参照することを明確に理解することができ、ここで詳細な説明は省略する。
【０４０３】
本願に係るいくつかの実施例では、理解すべきものは、開示されるシステム、装置及び方法は他の方式で実現されてもよい。例えば、以上に説明される装置実施例は模式的なものに過ぎず、例えば、該ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０４０４】
分離部材として説明される該ユニットは物理的に分離してもよく、物理的に分離しなくてもよく、ユニットとして表示される部材は物理ユニットであってもよく、物理ユニットでなくてもよく、つまり、一箇所に位置してもよく、複数のネットワークユニットに配置されてもよい。実際の必要に応じて、その一部又は全部のユニットを選択して本実施例案の目的を実現してもよい。
【０４０５】
また、本願の各実施例では、各機能ユニットは１つの処理ユニットに統合されてもよく、各ユニットは独立して物理的に存在してもよく、２つ又は２つ以上のユニットは１つのユニットに統合されてもよい。
【０４０６】
該機能はソフトウェア機能ユニットの形式で実現され、独立した製品として販売又は使用されるときは、１つのコンピュータ可読記憶媒体に記憶されてもよい。このような理解に基づき、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本願の各実施例の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０４０７】
以上の説明は本願の具体的な実施形態であって、本願の保護範囲を制限するためのものではなく、当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2020537855.tif 000005
【図２】
2020537855.tif 000006
【図３】
2020537855.tif 000007
【図４】
2020537855.tif 000008
【図５】
2020537855.tif 000009
【図６】
2020537855.tif 000010
【図７】
2020537855.tif 000011
【図８】
2020537855.tif 000012
【図９】
2020537855.tif 000013
【図１０】
2020537855.tif 000014
【図１１】
2020537855.tif 000015
【図１２】
2020537855.tif 000016
【図１３】
2020537855.tif 000017
【図１４】
2020537855.tif 000018
【図１５】
2020537855.tif 000019
【図１６】
2020537855.tif 000020
【図１７】
2020537855.tif 000021
【図１８】
2020537855.tif 000022
【図１９】
2020537855.tif 000023
【図２０】
2020537855.tif 000024
【図２１】
2020537855.tif 000025
【図２２】
2020537855.tif 000026
【図２３】
2020537855.tif 000027
【図２４】
2020537855.tif 000028
【図２５】
2020537855.tif 000029
【図２６】
2020537855.tif 000030
【図２７】
2020537855.tif 000031
【図２８】
2020537855.tif 000032
【図２９】
2020537855.tif 000033
【国際調査報告】
2020537855.tif 000034
2020537855.tif 000035
2020537855.tif 000036
2020537855.tif 000037